(57)【要約】【課題】  会員が複数のキャッシュカードを使用したり、複数の遊技場に会員登録していてものめり込みを防止可能とすること【解決手段】  口座特定用記録媒体を使用して、会員用記録媒体から読み出した遊技用価値特定情報に基づいて特定される遊技用価値の大きさに加算更新する口座決済遊技用価値加算処理を行う入金装置２１と、遊技場外に設けられた集中管理装置１４０とから成り、入金装置２１は、集中管理装置１４０において、各会員遊技者が会員となっている各遊技場で前記口座決済遊技用価値加算処理にて加算更新した遊技用価値の大きさに、新たに加算更新しようとする加算価値の大きさとを合算した大きさが、設定された所定の上限値を超過していないと判断されたこと条件に、該加算価値の大きさの口座決済遊技用価値加算処理を実施する。【選択図】  図１４
2006014866.tif 000002
【特許請求の範囲】
【請求項１】
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
各遊技場に設置された前記入金装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
前記会員用記録媒体読み出し手段に受付け中の前記会員用記録媒体から読み出した会員識別情報と、前記加算価値特定情報とを含む確認情報を前記集中管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各会員遊技者の属性情報と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段と、
前記価値加算情報の受信に基づいて、該受信した価値加算情報に含まれる会員識別情報に対応付けて前記合計記憶手段に記憶されている遊技用価値の大きさの合計に、該受信した価値加算情報に含まれる遊技用価値の大きさを加算更新する加算更新手段と、
前記確認情報を受信したときに、該確認情報に含まれる会員識別情報に対応付けて前記合計記憶手段に記憶されている遊技用価値の大きさの合計と、該受信した確認情報に含まれる前記加算価値特定情報から特定される加算価値の大きさとを合算した合算加算価値の大きさを算出し、該算出した合算加算価値の大きさが、前記上限値設定手段にて設定されている上限値を超過しているか否かを判定する判定手段と、
該判定手段における判定結果を前記入金装置に送信するための判定結果送信手段と、
を備え、
前記入金装置は、前記判定結果送信手段から送信される判定結果が上限値を超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴とする遊技用システム。
【請求項２】
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
各遊技場に設置された前記入金装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
前記会員用記録媒体読み出し手段に受付け中の前記会員用記録媒体から読み出した会員識別情報と、前記加算価値特定情報とを含む確認情報を前記集中管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各遊技場において会員登録した会員遊技者の当該会員登録した遊技場における会員識別情報と当該会員遊技者の属性情報とを対応付けて記憶するための属性情報記憶手段と、
少なくとも前記所定期間において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさとを対応付けて、順次、価値加算履歴として記憶するための価値加算履歴記憶手段と、
前記確認情報を受信したときに、該確認情報に含まれる会員識別情報に対応付けて前記属性情報記憶手段に記憶されている属性情報を特定し、前記所定期間について該特定した属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段と、
該集計手段により集計された総計加算価値の大きさと、前記受信した確認情報に含まれる前記加算価値特定情報から特定される加算価値の大きさとを合算した合算加算価値の大きさを算出し、該算出した合算加算価値の大きさが、前記上限値設定手段にて設定されている上限値を超過しているか否かを判定する判定手段と、
該判定手段における判定結果を前記入金装置に送信するための判定結果送信手段と、
を備え、
前記入金装置は、前記判定結果送信手段から送信される判定結果が上限値を超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴とする遊技用システム。
【請求項３】
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
前記入金装置とデータ通信可能に接続され、該入金装置が設置された遊技場において使用される前記会員用記録媒体の管理を行う該遊技場内に設置された場内管理装置と、
各遊技場に設置された場内管理装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
少なくとも前記会員用記録媒体読み出し手段に受付け中の前記会員用記録媒体から読み出した会員識別情報を含む確認情報を、前記場内管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各会員遊技者の属性情報と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段と、
前記価値加算情報の受信に基づいて、該受信した価値加算情報に含まれる会員識別情報に対応付けて前記合計記憶手段に記憶されている遊技用価値の大きさの合計に、該受信した価値加算情報に含まれる遊技用価値の大きさを加算更新する加算更新手段と、
該加算更新手段による加算更新後の遊技用価値の大きさが前記上限値設定手段にて設定されている上限値を超過しているか否かを判定する判定手段と、
該判定手段において上限値を超過していると判定されたときに、該上限値を超過していると判定された会員遊技者の各遊技場における前記会員識別情報と、前記口座決済遊技用価値加算処理を不可とする旨とを含む価値加算不可情報を、各会員識別情報が対応する遊技場に設置されている前記場内管理装置に送信するための価値加算不可情報送信手段と、
を備え、
前記場内管理装置は、
当該遊技場において各会員遊技者に発行された会員用遊技媒体に記憶されている各会員識別情報に対応付けて、各会員用遊技媒体を用いた前記口座決済遊技用価値加算処理の可／不可を特定可能な可否情報を記憶するための可否情報記憶手段と、
前記価値加算不可情報送信手段から送信される価値加算不可情報の受信に基づいて、当該受信した価値加算不可情報に含まれる会員識別情報に対応して前記可否情報記憶手段に記憶されている可否情報を、不可を特定可能な情報に更新する可否情報更新手段と、
前記確認情報を受信したときに、該確認情報に含まれる会員識別情報に対応付けて前記可否情報記憶手段に記憶されている可否情報に基づいて、前記口座決済遊技用価値加算処理の可／不可を判定する可否判定手段と、
該可否判定手段における判定結果を前記入金装置に送信するための判定結果送信手段と、
を備え、
前記入金装置は、前記判定結果送信手段から送信される判定結果が可であることを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴とする遊技用システム。
【請求項４】
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
前記入金装置とデータ通信可能に接続され、該入金装置が設置された遊技場において使用される前記会員用記録媒体の管理を行う該遊技場内に設置された場内管理装置と、
各遊技場に設置された場内管理装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
少なくとも前記会員用記録媒体読み出し手段に受付け中の前記会員用記録媒体から読み出した会員識別情報を含む確認情報を、前記場内管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各遊技場において会員登録した会員遊技者の当該会員登録した遊技場における会員識別情報と当該会員遊技者の属性情報とを対応付けて記憶するための属性情報記憶手段と、
少なくとも前記所定期間において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさとを対応付けて、順次、価値加算履歴として記憶するための価値加算履歴記憶手段と、
前記所定期間について同一の属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段と、
前記集計手段により集計された総計加算価値の大きさが前記上限値設定手段にて設定されている上限値を超過しているか否かを判定する判定手段と、
該判定手段において上限値を超過していると判定されたときに、該上限値を超過していると判定された会員遊技者の各遊技場における前記会員識別情報と、前記口座決済遊技用価値加算処理を不可とする旨とを含む価値加算不可情報を、各会員識別情報が対応する遊技場に設置されている前記場内管理装置に送信するための価値加算不可情報送信手段と、
を備え、
前記場内管理装置は、
当該遊技場において各会員遊技者に発行された会員用遊技媒体に記憶されている各会員識別情報に対応付けて、各会員用遊技媒体を用いた前記口座決済遊技用価値加算処理の可／不可を特定可能な可否情報を記憶するための可否情報記憶手段と、
前記価値加算不可情報送信手段から送信される価値加算不可情報の受信に基づいて、当該受信した価値加算不可情報に含まれる会員識別情報に対応して前記可否情報記憶手段に記憶されている可否情報を、不可を特定可能な情報に更新する可否情報更新手段と、
前記確認情報を受信したときに、該確認情報に含まれる会員識別情報に対応付けて前記可否情報記憶手段に記憶されている可否情報に基づいて、前記口座決済遊技用価値加算処理の可／不可を判定する可否判定手段と、
該可否判定手段における判定結果を前記入金装置に送信するための判定結果送信手段と、
を備え、
前記入金装置は、前記判定結果送信手段から送信される判定結果が可であることを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴とする遊技用システム。
【請求項５】
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
前記入金装置とデータ通信可能に接続され、該入金装置が設置された遊技場において使用される前記会員用記録媒体の管理を行う該遊技場内に設置された場内管理装置と、
各遊技場に設置された場内管理装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
前記会員用記録媒体読み出し手段に受付け中の前記会員用記録媒体から読み出した会員識別情報と、前記加算価値特定情報とを含む確認情報を、前記場内管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各会員遊技者の属性情報と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段と、
前記価値加算情報の受信に基づいて、該受信した価値加算情報に含まれる会員識別情報に対応付けて前記合計記憶手段に記憶されている遊技用価値の大きさの合計に、該受信した価値加算情報に含まれる遊技用価値の大きさを加算更新する加算更新手段と、
該加算更新手段による加算更新後の遊技用価値の大きさと前記上限値設定手段にて設定されている上限値との差に基づいて、当該会員遊技者が前記口座決済遊技用価値加算処理により加算更新できる加算価値の大きさである利用可能加算価値の大きさを特定する利用可能加算価値特定手段と、
該利用可能加算価値特定手段にて特定された各会員遊技者の利用可能加算価値の大きさを特定可能な情報と、当該会員遊技者の各遊技場における前記会員識別情報とを含む利用可能加算価値情報を、各会員識別情報が対応する遊技場に設置されている前記場内管理装置に送信するための利用可能加算価値情報送信手段と、
を備え、
前記場内管理装置は、
当該遊技場において各会員遊技者に発行された会員用遊技媒体に記憶されている各会員識別情報に対応付けて、当該会員遊技者の前記利用可能加算価値の大きさを特定可能な情報を記憶するための利用可能加算価値情報記憶手段と、
前記利用可能加算価値情報送信手段から送信される利用可能加算価値情報の受信に基づいて、当該受信した利用可能加算価値情報に含まれる会員識別情報に対応して前記利用可能加算価値情報記憶手段に記憶されている利用可能加算価値の大きさを特定可能な情報を、受信した利用可能加算価値情報に含まれる利用可能加算価値の大きさを特定可能な情報から特定される利用可能加算価値の大きさを特定可能な情報に更新する利用可能加算価値情報更新手段と、
前記確認情報を受信したときに、該確認情報に含まれる会員識別情報に対応付けて前記利用可能加算価値情報記憶手段に記憶されている利用可能加算価値の大きさを特定可能な情報から特定される利用可能加算価値の大きさを、受信した確認情報に含まれる前記加算価値特定情報から特定される加算価値の大きさが超過しているか否かを判定する判定手段と、
該判定手段における判定結果を前記入金装置に送信するための判定結果送信手段と、
を備え、
前記入金装置は、前記判定結果送信手段から送信される判定結果が利用可能加算価値の大きさを超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴とする遊技用システム。
【請求項６】
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
前記入金装置とデータ通信可能に接続され、該入金装置が設置された遊技場において使用される前記会員用記録媒体の管理を行う該遊技場内に設置された場内管理装置と、
各遊技場に設置された場内管理装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
前記会員用記録媒体読み出し手段に受付け中の前記会員用記録媒体から読み出した会員識別情報と、前記加算価値特定情報とを含む確認情報を、前記場内管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各遊技場において会員登録した会員遊技者の当該会員登録した遊技場における会員識別情報と当該会員遊技者の属性情報とを対応付けて記憶するための属性情報記憶手段と、
少なくとも前記所定期間において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさとを対応付けて、順次、価値加算履歴として記憶するための価値加算履歴記憶手段と、
前記所定期間について同一の属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段と、
該集計手段により集計された総計加算価値の大きさと前記上限値設定手段にて設定されている上限値との差に基づいて、当該会員遊技者が前記口座決済遊技用価値加算処理により加算更新できる加算価値の大きさである利用可能加算価値の大きさを特定する利用可能加算価値特定手段と、
該利用可能加算価値特定手段にて特定された利用可能加算価値の大きさを特定可能な情報と、当該会員遊技者の各遊技場における前記会員識別情報とを含む利用可能加算価値情報を、各会員識別情報が対応する遊技場に設置されている前記場内管理装置に送信するための利用可能加算価値情報送信手段と、
を備え、
前記場内管理装置は、
当該遊技場において各会員遊技者に発行された会員用遊技媒体に記憶されている各会員識別情報に対応付けて、当該会員遊技者の前記利用可能加算価値の大きさを特定可能な情報を記憶するための利用可能加算価値情報記憶手段と、
前記利用可能加算価値情報送信手段から送信される利用可能加算価値情報の受信に基づいて、当該受信した利用可能加算価値情報に含まれる会員識別情報に対応して前記利用可能加算価値情報記憶手段に記憶されている利用可能加算価値の大きさを特定可能な情報を、受信した利用可能加算価値情報に含まれる利用可能加算価値の大きさを特定可能な情報から特定される利用可能加算価値の大きさを特定可能な情報に更新する利用可能加算価値情報更新手段と、
前記確認情報を受信したときに、該確認情報に含まれる会員識別情報に対応付けて前記利用可能加算価値情報記憶手段に記憶されている利用可能加算価値の大きさを特定可能な情報から特定される利用可能加算価値の大きさを、受信した確認情報に含まれる前記加算価値特定情報から特定される加算価値の大きさが超過しているか否かを判定する判定手段と、
該判定手段における判定結果を前記入金装置に送信するための判定結果送信手段と、
を備え、
前記入金装置は、前記判定結果送信手段から送信される判定結果が利用可能加算価値の大きさを超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴とする遊技用システム。
【請求項７】
前記場内管理装置は、前記利用可能加算価値情報記憶手段に記憶している利用可能加算価値の大きさを特定可能な情報を前記入金装置に送信するための加算可能価値情報送信手段を備え、
前記入金装置は、前記加算可能価値情報送信手段から送信される情報から特定される利用可能加算価値の大きさを報知する利用可能加算価値報知手段を備えることを特徴とする請求項５または６に記載の遊技用システム。
【請求項８】
前記利用可能加算価値情報送信手段は、前記利用可能加算価値特定手段により特定される前記利用可能加算価値の大きさが、予め設定されている１回の前記口座決済遊技用価値加算処理により加算更新できる加算価値の大きさの上限値未満となったことを条件に、前記利用可能加算価値情報を送信することを特徴とする請求項５〜７のいずれかに記載の遊技用システム。
【請求項９】
前記集中管理装置は、
新たに会員登録を実施して会員となった新規会員遊技者に付与された会員識別情報と該新規会員遊技者の属性情報とを入力するための入力手段を備え、
該入力された新規会員遊技者の属性情報と同一の属性情報が前記合計記憶手段或いは属性情報記憶手段に記憶されているときには、該属性情報に対応付けて該入力された新規会員遊技者の会員識別情報を更新記憶する一方、該入力された新規会員遊技者の属性情報と同一の属性情報が前記合計記憶手段或いは属性情報記憶手段に記憶されていないときには、該入力された属性情報と会員識別情報とを対応付けて、前記合計記憶手段或いは属性情報記憶手段に記憶することを特徴とする請求項１〜８のいずれかに記載の遊技用システム。
【請求項１０】
前記会員用記録媒体を受付けて、該受付けた会員用記録媒体に記録されている前記遊技用価値特定情報並びに会員識別情報を読み出す会員用記録媒体読み出し手段と、
該会員用記録媒体読み出し手段にて読み出した会員識別情報を含む精算許諾要求を送信する精算許諾要求送信手段と、
該会員用記録媒体読み出し手段にて読み出した遊技用価値特定情報から特定される遊技用価値の大きさの少なくとも一部に相当する金額の貨幣を払い出すとともに、該貨幣の払い出しに供した遊技用価値の大きさを前記会員用記録媒体読み出し手段にて読み出した遊技用価値特定情報から特定される遊技用価値の大きさから減算更新する精算処理を実施する精算手段と、
を備える精算装置と、
前記各会員識別情報に対応付けて、該会員用遊技媒体から読み出した遊技用価値特定情報に基づいて特定される遊技用価値の大きさのうちの前記口座決済遊技用価値加算処理にて加算更新された加算価値の大きさに基づく遊技用価値の大きさと、最も直近の口座決済遊技用価値加算処理が実施された時点から遊技に使用された遊技用価値の大きさである直近使用価値の大きさを特定可能な情報を記憶するための残存遊技用価値記憶手段と、
前記精算許諾要求送信手段から送信される精算許諾要求を受信したときに、該精算許諾要求に含まれる会員識別情報に対応付けて前記残存遊技用価値記憶手段に記憶されている直近使用価値の大きさを特定可能な情報から特定される直近使用価値の大きさが予め設定された所定の大きさ以上であることを条件として、前記精算装置に対して受信した精算許諾要求に含まれる会員識別情報が記録されている会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさについて精算を許諾する旨の精算許諾を送信する精算許諾送信手段と、
を備える残存遊技用価値管理装置と、
を有し、
前記精算装置は、前記精算許諾送信手段からの精算許諾の受信に基づいて、受付けた会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさの前記精算処理を実施することを特徴とする請求項１〜９のいずれかに記載の遊技用システム。
【請求項１１】
前記会員用記録媒体を受付けて、該受付けた会員用記録媒体に記録されている前記遊技用価値特定情報並びに会員識別情報を読み出す会員用記録媒体読み出し手段と、
該会員用記録媒体読み出し手段にて読み出した会員識別情報を含む精算許諾要求を送信する精算許諾要求送信手段と、
該会員用記録媒体読み出し手段にて読み出した遊技用価値特定情報から特定される遊技用価値の大きさの少なくとも一部に相当する金額の貨幣を払い出すとともに、該貨幣の払い出しに供した遊技用価値の大きさを前記会員用記録媒体読み出し手段にて読み出した遊技用価値特定情報から特定される遊技用価値の大きさから減算更新する精算処理を実施する精算手段と、
を備える精算装置と、
前記各会員識別情報に対応付けて、該会員用遊技媒体から読み出した遊技用価値特定情報に基づいて特定される遊技用価値の大きさのうちの前記口座決済遊技用価値加算処理にて加算更新された加算価値の大きさに基づく遊技用価値の大きさと、該会員遊技者の最も直近の口座決済遊技用価値加算処理が実施された時点からの遊技履歴に関する遊技履歴関連情報を記憶するための残存遊技用価値記憶手段と、
前記精算許諾要求送信手段から送信される精算許諾要求を受信したときに、該精算許諾要求に含まれる会員識別情報に対応付けて前記残存遊技用価値記憶手段に記憶されている遊技履歴関連情報が、予め設定された遊技履歴に関する所定条件を満たすことを条件として、前記精算装置に対して受信した精算許諾要求に含まれる会員識別情報が記録されている会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさについて精算を許諾する旨の精算許諾を送信する精算許諾送信手段と、
を備える残存遊技用価値管理装置と、
を有し、
前記精算装置は、前記精算許諾送信手段からの精算許諾の受信に基づいて、受付けた会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさの前記精算処理を実施することを特徴とする請求項１〜１０のいずれかに記載の遊技用システム。
【発明の詳細な説明】
【技術分野】
【０００１】
本発明は、プリペイドカードに対して、キャッシュカードを使用してカードに残存する遊技用価値である度数への入金が可能な遊技用システムに関する。
【背景技術】
【０００２】
近年、プリペイドカードの実用化に伴って、プリペイドカードに残額が無くなった場合に、該プリペイドカードに現金を用いて入金することが実施されているが、これらの入金においては、手持ちの現金がない場合には、遊技者は一旦遊技を中断して、銀行等に設置されているＡＴＭ（自動現金払出機）に出向いて口座から現金を引き出す必要があることから、これらの面倒を解消するために、遊技者が所持するキャッシュカードを用いて、口座に残存する金額からプリペイドカードへ入金することのできるシステムが提案されており、これらのシステムにおいては、口座に残存する金額からプリペイドカードへ直接入金できることから、遊技者が過度に入金をして遊技をしてしまう、いわゆるのめり込みを防止する目的から、これら口座に残存する金額から所定期間、例えば１日にプリペイドカードへ入金できる金額に上限を設けて、該上限金額以上には入金できないように制限するシステムがある（例えば、特許文献１参照）。
【０００３】
【特許文献１】特開２００３−１４４７３７号公報（第８頁、第６図）
【発明の開示】
【発明が解決しようとする課題】
【０００４】
しかしながら、特許文献１にあっては、１枚のキャッシュカードに対する上限が設定されていて、該１枚のキャッシュカードから特定される１口座からの入金を制限できるものの、遊技者が複数のキャッシュカードを所有する場合には、これら複数のキャッシュカードを使用して上限金額以上の入金ができてしまい、のめり込みを防止できないという問題があった。
【０００５】
また、一方で、例えばキャッシュカードによる入金を会員遊技者（会員カード）に限定して、当該会員遊技者のキャッシュカードによる入金額を管理しておき、当該入金額に上限を設定して入金を制限しても、会員遊技者が複数の遊技場の会員となっていれば、遊技場を移動することにより、上限金額以上の入金を実施できるようになってしまい、やはりのめり込みを防止できないという問題があった。
【０００６】
本発明は、このような問題点に着目してなされたもので、遊技者が複数のキャッシュカードを使用したり、複数の遊技場に会員登録している場合であっても、のめり込みを防止することのできる遊技場システムを提供することを目的とする。
【課題を解決するための手段】
【０００７】
上記課題を解決するために、本発明の請求項１に記載の遊技用システムは、
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
各遊技場に設置された前記入金装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
前記会員用記録媒体読み出し手段に受付け中の前記会員用記録媒体から読み出した会員識別情報と、前記加算価値特定情報とを含む確認情報を前記集中管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各会員遊技者の属性情報と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段と、
前記価値加算情報の受信に基づいて、該受信した価値加算情報に含まれる会員識別情報に対応付けて前記合計記憶手段に記憶されている遊技用価値の大きさの合計に、該受信した価値加算情報に含まれる遊技用価値の大きさを加算更新する加算更新手段と、
前記確認情報を受信したときに、該確認情報に含まれる会員識別情報に対応付けて前記合計記憶手段に記憶されている遊技用価値の大きさの合計と、該受信した確認情報に含まれる前記加算価値特定情報から特定される加算価値の大きさとを合算した合算加算価値の大きさを算出し、該算出した合算加算価値の大きさが、前記上限値設定手段にて設定されている上限値を超過しているか否かを判定する判定手段と、
該判定手段における判定結果を前記入金装置に送信するための判定結果送信手段と、
を備え、
前記入金装置は、前記判定結果送信手段から送信される判定結果が上限値を超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴としている。
この特徴によれば、会員遊技者が複数の口座特定用記録媒体を用いて、所有している複数の遊技場にて発行されたいずれの会員用記録媒体に記録されている遊技用価値特定情報に基づいて特定される遊技用価値の大きさへの前記口座決済遊技用価値加算処理を実施しても、該会員遊技者が会員となっている全ての遊技場における前記口座決済遊技用価値加算処理に供された加算価値の大きさの合計が合計記憶手段に予め記憶され、該合計記憶手段に記憶されている合計と新たに加算更新しようとする加算価値の大きさとを合算した合算加算価値の大きさが上限値を超過していないことを条件として新たに加算更新しようとする加算価値の大きさの前記口座決済遊技用価値加算処理が実施されるようになるため、会員遊技者が複数の口座特定用記録媒体であるキャッシュカードを使用したり、複数の遊技場に会員登録している場合であっても、のめり込みを防止することができる。
【０００８】
本発明の請求項２に記載の遊技用システムは、
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
各遊技場に設置された前記入金装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
前記会員用記録媒体読み出し手段に受付け中の前記会員用記録媒体から読み出した会員識別情報と、前記加算価値特定情報とを含む確認情報を前記集中管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各遊技場において会員登録した会員遊技者の当該会員登録した遊技場における会員識別情報と当該会員遊技者の属性情報とを対応付けて記憶するための属性情報記憶手段と、
少なくとも前記所定期間において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさとを対応付けて、順次、価値加算履歴として記憶するための価値加算履歴記憶手段と、
前記確認情報を受信したときに、該確認情報に含まれる会員識別情報に対応付けて前記属性情報記憶手段に記憶されている属性情報を特定し、前記所定期間について該特定した属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段と、
該集計手段により集計された総計加算価値の大きさと、前記受信した確認情報に含まれる前記加算価値特定情報から特定される加算価値の大きさとを合算した合算加算価値の大きさを算出し、該算出した合算加算価値の大きさが、前記上限値設定手段にて設定されている上限値を超過しているか否かを判定する判定手段と、
該判定手段における判定結果を前記入金装置に送信するための判定結果送信手段と、
を備え、
前記入金装置は、前記判定結果送信手段から送信される判定結果が上限値を超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴としている。
この特徴によれば、会員遊技者が複数の口座特定用記録媒体を用いて、所有している複数の遊技場にて発行されたいずれの会員用記録媒体に記録されている遊技用価値特定情報に基づいて特定される遊技用価値の大きさへの前記口座決済遊技用価値加算処理を実施しても、該会員遊技者が会員となっている全ての遊技場における前記口座決済遊技用価値加算処理に供された加算価値の大きさの合計である総計加算価値の大きさが集計手段にて集計され、該集計された総計加算価値の大きさと新たに加算更新しようとする加算価値の大きさとを合算した合算加算価値の大きさが上限値を超過していないことを条件として新たに加算更新しようとする加算価値の大きさの前記口座決済遊技用価値加算処理が実施されるようになるため、会員遊技者が複数の口座特定用記録媒体であるキャッシュカードを使用したり、複数の遊技場に会員登録している場合であっても、のめり込みを防止することができる。
【０００９】
本発明の請求項３に記載の遊技用システムは、
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
前記入金装置とデータ通信可能に接続され、該入金装置が設置された遊技場において使用される前記会員用記録媒体の管理を行う該遊技場内に設置された場内管理装置と、
各遊技場に設置された場内管理装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
少なくとも前記会員用記録媒体読み出し手段に受付け中の前記会員用記録媒体から読み出した会員識別情報を含む確認情報を、前記場内管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各会員遊技者の属性情報と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段と、
前記価値加算情報の受信に基づいて、該受信した価値加算情報に含まれる会員識別情報に対応付けて前記合計記憶手段に記憶されている遊技用価値の大きさの合計に、該受信した価値加算情報に含まれる遊技用価値の大きさを加算更新する加算更新手段と、
該加算更新手段による加算更新後の遊技用価値の大きさが前記上限値設定手段にて設定されている上限値を超過しているか否かを判定する判定手段と、
該判定手段において上限値を超過していると判定されたときに、該上限値を超過していると判定された会員遊技者の各遊技場における前記会員識別情報と、前記口座決済遊技用価値加算処理を不可とする旨とを含む価値加算不可情報を、各会員識別情報が対応する遊技場に設置されている前記場内管理装置に送信するための価値加算不可情報送信手段と、
を備え、
前記場内管理装置は、
当該遊技場において各会員遊技者に発行された会員用遊技媒体に記憶されている各会員識別情報に対応付けて、各会員用遊技媒体を用いた前記口座決済遊技用価値加算処理の可／不可を特定可能な可否情報を記憶するための可否情報記憶手段と、
前記価値加算不可情報送信手段から送信される価値加算不可情報の受信に基づいて、当該受信した価値加算不可情報に含まれる会員識別情報に対応して前記可否情報記憶手段に記憶されている可否情報を、不可を特定可能な情報に更新する可否情報更新手段と、
前記確認情報を受信したときに、該確認情報に含まれる会員識別情報に対応付けて前記可否情報記憶手段に記憶されている可否情報に基づいて、前記口座決済遊技用価値加算処理の可／不可を判定する可否判定手段と、
該可否判定手段における判定結果を前記入金装置に送信するための判定結果送信手段と、
を備え、
前記入金装置は、前記判定結果送信手段から送信される判定結果が可であることを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴としている。
この特徴によれば、会員遊技者が複数の口座特定用記録媒体を用いて、所有している複数の遊技場にて発行されたいずれの会員用記録媒体に記録されている遊技用価値特定情報に基づいて特定される遊技用価値の大きさへの前記口座決済遊技用価値加算処理を実施しても、該会員遊技者が会員となっている全ての遊技場における前記口座決済遊技用価値加算処理に供された加算価値の大きさの合計が合計記憶手段に予め記憶され、該合計記憶手段に記憶されている合計が上限値を超過しているときには、前記価値加算不可情報が場内管理装置に送信されて前記可否情報が不可を特定可能な情報に更新されることで、新たに加算更新しようとする加算価値の大きさの前記口座決済遊技用価値加算処理が不可とされるようになるため、会員遊技者が複数の口座特定用記録媒体である例えばキャッシュカードを使用したり、複数の遊技場に会員登録している場合であっても、のめり込みを防止することができる。
【００１０】
本発明の請求項４に記載の遊技用システムは、
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
前記入金装置とデータ通信可能に接続され、該入金装置が設置された遊技場において使用される前記会員用記録媒体の管理を行う該遊技場内に設置された場内管理装置と、
各遊技場に設置された場内管理装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
少なくとも前記会員用記録媒体読み出し手段に受付け中の前記会員用記録媒体から読み出した会員識別情報を含む確認情報を、前記場内管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各遊技場において会員登録した会員遊技者の当該会員登録した遊技場における会員識別情報と当該会員遊技者の属性情報とを対応付けて記憶するための属性情報記憶手段と、
少なくとも前記所定期間において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさとを対応付けて、順次、価値加算履歴として記憶するための価値加算履歴記憶手段と、
前記所定期間について同一の属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段と、
前記集計手段により集計された総計加算価値の大きさが前記上限値設定手段にて設定されている上限値を超過しているか否かを判定する判定手段と、
該判定手段において上限値を超過していると判定されたときに、該上限値を超過していると判定された会員遊技者の各遊技場における前記会員識別情報と、前記口座決済遊技用価値加算処理を不可とする旨とを含む価値加算不可情報を、各会員識別情報が対応する遊技場に設置されている前記場内管理装置に送信するための価値加算不可情報送信手段と、
を備え、
前記場内管理装置は、
当該遊技場において各会員遊技者に発行された会員用遊技媒体に記憶されている各会員識別情報に対応付けて、各会員用遊技媒体を用いた前記口座決済遊技用価値加算処理の可／不可を特定可能な可否情報を記憶するための可否情報記憶手段と、
前記価値加算不可情報送信手段から送信される価値加算不可情報の受信に基づいて、当該受信した価値加算不可情報に含まれる会員識別情報に対応して前記可否情報記憶手段に記憶されている可否情報を、不可を特定可能な情報に更新する可否情報更新手段と、
前記確認情報を受信したときに、該確認情報に含まれる会員識別情報に対応付けて前記可否情報記憶手段に記憶されている可否情報に基づいて、前記口座決済遊技用価値加算処理の可／不可を判定する可否判定手段と、
該可否判定手段における判定結果を前記入金装置に送信するための判定結果送信手段と、
を備え、
前記入金装置は、前記判定結果送信手段から送信される判定結果が可であることを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴としている。
この特徴によれば、会員遊技者が複数の口座特定用記録媒体を用いて、所有している複数の遊技場にて発行されたいずれの会員用記録媒体に記録されている遊技用価値特定情報に基づいて特定される遊技用価値の大きさへの前記口座決済遊技用価値加算処理を実施しても、該会員遊技者が会員となっている全ての遊技場における前記口座決済遊技用価値加算処理に供された加算価値の大きさの合計である総計加算価値の大きさが集計手段にて集計され、該集計された総計加算価値の大きさが上限値を超過しているときには、前記価値加算不可情報が場内管理装置に送信されて前記可否情報が不可を特定可能な情報に更新されることで、新たに加算更新しようとする加算価値の大きさの前記口座決済遊技用価値加算処理が不可とされるようになるため、会員遊技者が複数の口座特定用記録媒体である例えばキャッシュカードを使用したり、複数の遊技場に会員登録している場合であっても、のめり込みを防止することができる。
【００１１】
本発明の請求項５に記載の遊技用システムは、
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
前記入金装置とデータ通信可能に接続され、該入金装置が設置された遊技場において使用される前記会員用記録媒体の管理を行う該遊技場内に設置された場内管理装置と、
各遊技場に設置された場内管理装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
前記会員用記録媒体読み出し手段に受付け中の前記会員用記録媒体から読み出した会員識別情報と、前記加算価値特定情報とを含む確認情報を、前記場内管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各会員遊技者の属性情報と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段と、
前記価値加算情報の受信に基づいて、該受信した価値加算情報に含まれる会員識別情報に対応付けて前記合計記憶手段に記憶されている遊技用価値の大きさの合計に、該受信した価値加算情報に含まれる遊技用価値の大きさを加算更新する加算更新手段と、
該加算更新手段による加算更新後の遊技用価値の大きさと前記上限値設定手段にて設定されている上限値との差に基づいて、当該会員遊技者が前記口座決済遊技用価値加算処理により加算更新できる加算価値の大きさである利用可能加算価値の大きさを特定する利用可能加算価値特定手段と、
該利用可能加算価値特定手段にて特定された各会員遊技者の利用可能加算価値の大きさを特定可能な情報と、当該会員遊技者の各遊技場における前記会員識別情報とを含む利用可能加算価値情報を、各会員識別情報が対応する遊技場に設置されている前記場内管理装置に送信するための利用可能加算価値情報送信手段と、
を備え、
前記場内管理装置は、
当該遊技場において各会員遊技者に発行された会員用遊技媒体に記憶されている各会員識別情報に対応付けて、当該会員遊技者の前記利用可能加算価値の大きさを特定可能な情報を記憶するための利用可能加算価値情報記憶手段と、
前記利用可能加算価値情報送信手段から送信される利用可能加算価値情報の受信に基づいて、当該受信した利用可能加算価値情報に含まれる会員識別情報に対応して前記利用可能加算価値情報記憶手段に記憶されている利用可能加算価値の大きさを特定可能な情報を、受信した利用可能加算価値情報に含まれる利用可能加算価値の大きさを特定可能な情報から特定される利用可能加算価値の大きさを特定可能な情報に更新する利用可能加算価値情報更新手段と、
前記確認情報を受信したときに、該確認情報に含まれる会員識別情報に対応付けて前記利用可能加算価値情報記憶手段に記憶されている利用可能加算価値の大きさを特定可能な情報から特定される利用可能加算価値の大きさを、受信した確認情報に含まれる前記加算価値特定情報から特定される加算価値の大きさが超過しているか否かを判定する判定手段と、
該判定手段における判定結果を前記入金装置に送信するための判定結果送信手段と、
を備え、
前記入金装置は、前記判定結果送信手段から送信される判定結果が利用可能加算価値の大きさを超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴としている。
この特徴によれば、会員遊技者が複数の口座特定用記録媒体を用いて、所有している複数の遊技場にて発行されたいずれの会員用記録媒体に記録されている遊技用価値特定情報に基づいて特定される遊技用価値の大きさへの前記口座決済遊技用価値加算処理を実施しても、該会員遊技者が会員となっている全ての遊技場における前記口座決済遊技用価値加算処理に供された加算価値の大きさの合計が合計記憶手段に予め記憶され、該合計記憶手段に記憶されている合計と上限値との差に基づく会員遊技者が前記口座決済遊技用価値加算処理に使用可能な加算価値の大きさを含む利用可能加算価値情報が、場内管理装置に送信されて前記利用可能加算価値情報記憶手段に更新記憶されることで、新たに加算更新しようとする加算価値の大きさが、該利用可能加算価値情報記憶手段に記憶された利用可能加算価値の大きさを超過していないことを条件として新たに加算更新しようとする加算価値の大きさの前記口座決済遊技用価値加算処理が実施されるようになるため、会員遊技者が複数の口座特定用記録媒体であるキャッシュカードを使用したり、複数の遊技場に会員登録している場合であっても、のめり込みを防止することができる。
【００１２】
本発明の請求項６に記載の遊技用システムは、
遊技に使用可能な遊技用価値の大きさを特定可能な遊技用価値特定情報と会員遊技者を個々に特定可能な会員識別情報とが記録された会員用記録媒体を受付けて、該受付けた会員用記録媒体に記録されている前記遊技用価値特定情報並びに会員識別情報を読み出す会員用記録媒体読み出し手段と、
利用者の預金口座を特定可能な口座特定情報が記録され、金融機関により発行された口座特定用記録媒体を受付けて、該受付けた口座特定用記録媒体に記録されている口座特定情報を読み出す口座特定用記録媒体読み出し手段と、
前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさを特定可能な加算価値特定情報とを含む決済要求を遊技場外に設置されている決済処理機関に送信するための決済要求送信手段と、
該決済要求送信手段からの決済要求の送信に応じて決済処理機関から返信される決済を許諾する旨を示す決済許諾情報を受信する決済許諾情報受信手段と、
該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段と、
を備え、遊技場内に設置された入金装置と、
前記入金装置とデータ通信可能に接続され、該入金装置が設置された遊技場において使用される前記会員用記録媒体の管理を行う該遊技場内に設置された場内管理装置と、
各遊技場に設置された場内管理装置とデータ通信可能に接続され、各遊技場における前記口座決済遊技用価値加算処理により加算更新された遊技用価値の大きさを管理する遊技場外に設置された集中管理装置と、
から成る遊技用システムであって、
前記入金装置は、
前記会員用記録媒体読み出し手段に受付け中の前記会員用記録媒体から読み出した会員識別情報と、前記加算価値特定情報とを含む確認情報を、前記場内管理装置に送信するための確認情報送信手段と、
前記会員用記録媒体読み出し手段により前記会員用記録媒体から読み出した会員識別情報と、前記口座決済遊技用価値加算処理により加算更新された遊技用価値の大きさとを含む価値加算情報を前記集中管理装置に送信するための価値加算情報送信手段と、
を備え、
前記集中管理装置は、
所定期間内における会員遊技者が前記口座決済遊技用価値加算処理により加算更新できる加算価値の大きさの上限値を設定するための上限値設定手段と、
各遊技場において会員登録した会員遊技者の当該会員登録した遊技場における会員識別情報と当該会員遊技者の属性情報とを対応付けて記憶するための属性情報記憶手段と、
少なくとも前記所定期間において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさとを対応付けて、順次、価値加算履歴として記憶するための価値加算履歴記憶手段と、
前記所定期間について同一の属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段と、
該集計手段により集計された総計加算価値の大きさと前記上限値設定手段にて設定されている上限値との差に基づいて、当該会員遊技者が前記口座決済遊技用価値加算処理により加算更新できる加算価値の大きさである利用可能加算価値の大きさを特定する利用可能加算価値特定手段と、
該利用可能加算価値特定手段にて特定された利用可能加算価値の大きさを特定可能な情報と、当該会員遊技者の各遊技場における前記会員識別情報とを含む利用可能加算価値情報を、各会員識別情報が対応する遊技場に設置されている前記場内管理装置に送信するための利用可能加算価値情報送信手段と、
を備え、
前記場内管理装置は、
当該遊技場において各会員遊技者に発行された会員用遊技媒体に記憶されている各会員識別情報に対応付けて、当該会員遊技者の前記利用可能加算価値の大きさを特定可能な情報を記憶するための利用可能加算価値情報記憶手段と、
前記利用可能加算価値情報送信手段から送信される利用可能加算価値情報の受信に基づいて、当該受信した利用可能加算価値情報に含まれる会員識別情報に対応して前記利用可能加算価値情報記憶手段に記憶されている利用可能加算価値の大きさを特定可能な情報を、受信した利用可能加算価値情報に含まれる利用可能加算価値の大きさを特定可能な情報から特定される利用可能加算価値の大きさを特定可能な情報に更新する利用可能加算価値情報更新手段と、
前記確認情報を受信したときに、該確認情報に含まれる会員識別情報に対応付けて前記利用可能加算価値情報記憶手段に記憶されている利用可能加算価値の大きさを特定可能な情報から特定される利用可能加算価値の大きさを、受信した確認情報に含まれる前記加算価値特定情報から特定される加算価値の大きさが超過しているか否かを判定する判定手段と、
該判定手段における判定結果を前記入金装置に送信するための判定結果送信手段と、
を備え、
前記入金装置は、前記判定結果送信手段から送信される判定結果が利用可能加算価値の大きさを超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行うことを特徴としている。
この特徴によれば、会員遊技者が複数の口座特定用記録媒体を用いて、所有している複数の遊技場にて発行されたいずれの会員用記録媒体に記録されている遊技用価値特定情報に基づいて特定される遊技用価値の大きさへの前記口座決済遊技用価値加算処理を実施しても、該会員遊技者が会員となっている全ての遊技場における前記口座決済遊技用価値加算処理に供された加算価値の大きさの合計である総計加算価値の大きさが集計手段にて集計され、該集計された総計加算価値の大きさと上限値との差に基づく会員遊技者が前記口座決済遊技用価値加算処理に使用可能な加算価値の大きさを含む利用可能加算価値情報が場内管理装置に送信されて前記利用可能加算価値情報記憶手段に更新記憶されることで、新たに加算更新しようとする加算価値の大きさが、該利用可能加算価値情報記憶手段に記憶された利用可能加算価値の大きさを超過していないことを条件として新たに加算更新しようとする加算価値の大きさの前記口座決済遊技用価値加算処理が実施されるようになるため、会員遊技者が複数の口座特定用記録媒体であるキャッシュカードを使用したり、複数の遊技場に会員登録している場合であっても、のめり込みを防止することができる。
【００１３】
本発明の請求項７に記載の遊技用システムは、請求項５または６に記載の遊技用システムであって、
前記場内管理装置は、前記利用可能加算価値情報記憶手段に記憶している利用可能加算価値の大きさを特定可能な情報を前記入金装置に送信するための加算可能価値情報送信手段を備え、
前記入金装置は、前記加算可能価値情報送信手段から送信される情報から特定される利用可能加算価値の大きさを報知する利用可能加算価値報知手段を備えることを特徴としている。
この特徴によれば、会員遊技者は、前記口座決済遊技用価値加算処理に使用可能な加算価値の大きさである利用可能加算価値の大きさを把握することができる。
【００１４】
本発明の請求項８に記載の遊技用システムは、請求項５〜７のいずれかに記載の遊技用システムであって、
前記利用可能加算価値情報送信手段は、前記利用可能加算価値特定手段により特定される前記利用可能加算価値の大きさが、予め設定されている１回の前記口座決済遊技用価値加算処理により加算更新できる加算価値の大きさの上限値未満となったことを条件に、前記利用可能加算価値情報を送信することを特徴としている。
この特徴によれば、前記口座決済遊技用価値加算処理に使用可能な加算価値の大きさである利用可能加算価値の大きさが１回の前記口座決済遊技用価値加算処理に使用可能な加算価値の大きさの上限値以上である場合には、必然的に１回の前記口座決済遊技用価値加算処理に供される加算価値の大きさが利用可能加算価値の大きさ未満となるので、不必要に前記利用可能加算価値情報が送信されることを回避でき、集中管理装置と場内管理装置間の無駄な通信負荷を削減できる。
【００１５】
本発明の請求項９に記載の遊技用システムは、請求項１〜８のいずれかに記載の遊技用システムであって、
前記集中管理装置は、
新たに会員登録を実施して会員となった新規会員遊技者に付与された会員識別情報と該新規会員遊技者の属性情報とを入力するための入力手段を備え、
該入力された新規会員遊技者の属性情報と同一の属性情報が前記合計記憶手段或いは属性情報記憶手段に記憶されているときには、該属性情報に対応付けて該入力された新規会員遊技者の会員識別情報を更新記憶する一方、該入力された新規会員遊技者の属性情報と同一の属性情報が前記合計記憶手段或いは属性情報記憶手段に記憶されていないときには、該入力された属性情報と会員識別情報とを対応付けて、前記合計記憶手段或いは属性情報記憶手段に記憶することを特徴としている。
この特徴によれば、新たに新規会員遊技者の登録を実施した場合に、その新規会員遊技者が他の遊技場において会員登録しているときには、該新規会員遊技者の属性情報に対応する会員識別情報に当該新規会員遊技者の会員識別情報が追加されて更新記憶されるので、これら新規会員遊技者の属性情報と同一の属性情報の登録の有無を特定して新規会員遊技者の会員識別情報を当該属性情報に対応付けて更新記憶する手間を省くことができるばかりか、これら同一の属性情報が前記合計記憶手段或いは属性情報記憶手段に複数存在することによる不都合の発生も回避できる。
【００１６】
本発明の請求項１０に記載の遊技用システムは、請求項１〜９のいずれかに記載の遊技用システムであって、
前記会員用記録媒体を受付けて、該受付けた会員用記録媒体に記録されている前記遊技用価値特定情報並びに会員識別情報を読み出す会員用記録媒体読み出し手段と、
該会員用記録媒体読み出し手段にて読み出した会員識別情報を含む精算許諾要求を送信する精算許諾要求送信手段と、
該会員用記録媒体読み出し手段にて読み出した遊技用価値特定情報から特定される遊技用価値の大きさの少なくとも一部に相当する金額の貨幣を払い出すとともに、該貨幣の払い出しに供した遊技用価値の大きさを前記会員用記録媒体読み出し手段にて読み出した遊技用価値特定情報から特定される遊技用価値の大きさから減算更新する精算処理を実施する精算手段と、
を備える精算装置と、
前記各会員識別情報に対応付けて、該会員用遊技媒体から読み出した遊技用価値特定情報に基づいて特定される遊技用価値の大きさのうちの前記口座決済遊技用価値加算処理にて加算更新された加算価値の大きさに基づく遊技用価値の大きさと、最も直近の口座決済遊技用価値加算処理が実施された時点から遊技に使用された遊技用価値の大きさである直近使用価値の大きさを特定可能な情報を記憶するための残存遊技用価値記憶手段と、
前記精算許諾要求送信手段から送信される精算許諾要求を受信したときに、該精算許諾要求に含まれる会員識別情報に対応付けて前記残存遊技用価値記憶手段に記憶されている直近使用価値の大きさを特定可能な情報から特定される直近使用価値の大きさが予め設定された所定の大きさ以上であることを条件として、前記精算装置に対して受信した精算許諾要求に含まれる会員識別情報が記録されている会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさについて精算を許諾する旨の精算許諾を送信する精算許諾送信手段と、
を備える残存遊技用価値管理装置と、
を有し、
前記精算装置は、前記精算許諾送信手段からの精算許諾の受信に基づいて、受付けた会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさの前記精算処理を実施することを特徴としている。
この特徴によれば、最も直近の口座決済遊技用価値加算処理が実施された時点から遊技に使用された遊技用価値の大きさである直近使用価値の大きさが予め設定された所定の大きさ以上でないときには、精算処理が不可とされるので、例えば、口座から加算更新した加算価値の大きさによる遊技用価値の大きさが未使用にて精算されることにより、遊技場側が口座特定用記録媒体である例えばキャッシュカードを使用した決済に伴う手数料等の各種費用を負担することに見合った利益を得られなくなる不都合を回避することができる。
【００１７】
本発明の請求項１１に記載の遊技用システムは、請求項１〜１０のいずれかに記載の遊技用システムであって、
前記会員用記録媒体を受付けて、該受付けた会員用記録媒体に記録されている前記遊技用価値特定情報並びに会員識別情報を読み出す会員用記録媒体読み出し手段と、
該会員用記録媒体読み出し手段にて読み出した会員識別情報を含む精算許諾要求を送信する精算許諾要求送信手段と、
該会員用記録媒体読み出し手段にて読み出した遊技用価値特定情報から特定される遊技用価値の大きさの少なくとも一部に相当する金額の貨幣を払い出すとともに、該貨幣の払い出しに供した遊技用価値の大きさを前記会員用記録媒体読み出し手段にて読み出した遊技用価値特定情報から特定される遊技用価値の大きさから減算更新する精算処理を実施する精算手段と、
を備える精算装置と、
前記各会員識別情報に対応付けて、該会員用遊技媒体から読み出した遊技用価値特定情報に基づいて特定される遊技用価値の大きさのうちの前記口座決済遊技用価値加算処理にて加算更新された加算価値の大きさに基づく遊技用価値の大きさと、該会員遊技者の最も直近の口座決済遊技用価値加算処理が実施された時点からの遊技履歴に関する遊技履歴関連情報を記憶するための残存遊技用価値記憶手段と、
前記精算許諾要求送信手段から送信される精算許諾要求を受信したときに、該精算許諾要求に含まれる会員識別情報に対応付けて前記残存遊技用価値記憶手段に記憶されている遊技履歴関連情報が、予め設定された遊技履歴に関する所定条件を満たすことを条件として、前記精算装置に対して受信した精算許諾要求に含まれる会員識別情報が記録されている会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさについて精算を許諾する旨の精算許諾を送信する精算許諾送信手段と、
を備える残存遊技用価値管理装置と、
を有し、
前記精算装置は、前記精算許諾送信手段からの精算許諾の受信に基づいて、受付けた会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさの前記精算処理を実施することを特徴としている。
この特徴によれば、最も直近の口座決済遊技用価値加算処理が実施された時点からの遊技履歴に関する遊技履歴関連情報、例えば遊技時間が、予め設定された遊技履歴に関する所定条件、例えば遊技時間条件を満たさないときには、精算処理が不可とされるので、例えば、口座から加算更新した加算価値の大きさによる遊技用価値の大きさが、遊技時間が短い、例えば遊技することなしに未使用にて精算されることにより、遊技場側が口座特定用記録媒体である例えばキャッシュカードを使用した決済に伴う手数料等の各種費用を負担することに見合った利益を得られなくなる不都合を、回避することができる。
【発明を実施するための最良の形態】
【００１８】
本発明の実施例を以下に説明する。尚、以下の実施例では、遊技機としてパチンコ機を例に説明するが、本発明はこれに限定されるものではなく、その他の遊技機、例えばパチンコ玉が指触不能に封入された封入式パチンコ機や、遊技媒体としてコインやパチンコ玉を使用するスロットマシン、更には完全クレジット式のスロットマシン等にも適用可能である。
【実施例１】
【００１９】
本実施例１は、請求項１に対応しており、図１は、本実施例における遊技用システムの構成を示す図であって、この本実施例の遊技用システムは、遊技場内の所定位置、例えば遊技場において複数配置された遊技島（図示略）の島端等に設置され、当該遊技場において会員登録した会員遊技者に対して発行されたプリペイド機能を備える会員用記録媒体である会員カードに残存する遊技用価値の大きさである度数に、貨幣や口座特定用記録媒体であるキャッシュカードを使用して遊技用価値の大きさ（加算価値の大きさ）を加算更新するための入金装置２１と、会員カードに残存する遊技用価値である度数を、現金に精算するための精算装置２２と、これら入金装置２１や精算装置２２に接続され、当該遊技場において会員遊技者に発行された会員カードや、会員遊技者以外の一般のビジター遊技者に対して発行されるビジターカード（図示略）の管理等を実施する本発明における場内管理装置並びに残存遊技用価値管理装置としてのシステムコントローラ１００と、該システムコントローラ１００に接続され、会員カードやビジターカードや各遊技場に設置された入金装置２１におけるキャッシュカードを使用して会員カードに加算更新（入金）されたデビッド入金額を管理する本発明における集中管理装置としての管理サーバ１４０と、入金装置２１から送信される決済要求等を、デビット決済を実施するデビット決済管理サーバ１８０に中継するためのデビット決済端末１６０と、から主に構成されている。
【００２０】
また、前記システムコントローラ１００には、前記遊技島（図示略）に並設される遊技機であるカードリーダ式パチンコ機（以下パチンコ機）２に対して１対１に対応設置され、会員カードやビジターカードの挿入を受付けて遊技を実施するためのパチンコ球の貸出処理等を行うカードユニット３や、会員カードを所持する会員遊技者に関する遊技履歴を含む会員関連情報を管理する会員管理コンピュータ１２０が接続され、該システムコントローラ１００において、各会員カードやビジターカードに残存する遊技用価値である度数（残存度数）が管理されるとともに、該システムコントローラ１００が前記会員管理コンピュータ１２０から各会員遊技者の遊技履歴情報となる遊技時間を入手可能とされている。
【００２１】
これら遊技場内に設置されたシステムコントローラ１００、カードユニット３、会員管理コンピュータ１２０、入金装置２１、精算装置２２、デビット決済端末１６０とは、通信ケーブル８を介して双方向のデータ通信可能に接続され、これら各接続装置にはそれぞれローカルＩＰアドレスが付与されてローカルエリアネットワーク（ＬＡＮ）が形成されていて、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっている。
【００２２】
また、本実施例の管理サーバ１４０は会員カードやビジターカード等の管理を行うカード管理会社に設置されていて、複数の各遊技場に設置されたシステムコントローラ１００に通信回線１１を介してデータ通信可能に接続されている。そして、デビット決済管理サーバ１８０は、デビット決済を実施するデビット決済会社に設置されていて、各遊技場に設置されたデビット決済端末１６０と通信回線１２を介してデータ通信可能に接続されている。
【００２３】
まず、本実施例に用いた会員カードについて簡潔に説明すると、該会員カードは、略長方形のカード型に形成されているとともに、その中央位置に、非接触にて記録データの入出力（送受信）を行うための円形状とされたアンテナコイルと、記録データを電気的に書き換え可能に記憶する集積回路（ＩＣ）とが設けられた非接触会員カードとされており、これら会員カードは、前記入金装置２１や精算装置２２内に設けられている後述する各カードリーダライタ４４５、４１５に挿入されることで、該カードリーダライタ４４５、４１５から出力される電磁波が前記アンテナコイルに誘導起電力を生じさせて前記集積回路が動作可能に電力付勢されるとともに、前記アンテナコイルを介して後述するカードリーダライタ４４５、４１５との各種のデータ送受を電磁波により非接触にて実施可能とされている。
【００２４】
また、会員カードに搭載されている集積回路の内部メモリには、各会員カードを個別に識別可能とするとともに、当該会員カードを所持する会員遊技者を個々に特定可能とするための会員識別情報であるとともに、パチンコ機２における遊技に使用可能な遊技用価値である度数｛本実施例では金額を１００で除算した値（１００円＝１度数）｝の大きさを特定可能な遊技用価値特定情報である会員ＩＤや、当該会員カードが発行された発行遊技場を個々に特定可能な遊技場ＩＤ等の情報が書き換え不可に記録されているとともに、前記度数の大きさを特定可能な遊技用価値特定情報となる度数データが書き換え可能に記録されている。
【００２５】
次いで、本実施例の入金装置２１について図２〜図４を用いて説明すると、該入金装置２１は、遊技場内の所定位置、例えば図示しない遊技島の島端に配置され、その外観形状は図２に示すようになっている。該入金装置２１は、その前面に、会員カードへの加算更新（入金）が可能であることを会員遊技者に報知するための動作ランプ４０１と、紙幣を挿入可能とされた紙幣挿入口４３３と、該紙幣挿入口４３３に挿入された紙幣の返却を会員遊技者に報知する紙幣インジケータ４４２と、中止／返却ボタン４３６と、会員カード挿入口４３８と、該会員カード挿入口４３８からの会員カードの排出を報知する会員カードインジケータ４３９と、キャッシュカードを挿入及び返却可能なキャッシュカード挿入口４０２と、該キャッシュカード挿入口４０２からのキャッシュカードの排出を報知するキャッシュカードインジケータ４０３と、該入金装置２１の操作ガイドや利用可能金額等を表示するための表示部４０４及び会員遊技者が操作可能な入力部４０５からなる操作部４２７と、キャッシュカードを使用しての加算更新（デビット入金）を実施した際に発行されるレシートが排出されるレシート排出口４０８と、該レシート排出口４０８からレシートが排出されていることを報知するレシートインジケータ４０９とが設けられている。
【００２６】
前記操作部４２７は、該入金装置２１の前面に形成された凹部４２６の底面に設けられており、前記表示部４０４に表示される暗証番号や入力部４０５の入力内容等が第三者に容易に視認されてしまうことを極力回避できるようになっている。
【００２７】
また、該操作部４２７の入力部４０５には、図３に示すように、キャッシュカードを使用しての加算更新（デビット入金）を実施する際に操作するデビッドキースイッチ４２６や、現金による入金（現金入金）を実施する際に操作する現金キースイッチ４２７とともに、加算価値の大きさとなる入金金額を選択する各種金額に対応する金額入力キースイッチ４２２（１０００円、３０００円、５０００円、１００００円）と、後述する暗証番号を入力するためのテンキースイッチ４２３（０〜９）と、前記金額入力キースイッチ４２２やテンキースイッチ４２３による入力を訂正するキャンセルキースイッチ４２４と、前記紙幣挿入口４３３に投入した紙幣の合計金額を購入または入金金額として決定するとともに、前記テンキースイッチ４２３にて入力した暗証番号を決定する決定キースイッチ４２５とが設けられている。
【００２８】
このように本実施例では、金額入力キースイッチ４２２の操作に伴い、入金金額を１０００円、３０００円、５０００円、１００００円からのみ選択できるようになっており、選択可能な最大の金額を１００００円とすることで、１回の入金金額の上限が１００００円として設定されている。尚、本実施例では、このように入金金額を金額入力キースイッチ４２２の各金額から選択するようにしているが、本発明はこれに限定されるものではなく、これら入金金額を会員遊技者が前記テンキースイッチ４２３より直接入力するようにしても良い。
【００２９】
この入金装置２１の構成は、図４のブロック図に示すようになっており、本実施例の入金装置２１は、前記動作ランプ４０１や、紙幣インジケ−タ４４２や、中止／返却ボタン４３６や、会員カードインジケータ４３９や、キャッシュカードインジケータ４０３や、表示部４０４や、入力部４０５や、レシートインジケータ４０９とともに、前記紙幣挿入口４３３に連設されて投入紙幣の検出および該紙幣の種別と真贋の識別を行い、投入された紙幣が正規の紙幣である場合に該投入された紙幣を図示しない紙幣ストッカーに貯留するとともに、正規の紙幣でない場合に投入された紙幣を前記紙幣挿入口４３３より返却する紙幣識別ユニット４４４を備える。
【００３０】
更に、前記会員カード挿入口４３８に連設され、挿入される会員カードに記録されている会員ＩＤや度数データ等の各種記録情報の読み出しを行うとともに、度数データ等の更新記録を非接触にて実施する本発明における会員用記録媒体読み出し手段となるカードリーダライタ４４５や、前記キャッシュカード挿入口４０２に連設され、挿入されるキャッシュカードより預金口座を特定可能な口座特定情報となる口座情報を含む記録情報の読み出しを実施する本発明における口座特定用記録媒体読み出し手段となるキャッシュカードリーダ４１３や、前記レシート排出口４０８に連設され、内部に収容されたプリント紙に入金金額等が記載される利用明細としてのレシートを印刷して前記レシート排出口４０８に排出するプリンタ４１４を備える。
【００３１】
更に、前記表示部４０４の表示動作の制御を行う表示ドライバ４１７と、前記会員カードより読み出しまたは書き込みされる各種情報や、後述するマイクロプロセッシングユニット（ＭＰＵ）４４８が実施する入金装置２１が実施する各種の処理内容が記述された制御プログラム等を記憶する記憶部４４６と、前記システムコントローラ１００やデビット決済端末１６０と通信ケーブル８を介してデータ送受を行うための通信部４２９と、挿入されている会員カードの残存度数への加算更新（入金）や各部の制御等を行うマイクロプロセッシングユニット（ＭＰＵ）４４８と、を備えており、これら入金装置２１に設けられている各部は、図４に示すようにＭＰＵ４４８と電気的に接続されることで、その動作がＭＰＵ４４８にて制御される。
【００３２】
また、本実施例の入金装置２１のＭＰＵ４４８は、前記カードリーダライタ４４５に受付け中の前記会員カードから読み出した会員ＩＤと度数データと、前記金額入力キースイッチ４２２にて受付けた加算価値の大きさを特定可能な加算価値特定情報となる入金金額と当該入金装置２１に固有に付与された装置ＩＤとを含む確認情報を、前記システムコントローラ１００を通じて管理サーバ１４０に対して送信する確認情報送信処理を実施し、該確認情報送信処理によって本発明における確認情報送信手段が形成されている。
【００３３】
また、本実施例の入金装置２１のＭＰＵ４４８は、前記口座特定用記録媒体読み出し手段にて読み出した預金口座を特定可能な情報（口座情報）と前記金額入力キースイッチ４２２にて受付けた加算価値の大きさである入金金額を特定可能な加算価値特定情報となる入金金額と、該口座情報から特定される口座からの該入金金額の引き落としを要求する旨とを含む本発明の決済要求となる決済要求並びに暗証番号とを遊技場外に設置されている決済処理機関に送信するための決済要求送信処理を実施し、該決済要求送信処理によって本発明における決済要求送信手段が形成されている。
【００３４】
また、本実施例の入金装置２１のＭＰＵ４４８は、該決済要求送信処理における決済要求並びに暗証番号の送信に応じて決済処理機関であるデビット決済会社に設置されたデビット決済管理サーバ１８０から返信される決済を許諾する旨を示す決済許諾情報となる後述する暗証番号が一致した旨の「ＯＫ」の照合結果を受信する照合結果受信処理を実施し、該照合結果受信処理によって本発明における決済許諾情報受信手段が形成されている。
【００３５】
また、本実施例の入金装置２１のＭＰＵ４４８は、前記照合結果受信処理にて受信した決済許諾情報となる暗証番号が一致した旨の「ＯＫ」の照合結果の受信に基づいて、前記金額入力キースイッチ４２２にて受付けた入金金額に相当する度数の大きさを、前記カードリーダライタ４４５にて読み出した度数データに基づいて特定される度数の大きさに加算更新する本発明における口座決済遊技用価値加算処理となるデビッド入金処理を実施し、該デビッド入金処理によって本発明における口座決済遊技用価値加算手段が形成されている。
【００３６】
また、本実施例の入金装置２１のＭＰＵ４４８は、前記管理サーバ１４０にて実施される後述する判定結果送信処理にて送信される判定結果が、設定されているデビット入金額の上限値である利用限度額（上限金額）を超過していないことを示す判定結果であることを条件に、前記決済要求送信処理を実施して決済要求を送信し、該決済要求の送信に応じてデビット決済会社から返信される「ＯＫ」の照合結果を前記照合結果受信処理にて受信したことに基づいて前記口座決済遊技用価値加算処理となるデビッド入金処理を行う。
【００３７】
また、本実施例の入金装置２１のＭＰＵ４４８は、前記デビッド入金処理（口座決済遊技用価値加算処理）に供された加算価値の大きさである入金金額と、前記カードリーダライタ４４５により前記会員カードから読み出した会員ＩＤと、入金種別（デビッド入金、または現金入金）とを含む本発明における価値加算情報となる入金情報を、前記システムコントローラ１００並びに該システムコントローラ１００を通じて管理サーバ１４０に対して送信する入金情報送信処理を実施し、該入金情報送信処理によって本発明における価値加算情報送信手段が形成されている。
【００３８】
また、入金装置２１は、図１に示すように、通信ケーブル８を介して前記システムコントローラ１００とデビット決済端末１６０とに接続されており、システムコントローラ１００に対して前記確認情報や入金情報を送信することで、該システムコントローラ１００において、各会員カードに残存する残存度数や、該残存度数の内訳（現金入金に基づくものか、或いはデビット入金に基づくものか）や、直近の入金種別（現金かデビッドか）や、直近のデビット入金が実施された時点からの総使用度数や、直近のデビット入金が実施された時点からの総遊技時間が管理されるとともに、前記キャッシュカードリーダ４１３により読み取られたキャッシュカードの記録情報（口座情報）や入金金額の情報を含む決済要求がデビット決済端末１６０に出力され、該決済要求が前記通信回線１２を通じてデビット決済会社（ＪＤセンター）に設置されているデビット決済管理サーバ１８０に送信されて決済の可否、具体的には、決済の可である場合に暗証番号送信要求がデビット決済端末１６０に返信されて入金装置２１に中継されることで、入金装置２１にて暗証番号の受付けが実施されて、該受付けられた暗証番号がデビット決済端末１６０を介してデビット決済管理サーバ１８０に送信され暗証番号の照合が実施され、照合結果が入金装置２１に返信されることで、該照合結果が「ＯＫ」の場合においてデビット入金を実施できるようになっている。
【００３９】
次いで、本実施例に用いた精算装置２２を図５並びに図６に基づき説明すると、該精算装置２２は、遊技場内の所定位置、例えば図示しない遊技島の島端に配置され、その外観形状は前記遊技島１の端部位置等の遊技場内の所定位置に配置され、その外観形状は図５に示すようになっており、その前面に、精算が可能であることを遊技者に報知するための動作表示部５０１と、精算する会員カードが挿入可能とされているカード挿入口５０２と、該カード挿入口５０２に会員カードが受付け中であることを点滅により報知するカードインジケータ５０３と、前記カード発行口５０２に挿入された会員カードの記録情報である度数データより特定される度数に相当する精算金額を表示するための金額表示部５０７と、前記金額表示部５０７に表示されている精算金額の精算を実施する際に入力操作される精算ボタン５１０と、該精算処理を中断する際に操作される中止ボタン５０９と、精算に伴い払い出される硬貨が排出されるコイン排出口５１１と、該コイン排出口５１１からの硬貨の排出を点滅により報知するコインインジケータ５１２と、精算に伴い払い出される紙幣が排出される紙幣排出口５１３と、該紙幣排出口５１３からの紙幣の排出を点滅により報知する紙幣インジケータ５１４と、が設けられている。
【００４０】
この精算装置２２の構成について説明すると、該精算装置２２は、前記動作表示部５０１や、金額表示部５０７や、精算ボタン５１０や、中止ボタン５０９や、カードインジケータ５０３や、紙幣インジケータ５１４や、コインインジケータ５１２に加えて、図６に示すように、前記カード挿入口５０２に連設され、会員カードの記録情報の読み出し並びに書き込み（更新記録）を行う本発明における会員用記録媒体読み出し手段となるカードリーダライタ５１５と、前記コイン排出口５１１に連設され、硬貨の払い出しを実施する硬貨払出ユニット５１８と、前記紙幣排出口５１３に連設され、紙幣の払い出しを実施する紙幣払出ユニット５１９と、前記金額表示部５０７の表示動作の制御を行う表示ドライバ５２０と、前記会員カードより読み出された各種データ等が記憶されるとともに、後述するＭＰＵ５２３が実施する精算装置２２が実施する各種の処理内容が記述された制御プログラム等を記憶する記憶部５２１と、通信ケーブル８を介して前記システムコントローラ１００とデータ通信を行うための通信部５２２と、これら各部の制御等を行うマイクロプロセッシングユニット（ＭＰＵ）５２３と、を具備し、これら精算装置２２に設けられている各部は、図６に示すようにＭＰＵ５２３と電気的に接続されることで、その動作がＭＰＵ５２３にて制御される。
【００４１】
また、本実施例の精算装置２２のＭＰＵ５２３は、会員用記録媒体読み出し手段にて読み出した会員識別情報を含む精算許諾要求を送信する精算許諾要求送信処理を実施し、該精算許諾要求送信処理によって本発明の精算許諾要求送信手段が形成されている。
【００４２】
また、本実施例の精算装置２２のＭＰＵ５２３は、前記システムコントローラ１００にて実施される後述する精算許諾送信処理にて送信される精算許諾の受信に基づいて、受付けた会員カードから読み出した度数データにて特定される度数の大きさに相当する金額の貨幣を払い出すとともに、該貨幣の払い出しに供した度数の大きさをカードリーダライタ５１５にて読み出した度数データから特定される度数の大きさから減算更新する（具体的に度数０に度数データを更新する）精算処理を実施し、該精算処理によって本発明の精算手段が形成されている。
【００４３】
次に、本実施例に用いたシステムコントローラ１００について説明すると、該システムコントローラ１００は、図７に示すように、コンピュータ内部にてデータの送受を行うデータバス１０１に、後述するカードマスターテーブル等の各種データベースの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、前記入金装置２１や精算装置２２並びに会員管理コンピュータ１２０やカードユニット３とのデータ通信を行う通信部１０９、前記カード会社に設けられた管理サーバと電話回線を通じてデータ通信を可能とするためのデジタルサービスユニット（ＤＳＵ）１１１が接続された通常のコンピュータである。
【００４４】
また、前記記憶装置１０５には、該システムコントローラ１００の処理を実施するための処理プログラムに加えて、図８に示すカードマスターテーブルが記憶されており、該カードマスターテーブルには、各会員カードに記録されている遊技用価値特定情報となる会員ＩＤに対応付けて、該会員カードに残存する遊技用価値である度数の大きさである残存度数と、該残存度数の内で入金装置２１における現金を使用しての現金入金に基づく残存度数である現金入金残存度数と、前記残存度数の内で入金装置２１におけるキャッシュカードを使用してのデビッド入金に基づく残存度数であるデビット入金残存度数と、直近（前回）の入金の入金種別（現金入金またはデビット入金）と、前回の入金種別がデビット入金である場合において、該デビット入金が実施された時点から遊技に使用された度数が累積加算されるデビッド入金からの使用度数と、前回の入金種別がデビット入金である場合において、該デビッド入金からの遊技時間が累積加算されるデビッド入金からの遊技時間と、その会員カードが使用不可であるかを示す使用不可情報とが記憶されていて、これらカードマスターテーブルに記憶されている残存度数と、当該残存度数に対応する会員ＩＤが記録されている会員カードに記録されている度数データから特定される度数の大きさとが一致するように更新、管理されることで、会員ＩＤにより各会員カードの残存度数が特定可能とされているとともに、管理サーバ１４０から一日毎に送信される運用情報に含まれるブラックリスト等に含まれる会員ＩＤに対応する使用不可情報（フラグ）が使用不可「１」として更新されることで、該会員カードの使用が禁止されるようになっている。
【００４５】
このカードマスターテーブルでは、前述のように各会員ＩＤに対応付けて、直近（前回）の入金の入金種別がデビット入金である場合に、該デビット入金が実施された時点から遊技に使用された度数がデビッド入金からの総使用度数の大きさに累積加算されることで、当該直近（前回）のデビット入金が実施された時点から遊技に使用された本発明における直近使用価値の大きさとなる総使用度数の大きさを特定可能できるようになっているとともに、前述のように各会員ＩＤに対応付けてデビッド入金からの総遊技時間が記憶されていることにより、各会員遊技者の最も直近のデビッド入金が実施された時点からの遊技履歴に関する遊技履歴関連情報となる前回のデビッド入金からの遊技時間を特定できるようになっていて、該カードマスターテーブルによって本発明における残存遊技用価値記憶手段が形成されている。
【００４６】
また、本実施例のシステムコントローラ１００の前記ＣＰＵ１０２は、カードユニット３から度数の使用に基づいて送信される会員ＩＤと使用度数とを含む使用情報の受信や、会員カードの返却に基づいて送信される会員ＩＤを含む返却情報の受信や、入金装置２１から送信される入金情報や精算装置２２から送信される精算情報に基づいて、カードマスターテーブルにおいて受信した各種の情報に含まれる会員ＩＤに対応付けて記憶されている残存度数等の各種のデータを更新するカードマスターテーブル更新処理を実施する。
【００４７】
このカードマスターテーブル更新処理におけるカードマスターテーブルの更新状況について、例えば、図８の会員ＩＤ「Ｋ０１−００００１」の会員遊技者が、カードユニット３にて遊技を実施した場合を例に以下に説明すると、該会員ＩＤ「Ｋ０１−００００１」の会員遊技者がカードユニット３に会員カードを挿入すると、該カードユニット３に内在されているカードリーダライタにより会員カードに記録されている会員ＩＤや度数データ等の記録情報が読み出されて、システムコントローラ１００に対して、読み出した会員ＩＤと度数データを含む使用許諾要求が送信される。
【００４８】
この使用許諾要求の受信に基づいてシステムコントローラ１００の前記ＣＰＵ１０２は、前記カードマスターテーブルに受信した使用許諾要求に含まれる会員ＩＤ「Ｋ０１−００００１」に対応付けて記憶されている残存度数の大きさと受信した使用許諾要求に含まれる度数データから特定される度数の大きさを比較して照合するとともに、使用不可フラグをチェックして、度数の照合が一致するとともに、使用不可フラグに不可を示す「１」が記憶されていないときに、使用許諾をカードユニット３に返信する。
【００４９】
そして、該使用許諾の受信に基づいて、カードユニット３からは、図１３に示すように、会員ＩＤ「Ｋ０１−００００１」を含む会員カード受付け通知が会員管理コンピュータ１２０に送信されることで、該会員管理コンピュータ１２０において、当該会員ＩＤ「Ｋ０１−００００１」に対応付けて記憶されている遊技開始時間が更新記憶されるともに、カードユニット３から送信される、当該カードユニット３が対応するパチンコ機２における大当り情報や確変情報や始動情報に基づいて、始動回数や大当り回数や確変回数等の各種の遊技履歴の更新記憶が開始される。
【００５０】
そして、該会員遊技者が度数を遊技に使用するために貸出操作を実施した場合には、カードユニット３からシステムコントローラ１００に対して、使用された度数の大きさである、例えば５００円分となる５度数を示す度数データと、会員ＩＤ「Ｋ０１−００００１」とを含む使用情報が送信されることで、システムコントローラ１００は、カードマスターテーブルに記憶されている受信した使用情報に含まれる会員ＩＤ「Ｋ０１−００００１」に対応付けて記憶されている残存度数である１１０度数から使用度数５度数を減算更新して残存度数を１０５度数とするとともに、対応する直近の入金種別に記憶されている入金種別である「デビット入金」に該当しない入金種別、つまりは直近の入金種別ではない現金入金に基づく残存度数である現金入金残存度数である１０度数から該５度数を減算して、１０度数を５度数に更新する。尚、この際、例えば現金入金残存度数に例えば３度数しか残存していない場合には、減算不能であった２度数を、デビット入金残存度数である１００度数から減算更新して９８度数とする。つまりは、古い入金による残存度数から、順次使用度数が減算更新されていく。
【００５１】
そして、該更新した残存度数に対応する直近の入金種別にデビット入金を示すデビッドが記憶されている場合には、対応するデビッド入金からの使用度数に、該使用情報に含まれる使用された度数の大きさである５度数を加算更新する。
【００５２】
そして、該会員遊技者が遊技を終了するために返却操作を実施した場合には、カードユニット３から会員管理コンピュータ１２０に会員ＩＤ「Ｋ０１−００００１」を含む会員カード返却通知が送信されることにより、当該会員ＩＤ「Ｋ０１−００００１」に対応付けて記憶されている遊技終了時間が記憶されることで遊技時間が会員管理コンピュータ１２０にて算出可能に管理される。
【００５３】
また、会員遊技者が返却操作を実施した場合には、カードユニット３からシステムコントローラ１００に対して、会員ＩＤ「Ｋ０１−００００１」を含む返却情報が送信されることで、システムコントローラ１００は、カードマスターテーブルに記憶されている受信した返却情報に含まれる会員ＩＤ「Ｋ０１−００００１」に対応付けて記憶されている直近の入金種別にデビット入金を示すデビッドが記憶されている場合には、図１３に示すように、前記会員管理コンピュータ１２０に該返却情報に含まれる会員ＩＤを含む遊技時間送信要求を送信して、会員管理コンピュータ１２０から該会員ＩＤに対応して記憶、管理されている遊技開始時間と遊技終了時間とから算出される遊技時間を入手し、該入手した遊技時間を、受信した返却情報に含まれる会員ＩＤに対応してカードマスターテーブルに記憶されているデビッド入金からの遊技時間に加算更新する。
【００５４】
また、本実施例のシステムコントローラ１００の前記ＣＰＵ１０２は、精算装置２１から送信される精算許諾要求を受信したときに、該精算許諾要求に含まれる会員ＩＤに対応付けて前記カードマスターテーブルに記憶されているデビット入金からの使用度数に記憶されている度数の大きさが予め設定された所定の大きさである後述する最低利用度数（本実施例では２０００円に相当する２０度数）以上であることを条件として、前記精算装置２２に対して受信した精算許諾要求に含まれる会員ＩＤが記録されている会員カードに残存する度数の精算を許諾する旨の精算許諾を送信する精算許諾送信処理を実施し、該精算許諾送信処理にて本発明における精算許諾送信手段が形成されている。
【００５５】
また、本実施例のシステムコントローラ１００の前記ＣＰＵ１０２は精算装置２１から送信される精算許諾要求を受信したときに、該精算許諾要求に含まれる会員ＩＤに対応付けて前記カードマスターテーブルに記憶されている遊技履歴関連情報となるデビッド入金からの遊技時間が、予め設定された遊技履歴に関する所定条件である後述する最低遊技時間（本実施例では１０分）を満たすことを条件として、前記精算装置２２に対して受信した精算許諾要求に含まれる会員ＩＤが記録されている会員カードに残存する度数の精算を許諾する旨の精算許諾を送信する精算許諾送信処理を実施し、該精算許諾送信処理にて本発明における精算許諾送信手段が形成されている。
【００５６】
また、本実施例のシステムコントローラ１００の前記ＣＰＵ１０２は、入金装置２１から送信される前記確認情報や入金情報に当該遊技場の遊技場ＩＤを付加して管理サーバ１４０に中継するとともに、前記確認情報の送信に基づいて管理サーバ１４０から返信されてくる判定結果を、当該判定結果に含まれる装置ＩＤの入金装置２１に中継する中継処理を実施する。
【００５７】
次に、本実施例に用いた集中管理装置となる管理サーバ１４０について説明すると、管理サーバ１４０は、図９に示すように、コンピュータ内部にてデータの送受を行うデータバス１４１に、該管理サーバ１４０が実施する各遊技場にて使用される会員カードやビジターカードに残存する残存度数や使用度数、発行度数や入金度数の管理を行うための処理や、後述する記憶装置１４５に記憶されている各テーブルを更新する処理等の各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、通信回線１１を通じて各遊技場に設置されたシステムコントローラ１００とのデータ通信を行うための本発明における入力手段となるデジタルサービスユニット（ＤＳＵ）１４８とが接続された処理能力に優れたサーバ用のコンピュータである。
【００５８】
また、記憶装置１４５には、管理サーバ１４０が実施する各種処理内容が記述された処理プログラムに加えて、会員カードやビジターカードに残存する残存度数や入金金額等のデータ等が記憶されるカード管理ＤＢや、図１０（ａ）に示す遊技場別会員情報データベースや、図１０（ｂ）に示す会員ＩＤテーブルや、図１１に示す会員別入金履歴テーブルが記憶されている。
【００５９】
この実施例の遊技場別会員情報データベースには、図１０（ａ）に示すように、個々の遊技場毎に、各遊技場において会員登録した会員遊技者の会員ＩＤと、暗証番号と、来店ポイントと、来店回数と、会員の氏名（名字並びに名前）、性別、年齢、誕生日、職業、住所、電子メールアドレスから成る会員属性情報が記憶されており、これら遊技場別会員情報データベースの記憶データは、図１３に示すように、各遊技場に設置された会員管理コンピュータ１２０において新規の会員登録の受付けが、図示しない会員登録画面において、当該新規会員の氏名や、年齢、誕生日、職業、住所、電子メールアドレス等の属性情報の入力されることで実施された場合に、システムコントローラ１００に対して送信されることで該システムコントローラ１００を介して該管理サーバ１４０に送信されてくる新規会員登録情報や、会員登録内容の変更の受付けに基づいて会員管理コンピュータ１２０からステムコントローラ１００に対して送信されることで該システムコントローラ１００を介して該管理サーバ１４０に送信されてくる図示しない会員変更情報の受信に基づいて更新記憶される。
【００６０】
具体的に、これら新規会員登録情報の受信に基づいて遊技場別会員情報データベースが更新される処理内容について、図１４に基づいて説明すると、システムコントローラ１００が、会員管理コンピュータ１２０から新規会員に付与された会員ＩＤと、会員登録画面において入力を受付けた氏名や、年齢、誕生日、職業、住所、電子メールアドレス等の属性情報を含む新規会員登録情報を受信した場合には、該受信した新規会員登録情報に遊技場ＩＤを付加して管理サーバ１４０に中継することで、該新規会員登録情報を受信した管理サーバ１４０のＣＰＵ１４２は、受信した新規会員登録情報に含まれる氏名と電子メールアドレスと同一の氏名、電子メールアドレスの登録が会員ＩＤテーブルに存在するかを判定し、同一の氏名、電子メールアドレスが存在する場合には、新規会員登録情報に含まれる会員ＩＤを、会員ＩＤテーブルの該氏名、電子メールアドレスに対応する受信した遊技場ＩＤの項目に記憶して追加登録し、同一の氏名、電子メールアドレスが存在しない場合には、受信した新規会員登録情報に含まれる氏名と電子メールアドレスとを新規に会員ＩＤテーブル並びに会員別入金履歴テーブルに登録（記憶）するとともに、該受信した新規会員登録情報に含まれる会員ＩＤを、該新規に登録（記憶）した氏名、電子メールアドレスに対応する受信した遊技場ＩＤの項目に記憶することで、属性情報である氏名、電子メールアドレスと会員ＩＤとを対応付けて記憶する。
【００６１】
また、本実施例の会員ＩＤテーブルには、図１０（ｂ）に示すように、前記遊技場別会員情報データベースにおいて同一の氏名と電子メールアドレスとに対応付けて記憶されている会員ＩＤを抽出して特定し、該特定した各会員遊技者の氏名と電子メールアドレスに対応付けて、当該会員遊技者が会員となっている遊技場の遊技場ＩＤに対応する項目には、当該遊技場における当該会員遊技者の会員ＩＤを記憶（登録）するとともに、当該会員遊技者が会員ではない遊技場の遊技場ＩＤに対応する項目には「−」を記憶（登録）することによって、各会員遊技者がどの遊技場において会員となっているかとともに、会員となっている各遊技場における当該会員遊技者の会員ＩＤを簡便に特定できるようになっており、このようにすることで、会員遊技者が会員となっている１つの遊技場の遊技場ＩＤと会員ＩＤに対応付けて前記遊技場別会員情報データベースに記憶されている氏名と電子メールアドレスとを特定し、該特定した氏名と電子メールアドレスに対応付けて該会員ＩＤテーブルに記憶されている会員ＩＤと該会員ＩＤに対応する遊技場ＩＤを特定することで、当該会員遊技者が会員となっている全ての遊技場とその遊技場における会員ＩＤとを簡便に特定できるようになっている。
【００６２】
また、本実施例の会員別入金履歴テーブルには、図１１に示すように、各会員遊技者の氏名と電子メールアドレスに対応付けて、当該会員遊技者がデビット入金を実施した日付毎に、デビット入金を実施した遊技場の遊技場ＩＤ（複数可）と、該遊技場における会員ＩＤ（複数可）と、その遊技場において該会員ＩＤが記録された会員カードにデビット入金された加算価値の大きさの一日の累計となる累計デビッド入金額（複数可）とが記憶されるとともに、各日付毎に累計デビッド入金額が合計された日合計金額が記憶されるとともに、各氏名と電子メールアドレス毎に、最近一ヶ月内の各日付の合計値である月合計値が記憶されるようになっており、これら会員別入金履歴テーブルの入金履歴情報は、前記入金装置２１においてデビット入金されることに基づいて該入金装置２１から送信されるデビット入金の入金種別を含む入金情報がシステムコントローラ１００にて中継されてくることにより、該受信した入金情報に含まれる入金金額が、受信した入金情報に付加されている遊技場ＩＤと会員ＩＤに対応する累計デビッド入金額に加算更新されるとともに、日合計金額並びに月合計値が更新されることで、会員遊技者が会員登録した全ての遊技場において所定期間である一日並びに最近一ヶ月間にデビッド入金処理により加算更新（入金）した入金金額の合計となる日合計金額並びに月合計値が記憶されるようになっている。
【００６３】
つまり、本実施例では、前記会員ＩＤテーブルにおいて、各会員遊技者の属性情報となる氏名と電子メールアドレスと該会員遊技者が会員登録した全ての遊技場における各会員ＩＤとが対応付けて記憶されるとともに、会員別入金履歴テーブルにおいて各会員遊技者の属性情報となる氏名と電子メールアドレスと該会員遊技者が会員登録した全ての遊技場において所定期間となる一日並びに最近一ヶ月間にデビッド入金処理により加算更新（入金）した入金金額の合計となる日合計金額並びに月合計値が記憶されることで、これら属性情報となる氏名と電子メールアドレスを介して該会員遊技者が会員登録した全ての遊技場における各会員ＩＤと全ての遊技場においてデビッド入金処理により加算更新（入金）した入金金額の合計とが対応付けて記憶されており、すなわち、各会員遊技者の属性情報となる氏名と電子メールアドレスと該会員遊技者が会員登録した全ての遊技場における各会員ＩＤと全ての遊技場においてデビッド入金処理により加算更新（入金）した入金金額の合計とが対応付けて記憶されており、これら会員ＩＤテーブル並びに会員別入金履歴テーブルによって本発明における合計記憶手段が形成されている。
【００６４】
このように、本実施例の管理サーバ１４０のＣＰＵ１４２は、前記価値加算情報となる入金情報の受信に基づいて、該受信した入金情報に含まれる会員ＩＤ並びに該入金情報に付加されている遊技場ＩＤに対応付けて前記合計記憶手段を成す会員別入金履歴テーブルに記憶されている累計デビッド入金額に該受信した入金情報に含まれる入金金額を加算更新するとともに、該更新した累計デビッド入金額に対応する日合計金額並びに月合計値を更新（日合計金額並びに月合計値に入金情報に含まれる入金金額を加算更新することと同義）する会員別入金履歴テーブル更新処理を実施し、該会員別入金履歴テーブル更新処理によって本発明における加算更新手段が形成されている。
【００６５】
また、本実施例の管理サーバ１４０のＣＰＵ１４２は、システムコントローラ１００から送信されてくる新規会員登録情報をＤＳＵ１４８にて受信する新規会員登録情報受信処理を実施し、該新規会員登録情報受信処理並びにＤＳＵ１４８によって本発明における入力手段が形成されている。
【００６６】
また、本実施例の管理サーバ１４０のＣＰＵ１４２は、表示装置１４６に図１２（ａ）に示す利用限度額設定画面を表示して、所定期間とする対象期間と、該所定期間において会員遊技者がデビッド入金に使用できる加算価値の大きさの上限値となる利用限度額とを受付け、該受付けた設定内容を記憶することで設定する利用限度額設定処理を実施し、該利用限度額設定処理にて本発明の上限値設定手段が形成されている。
【００６７】
尚、本実施例では、前記利用限度額設定画面において、図１２（ａ）に示す如く、利用限度額１と利用限度額２との２つの異なる対象期間における利用限度額を設定可能とされていて、いずれか一方の利用限度額を超過した場合において、デビッド入金が不可とされる。
【００６８】
また、本実施例の管理サーバ１４０のＣＰＵ１４２は、表示装置１４６に図１２（ｂ）に示す精算可能条件設定画面を表示して、各遊技場に設置されている精算装置２２における精算を可能とする条件、具体的には、前記システムコントローラ１００にてカードマスターテーブルに記憶、管理されているデビッド入金からの総使用度数、つまりは、直近のデビッド入金が実施された時点から遊技に使用された使用度数の大きさの下限値を設定するための最低利用金額の項目と、カードマスターテーブルに記憶、管理されているデビッド入金からの総遊技時間、つまりは、直近のデビッド入金が実施された時点から遊技が実施された時間の下限値を設定するための最低遊技時間の項目とが設けられていて、これらの各項目の設定内容を受付けるとともに、該受付けた設定内容を含む設定情報を、各遊技場に設置されているシステムコントローラ１００に送信することで設定する精算可能条件設定処理を実施し、これら設定情報の受信に基づいて、システムコントローラ１００は、該受信した設定情報を記憶する。尚、本実施例では、これら精算可能条件設定画面の各項目に、図１２（ｂ）に示す如く「する」に対応してチェックボックスが設けられており、該チェックボックスをチェックすることで、各項目の設定が可能とされる。
【００６９】
また、本実施例の管理サーバ１４０のＣＰＵ１４２は、前記確認情報を受信したときに、受信した確認情報に付加されている遊技場ＩＤと受信した確認情報に含まれる会員ＩＤとに対応付けて会員ＩＤテーブルに記憶されている氏名と電子メールアドレスを特定するとともに、該特定した氏名と電子メールアドレスに対応付けて前記会員別入金履歴テーブルに記憶されている、日合計金額や月合計値を特定、つまりは、会員属性情報である氏名と電子メールアドレスを介して受信した遊技場ＩＤと会員ＩＤとに対応付けられている日合計金額や月合計値を特定し、該特定した日合計金額や月合計値と受信した確認情報に含まれる入金金額（加算価値特定情報から特定される加算価値の大きさ）とを合算した合算金額が、前記利用限度額設定処理にて設定されている当該所定期間（本実施例では１日または１ヶ月）における利用限度額を超過しているか否かを判定する判定処理を実施し、該判定処理によって本発明における判定手段が形成されている。
【００７０】
また、本実施例の管理サーバ１４０のＣＰＵ１４２は、前記判定処理の契機となった確認情報の受信において受信した当該確認情報に含まれる装置ＩＤと、該判定処理における判定内容とを含む判定結果を、当該確認情報に含まれる遊技場ＩＤから特定される遊技場に設置されているシステムコントローラ１００を介して入金装置２１に送信する判定結果送信処理を実施し、該判定結果送信処理によって本発明における判定結果送信手段が形成されている。
【００７１】
以下、本実施例の前記入金装置２１にて会員遊技者が現金入金並びにデビッド入金を実施することに伴う本実施例の遊技用システムの各処理状況について、図１４と図１５に基づいて以下に説明する。
【００７２】
会員遊技者が、自分が所有する会員カードに入金を実施したい場合には、入金装置２１の会員カード挿入口４３８に会員カードを挿入する。
【００７３】
この会員カードの挿入に基づいて入金装置２１（ＭＰＵ４４８）は、該挿入された（受付けた）会員カードに記録されている記録情報である会員ＩＤと度数データとをカードリーダライタ４４５により読み出して、該読み出した会員ＩＤと度数データを一時記憶するとともに、該読み出された度数データから特定される度数の大きさに相当する残存金額と、前記デビッドキースイッチ４２６または現金キースイッチ４２７の選択操作により入金方法（入金種別）の選択を促す旨のメッセージを表示部４０４に表示する。
【００７４】
このメッセージ表示に基づいて会員遊技者は、現金（貨幣）を使用して入金を実施したい場合には現金キースイッチ４２７を操作し、キャッシュカードを使用したデビッド入金を実施したい場合にはデビッドキースイッチ４２６を操作する。
【００７５】
まず、会員遊技者が現金キースイッチ４２７を操作した場合における、現金入金の流れについて説明すると、この現金キースイッチ４２７の操作検出に基づいて入金装置２１のＭＰＵ４４８は、図１５に示すＡに移行して、前記カードリーダライタ４４５にて受付けた会員カードから読み出して一時記憶している度数データから特定される度数の大きさが、入金可能な所定値（本実施例では１０００円に相当する１０度数）以下であるか否かを判定し、該所定値以下でない場合には処理を中断し、所定値以下である場合においては、前記にて一時記憶している会員ＩＤと度数データと当該入金装置２１に固有に付与された装置ＩＤとを含む使用許諾要求を、システムコントローラ１００に送信する。
【００７６】
この使用許諾要求の受信に基づいてシステムコントローラ１００（ＣＰＵ１０２）は、受信した使用許諾要求に含まれる会員ＩＤがカードマスターテーブルに存在するか否かを特定するとともに、存在する場合には、該会員ＩＤに対応付けてカードマスターテーブルに記憶されている残存度数の大きさを特定して、該残存度数の大きさと受信した使用許諾要求に含まれる度数データから特定される度数の大きさとを照合するとともに、該カードマスターテーブルに受信した使用許諾要求に含まれる会員ＩＤに対応付けて記憶されている使用可否の記憶内容から当該会員カードの使用可否を判定して、度数の照合が一致するとともに、使用可否を判定結果が使用可である場合において使用許諾を入金装置２１に返信する。尚、度数の照合が不一致、または、使用可否を判定結果が使用不可である場合には、使用不可を示す使用不可情報が入金装置２１に送信されて、受付け中の会員カードが返却される。
【００７７】
該使用許諾の受信に基づいて入金装置２１（ＭＰＵ４４８）は、前記表示部４０４に現金である紙幣の投入を促すメッセージを表示するとともに、該表示されたメッセージに基づいて紙幣挿入口４３３から挿入された受付け紙幣の真贋と金種との識別を紙幣識別ユニット４４４に実施させる。
【００７８】
そして、該識別金額を表示部４０４に表示するとともに、入金金額の指定を促す旨のメッセージを表示部４０４に表示して、会員遊技者から金額入力キースイッチ４２２に設けられている各金額のキーの操作による入金金額の指定を受付け、該受付けた入金金額と入金種別（現金入金）と会員ＩＤとを含む入金情報をシステムコントローラ１００に送信する。
【００７９】
この入金情報の受信に基づいてシステムコントローラ１００（ＣＰＵ１０２）は、前記カードマスターテーブルに、受信した入金情報に含まれる会員ＩＤに対応付けて記憶されている残存度数の大きさと現金入金残存度数の大きさとに、該受信した入金情報に含まれる入金金額に相当する度数の大きさを加算更新するとともに、直近の入金種別の項目に、受信した入金情報に含まれる入金種別である現金入金に対応する「現金」を記憶してカードマスターテーブルを更新した後、受信した入金情報の送信元の入金装置２１に対して更新完了通知を返信する。
【００８０】
この更新完了通知の受信に基づいて入金装置２１（ＭＰＵ４４８）は、会員遊技者より受付けた入金金額に相当する度数の大きさを、前記にて一時記憶している度数データから特定される度数（残存度数）の大きさに加算して、新たな残存度数の大きさを算出し、該新たな残存度数の大きさを特定可能な度数データを、前記カードリーダライタ４４５にて受付け中の会員カードに記録させて度数データを更新させるとともに、該更新後の会員カードを会員カード挿入口４３８から排出させて返却し、識別金額よりも会員遊技者より受付けた入金金額が少ない場合、つまりはお釣りがあれば該釣銭を返却する。
【００８１】
一方、会員遊技者がデビッドキースイッチ４２６を操作した場合における、デビッド入金の流れについて説明すると、該デビッドキースイッチ４２６の操作検出に基づいて入金装置２１のＭＰＵ４４８は、図１４に示すように、カードリーダライタ４４５にて読み出した度数データから特定される度数の大きさが、入金可能な所定値（本実施例では１０００円に相当する１０度数）以下であるか否かを判定し、該所定値以下でない場合には処理を中断し、所定値以下である場合においては、入金金額の指定を促す旨のメッセージを表示部４０４に表示して、会員遊技者から金額入力キースイッチ４２２に設けられている各金額のキーの操作による入金金額の指定を受付けて、該受付けた入金金額と前記にて一時記憶している会員ＩＤと度数データと当該入金装置２１に固有に付与された装置ＩＤとを含む確認情報をシステムコントローラ１００に対して送信する。
【００８２】
この確認情報の受信に基づいてシステムコントローラ１００（ＣＰＵ１０２）は、前記カードマスターテーブルに、受信した確認情報に含まれる会員ＩＤがカードマスターテーブルに存在するか否かを特定するとともに、存在する場合には、該会員ＩＤに対応付けてカードマスターテーブルに記憶されている残存度数の大きさを特定して、該残存度数の大きさと受信した確認情報に含まれる度数データから特定される度数の大きさとを照合するとともに、該カードマスターテーブルに受信した確認情報に含まれる会員ＩＤに対応付けて記憶されている使用可否の記憶内容から当該会員カードの使用可否を判定する。
【００８３】
そして、これら度数の照合が一致するとともに、使用可否の判定結果が使用可である場合においてシステムコントローラ１００（ＣＰＵ１０２）は、受信した確認情報に、該システムコントローラ１００が設置されている遊技場に固有に付与された遊技場ＩＤを付加して管理サーバ１４０に中継する。尚、度数の照合が不一致、または、使用可否を判定結果が使用不可である場合には、使用不可を示す使用不可情報が入金装置２１に送信されて、受付け中の会員カードが返却されるとともに、確認情報の管理サーバ１４０への中継は実施されない。
【００８４】
この中継された確認情報の受信に基づいて管理サーバ１４０（ＣＰＵ１４２）は、受信した確認情報に付加されている遊技場ＩＤと、該受信した確認情報に含まれる会員ＩＤとに対応付けて前記会員ＩＤテーブルに（図１０（ｂ）参照）に記憶されている氏名と電子メールアドレスとを特定するとともに、前記利用限度額設定画面（図１２（ａ）参照）にて設定されている各対象期間、具体的には対象期間として利用当日１日が設定されていれば、該特定した氏名と電子メールアドレスとに対応付けて前記会員別入金履歴テーブルに記憶されている日合計額を、対象期間として最近１ヶ月が設定されていれば該特定した氏名と電子メールアドレスとに対応付けて前記会員別入金履歴テーブルに記憶されている月合計額を（尚、利用当日１日と最近１ヶ月の両方が設定されている場合には日合計額と月合計額の両方）を特定する。つまりは、会員属性情報である氏名と電子メールアドレスとを介して受信した遊技場ＩＤと会員ＩＤとに対応付けられている日合計額や月合計額を特定する。そして、該該特定した日合計額や月合計額に受信した確認情報に含まれる入金金額を加算した合算金額が、各対象期間に設定されている利用限度額（上限金額）を超過しているか否かを判定し、判定結果が超過（ＮＧ）のときは、利用限度額（上限金額）と合算金額との差額である入金可能額を算出する。
【００８５】
そして、これらの判定結果の内容と、受信した確認情報に含まれる装置ＩＤとを含む判定結果を、受信した遊技場ＩＤから特定される遊技場のシステムコントローラ１００に対して送信する。尚、判定結果が超過（ＮＧ）のときには、前記にて算出した入金可能額を含む判定結果が送信される。
【００８６】
この判定結果の受信に基づいてシステムコントローラ１００（ＣＰＵ１０２）は、受信した判定結果に含まれる装置ＩＤの入金装置２１に対して、受信した判定結果を中継する。
【００８７】
該中継された判定結果を受信した入金装置２１（ＭＰＵ４４８）は、受信した判定結果から判定内容を特定し、該特定した判定結果がＮＧ（超過）のときは、該判定結果に含まれる入金可能額を表示部４０４に表示して、該入金可能額を上限とする入金金額の再受付けを実施する。
【００８８】
一方、特定した判定結果がＯＫ（未超過）のときは、キャッシュカード挿入口４０２へのキャッシュカードの挿入を促すメッセージを表示部４０４に表示して、会員遊技者からキャッシュカードを受付けて、該受付けたキャッシュカードに記録されている記録情報である口座情報を、キャッシュカードリーダ４１３にて読み出させて、該読み出された口座情報を一時記憶するとともに、該口座情報と前記受付けた入金金額とを含む決済要求をデビット決済端末１６０に対して送信する。
【００８９】
この決済要求の受信に基づいてデビット決済端末１６０は、受信した決済要求をデビット決済管理サーバ１８０に中継し、該中継に応じてデビット決済管理サーバ１８０から返信される決済の可否情報（具体的には、受信した決済要求に含まれる入金金額が、口座情報から特定される口座の口座残額の範囲内にあって、入金金額の引き落としが可能である場合には決済可の可否情報となり、入金金額が口座残額よりも大きく入金金額の引き落としが不能である場合には決済不可の可否情報となる）の内容が決済可であれば暗証番号送信要求を入金装置２１に返信する。
【００９０】
この暗証番号送信要求の受信に基づいて入金装置２１（ＭＰＵ４４８）は、キャッシュカードを使用するための暗証番号の入力を促すメッセージを表示部４０４に表示して、会員遊技者から暗証番号を受付けて、本発明における決済要求を成す該受付けた暗証番号をデビット決済端末１６０に送信する。
【００９１】
この暗証番号の受信に基づいてデビット決済端末１６０は、該受信した暗証番号と前記にて中継した口座情報とともにデビット決済管理サーバ１８０に中継し、該デビット決済管理サーバ１８０から当該中継した暗証番号による照合結果を入手して、該照合結果を入金装置２１に送信する。尚、これら暗証番号の照合において暗証番号が一致した場合には、デビット決済管理サーバ１８０は、前記にてデビット決済端末１６０から受信した決済要求に含まれる入金金額の、該決済要求に含まれる口座情報から特定される口座からの引き落とし要求を、当該口座に対応する金融機関の図示しない管理コンピュータ（金融機関によっては、複数の金融機関を統合して管理する管理ネットワークである場合もある）に対して送信して該入金金額の引き落としを実施し、所定期間においてデビット決済端末１６０から送信される決済要求に基づいて引き落とした額の総額から決済手数料を差し引い金額を、該デビット決済端末１６０が設置されている遊技場の指定口座に振り込むための処理を実施することで決済を実施する。
【００９２】
この照合結果の受信に基づいて入金装置２１（ＭＰＵ４４８）は、照合結果が暗証番号の不一致を示す「ＮＧ」である場合には、処理を中断して、会員カード並びにキャッシュカードを全て返却して処理を中止するとともに、照合結果が暗証番号の一致を示す「ＯＫ」である場合には、該会員遊技者より受付けた入金金額と入金種別（デビット入金）と会員ＩＤとを含む入金情報をシステムコントローラ１００に送信する。
【００９３】
この入金情報の受信に基づいてシステムコントローラ１００（ＣＰＵ１０２）は、前記カードマスターテーブルに、受信した入金情報に含まれる会員ＩＤに対応付けて記憶されている残存度数の大きさとデビッド入金残存度数の大きさとに、該受信した入金情報に含まれる入金金額に相当する度数の大きさを加算更新するとともに、直近の入金種別の項目に、受信した入金情報に含まれる入金種別であるデビッド入金に対応する「デビッド」を記憶してカードマスターテーブルを更新した後、受信した入金情報の送信元の入金装置２１に対して更新完了通知を返信する。
【００９４】
この更新完了通知の受信に基づいて入金装置２１（ＭＰＵ４４８）は、会員遊技者より受付けた入金金額に相当する度数の大きさを、前記にて一時記憶している受付け中の会員カードから読み出した度数データから特定される度数（残存度数）の大きさに加算して、新たな残存度数の大きさを算出し、該新たな残存度数の大きさを特定可能な度数データを、受付け中の会員カードに前記カードリーダライタ４４５にて記録させて度数データを更新させるとともに、該更新後の会員カードと受付け中のキャッシュカードとを返却し、デビッド利用明細が印刷されたレシートをレシート排出口４０８より発行することで、会員遊技者は、該返却された会員カードを用いて、前記新たな残存度数の大きさをカードユニット３にて遊技に使用できるようになる。
【００９５】
また、前記入金情報の受信に基づいてシステムコントローラ１００（ＣＰＵ１０２）は、前述のようにカードマスターテーブルを更新するとともに、該受信した入金種別としてデビッド入金を含む入金情報に当該遊技場の遊技場ＩＤを付加して管理サーバ１４０に送信（中継）する。
【００９６】
この遊技場ＩＤが付加されたデビッド入金の入金種別を含む入金情報の受信に基づいて、管理サーバ１４０（ＣＰＵ１４２）は、受信した入金情報に付加されている遊技場ＩＤと、該受信した入金情報に含まれる会員ＩＤとに対応付けて会員ＩＤテーブル（図１０（ｂ）参照）並びに遊技場別会員情報テーブル（図１０（ａ）参照）に記憶されている氏名と電子メールアドレスとを特定し、該特定した氏名と電子メールアドレス並びにその当日の日付とに対応付けて、受信した遊技場ＩＤと会員ＩＤとに対応する累計デビッド入金額の記憶が前記会員別入金履歴テーブルに存在するかを判定し、存在する場合には、該受信した遊技場ＩＤと会員ＩＤとに対応する累計デビッド入金額に入金情報に含まれる入金金額を加算更新する一方、存在しない場合には、該受信した遊技場ＩＤと会員ＩＤと入金金額とを新たに記憶するとともに、対応する日合計額と月合計額とを更新することで会員別入金履歴テーブルを更新する。
【００９７】
次に、このようにして入金装置２１にて会員カードに入金された新たな残存度数の大きさをカードユニット３にて遊技に使用した後、該会員カードに残存度数が残っているときに、該残存する度数を精算装置２２にて精算する流れについて、図１６を用いて説明すると、会員遊技者が精算のためにカード挿入口５０２に会員カードを挿入すると、精算装置２２（ＭＰＵ５２３）は、該挿入された会員カードに記録されている会員ＩＤと度数データとをカードリーダライタ５１５により読み出させるとともに、該読み出された会員ＩＤと度数データと会員ＩＤと当該精算装置２２に固有に付与された装置ＩＤとを含む精算許諾要求を送信するとともに、該読み出された度数データから特定される度数に相当する精算金額を前記金額表示部５０７に表示する。
【００９８】
この精算許諾要求の受信に基づいてシステムコントローラ１００（ＣＰＵ１０２）は、受信した精算許諾要求に含まれる会員ＩＤがカードマスターテーブルに存在するか否かを特定するとともに、存在する場合には、該会員ＩＤに対応付けてカードマスターテーブルに記憶されている残存度数の大きさを特定して、該残存度数の大きさと受信した精算許諾要求に含まれる度数データから特定される度数の大きさとを照合するとともに、該カードマスターテーブルに受信した精算許諾要求に含まれる会員ＩＤに対応付けて記憶されている使用可否の記憶内容から当該会員カードの使用可否を判定する。
【００９９】
そして、該判定において度数の照合が一致するとともに、使用可否の判定結果が使用可である場合において、該カードマスターテーブルに受信した精算許諾要求に含まれる会員ＩＤに対応付けて記憶されているデビッド入金からの使用度数の大きさ並びにデビッド入金からの遊技時間とを特定し、該特定したデビッド入金からの使用度数の大きさとデビッド入金からの遊技時間とが、管理サーバ１４０からの受信により記憶した前述の設定情報により特定される前述の精算可能条件設定画面にて設定された精算を可能とする各条件を満たすか否かを判定する。
【０１００】
そして、これら精算を可能とする各条件を前記特定したデビッド入金からの使用度数並びに遊技時間が満たす場合には、受信した精算許諾要求の送信元の精算装置２２に対して精算許諾を送信し、前記度数の照合が不一致である場合や、使用可否の判定結果が使用不可である場合や、精算を可能とする各条件を前記特定したデビッド入金からの使用度数並びに遊技時間が満たさない場合には、精算を不可とする旨を含む精算不可情報を、受信した精算許諾要求の送信元の精算装置２２に対して送信する。
【０１０１】
具体的に、図８に示すカードマスターテーブルを例に説明すると、精算許諾要求に含まれる会員ＩＤが例えば、「Ｋ０１−００００１」であれば、該「Ｋ０１−００００１」に対応するデビッド入金からの使用度数の大きさは「０」であるとともに、デビッド入金からの遊技時間は「５分」であることから、前述したように、図１２（ｂ）に示す精算可能条件設定画面にて設定されている最低利用金額である２０００円に相当する２０度数を満たさないとともに、最低遊技時間である１０分を満たさないことから、該「Ｋ０１−００００１」の会員ＩＤを含む精算許諾要求に応じた精算は許諾されない一方、精算許諾要求に含まれる会員ＩＤが例えば、「Ｋ０１−０００３」であれば、該「Ｋ０１−０００３」に対応するデビッド入金からの使用度数の大きさは「３０」であるとともに、デビッド入金からの遊技時間は「２０分」であることから、該「Ｋ０１−０００３」の会員ＩＤを含む精算許諾要求に応じた精算は許諾され、精算許諾が精算装置２２に返信される。
【０１０２】
この精算許諾の受信に基づいて精算装置２２（ＭＰＵ５２３）は、受付け中の会員カードから読み出した度数データから特定される度数の大きさに相当する金額の現金を、紙幣排出口５１３および／またはコイン排出口５１１から排出するとともに、受付け中の会員カードの度数データをカードリーダライタ５１５により「０」の度数データに更新させる。
【０１０３】
そして、これら現金の排出（払出し）に供された度数の大きさである精算度数データと、受付け中の会員カードから読み出した会員ＩＤとを含む精算情報をシステムコントローラ１００に送信する。
【０１０４】
この精算情報の受信に基づいてシステムコントローラ１００（ＣＰＵ１０２）は、受信した精算情報に含まれる会員ＩＤに対応付けてカードマスターテーブルに記憶されている残存度数の大きさから、受信した精算情報に含まれる精算度数データから特定される度数の大きさを減算更新して、残存度数（現金入金残存度数、デビッド入金残存度数を含む）を「０」とするとともに、受信した精算情報の送信元の精算装置２２に対して更新完了通知を返信する。
【０１０５】
この更新完了通知の受信に基づいて精算装置２２（ＭＰＵ５２３）は、会員カードをカード挿入口５０２から排出して返却する。
【０１０６】
以上、本実施例１によれば、会員遊技者が複数のキャッシュカードを用いて、所有している複数の遊技場にて発行されたいずれの会員カードに記録されている遊技用価値特定情報となる度数データ並びに会員ＩＤに基づいて特定される度数の大きさへの前記口座決済遊技用価値加算処理となるデビッド入金を実施しても、該会員遊技者が会員となっている全ての遊技場における前記デビッド入金に供された加算価値の大きさとなるデビッド入金金額の合計となる日合計額や月合計額が、合計記憶手段を成す会員別入金履歴テーブルに予め記憶され、該記憶されている日合計額や月合計額と新たに加算更新しようとする入金金額とを合算した加算価値の大きさとなる合算金額が、上限値である利用限度額（上限額）を超過していないことを条件として新たに加算更新しようとする入金金額のデビッド入金が実施されるようになるため、会員遊技者が複数のキャッシュカードを使用したり、複数の遊技場に会員登録している場合であっても、のめり込みを防止することができる。
【実施例２】
【０１０７】
本実施例２は請求項３に対応しており、本実施例２の特徴としては、前記実施例１においては、入金装置２１におけるデビッド入金に際して、デビッド入金の可否判定を遊技場外に設けられた管理サーバ１４０にて実施しているのに対し、本実施例２では、これらデビッド入金の可否判定を、遊技場内に設けられた場内管理装置並びに残存遊技用価値管理装置となるシステムコントローラ１００が実施する点であり、その他のシステム構成等は、前記実施例１の遊技用システムと同一であることから、同一である部分の説明は省略するものとし、前記実施例１からの変更点となる本実施例２の特徴部分について以下に説明する。
【０１０８】
まず、本実施例２のシステムコントローラ１００には、前記実施例１における図８に示すカードマスターテーブルに代えて、図１７に示すカードマスターテーブルが記憶されている。
【０１０９】
この本実施例２のカードマスターテーブルには、前記実施例１の図８に示すカードマスターテーブルの構成に加えて、図１７に示すように、デビッド入金不可の項目が追加されることで、該遊技場において各会員遊技者に発行された会員カードに記憶されている各会員ＩＤに対応付けて、各会員カードを用いた前記デビッド入金処理の可／不可を特定可能な可否情報となるデビッド入金不可の項目の情報（フラグ）が記憶されていて、該カードマスターテーブルによって本発明の請求項３における可否情報記憶手段が形成されている。
【０１１０】
また、本実施例２のシステムコントローラ１００のＣＰＵ１０２は、前記入金装置２１から送信される前記確認情報を受信したときに、該確認情報に含まれる会員ＩＤに対応付けて前記カードマスターテーブルに記憶されている可否情報となるデビッド入金不可の項目の情報（フラグ）、具体的には、入金可能を示す「０」或いは入金不可を示す「１」に基づいて、当該確認情報を送信してきた入金装置２１に受付け中の会員カードへのデビッド入金の可／不可を判定する可否判定処理を実施し、該可否判定処理によって本発明の請求項３における可否判定手段が形成されている。
【０１１１】
また、本実施例２のシステムコントローラ１００のＣＰＵ１０２は、前記可否判定処理における判定結果を前記入金装置２１に送信する判定結果送信処理を実施し、該判定結果送信処理によって本発明の請求項３における判定結果送信手段が形成されている。
【０１１２】
また、本実施例２のシステムコントローラ１００のＣＰＵ１０２は、後述する管理サーバ１４０において実施されるデビッド入金不可情報送信処理にて送信される本発明における価値加算不可情報となるデビッド入金不可情報の受信に基づいて、当該受信したデビッド入金不可情報に含まれる会員ＩＤに対応して前記カードマスターテーブルに記憶されているデビッド入金不可の項目の情報（「０」或いは「１」のデータ）を、不可を特定可能な情報である「１」に更新する可否情報更新処理を実施し、該可否情報更新処によって本発明の請求項３における可否情報更新手段が形成されている。
【０１１３】
また、本実施例２の入金装置２１のＭＰＵ４４８は、前記カードリーダライタ４４５に受付け中の前記会員カードから読み出した会員ＩＤと度数データと、前記金額入力キースイッチ４２２にて受付けた加算価値の大きさを特定可能な加算価値特定情報となる入金金額と当該入金装置２１に固有に付与された装置ＩＤとを含む、つまりはカードリーダライタ４４５に受付け中の前記会員カードから読み出した会員ＩＤを少なくとも含む確認情報を、本発明における場内管理装置となるシステムコントローラ１００、並びに該システムコントローラ１００を通じて管理サーバ１４０に対して送信する確認情報送信処理を実施し、該確認情報送信処理によって本発明の請求項３における確認情報送信手段が形成されている。
【０１１４】
また、本実施例２の管理サーバ１４０のＣＰＵ１４２は、前記システムコントローラ１００から送信される入金情報の受信に基づいて、前記会員別入金履歴テーブル更新処理を実施して会員別入金履歴テーブルを更新したときに、該更新した累計デビッド入金額に対応する日合計額や月合計額、つまりは入金金額を加算更新した会員遊技者が会員となっている全ての遊技場において所定期間にデビット入金に使用した金額の合計額が、前記利用限度額設定処理にて設定されている所定期間である利用当日１日や最近１ヶ月における利用限度額（上限額）を超過しているか否かを判定する判定処理を実施し、該判定処理によって本発明の請求項３における判定手段が形成されている。
【０１１５】
また、本実施例２の管理サーバ１４０のＣＰＵ１４２は、該判定処理において利用限度額（上限額）を超過していると判定したときに、該利用限度額（上限額）を超過していると判定された会員遊技者の氏名と電子メールアドレスに対応付けて前記会員ＩＤテーブルに記憶されている会員ＩＤである各遊技場における会員ＩＤと、当該会員ＩＤが記録された会員カードを使用してのデビッド入金処理を不可とする旨とを含む価値加算不可情報となるデビッド入金不可情報を、各会員ＩＤが対応する遊技場に設置されているシステムコントローラ１００に対して送信するデビッド入金不可情報送信処理を実施し、該デビッド入金不可情報送信処理によって本発明の請求項３における価値加算不可情報送信手段が形成されている。
【０１１６】
以下、本実施例２の入金装置２１にて会員遊技者がデビッド入金を実施することに伴う本実施例の遊技用システムの各処理状況について、図１８に基づいて以下に説明する。尚、本実施例２の入金装置２１における現金入金に伴う処理内容、精算装置２２での精算に伴う処理内容、並びに新規会員登録に伴う処理内容は、前述の実施例１の入金装置２１並びに精算装置２２と同様のため、説明を省略する。
【０１１７】
会員遊技者がデビッド入金を実施するために、入金装置２１の会員カード挿入口４３８に会員カードを挿入した後、デビッドキースイッチ４２６を操作した場合には、該デビッドキースイッチ４２６の操作検出に基づいて入金装置２１のＭＰＵ４４８は、カードリーダライタ４４５にて読み出した度数データから特定される度数の大きさが、入金可能な所定値（本実施例では１０００円に相当する１０度数）以下であるか否かを判定し、該所定値以下でない場合には処理を中断し、所定値以下である場合においては、入金金額の指定を促す旨のメッセージを表示部４０４に表示して、会員遊技者から金額入力キースイッチ４２２に設けられている各金額のキーの操作による入金金額の指定を受付けて、該受付けた入金金額と受付け中の会員カードから読み出して一時記憶している会員ＩＤと度数データと当該入金装置２１に固有に付与された装置ＩＤとを含む確認情報を、図１８に示すように、システムコントローラ１００に対して送信する。
【０１１８】
この確認情報の受信に基づいてシステムコントローラ１００（ＣＰＵ１０２）は、前記カードマスターテーブルに、受信した確認情報に含まれる会員ＩＤがカードマスターテーブルに存在するか否かを特定するとともに、存在する場合には、該会員ＩＤに対応付けてカードマスターテーブルに記憶されている残存度数の大きさを特定して、該残存度数の大きさと受信した確認情報に含まれる度数データから特定される度数の大きさとを照合するとともに、該カードマスターテーブルに受信した確認情報に含まれる会員ＩＤに対応付けて記憶されている使用可否の記憶内容から当該会員カードの使用可否を判定するとともに、該カードマスターテーブルに受信した確認情報に含まれる会員ＩＤに対応付けて記憶されているデビッド入金不可の記憶内容から当該会員カードへのデビッド入金の可否（可・不可）を判定する。
【０１１９】
そして、これら度数の照合並びに使用可否の記憶内容に基づく会員カードの使用可否を判定内容と、デビッド入金不可の記憶内容に基づくデビッド入金の可否の判定内容とを含む判定結果を、受信した確認情報の送信元の入金装置２１に対して返信する。
【０１２０】
該判定結果を受信した入金装置２１（ＭＰＵ４４８）は、受信した判定結果に、会員カードの使用可否或いはデビッド入金の可否のいずれか一方でも不可の判定内容が含まれる場合には、受付け中の会員カードを返却し、受信した判定結果に不可の判定内容が含まれない場合、つまりは受信した判定結果に可のみの判定内容が含まれる場合には、キャッシュカード挿入口４０２へのキャッシュカードの挿入を促すメッセージを表示部４０４に表示して、会員遊技者からキャッシュカードを受付けて、該受付けたキャッシュカードに記録されている記録情報である口座情報を、キャッシュカードリーダ４１３にて読み出させて、該読み出された口座情報を一時記憶するとともに、該口座情報と前記受付けた入金金額とを含む決済要求をデビット決済端末１６０に対して送信する。
【０１２１】
この決済要求の受信に基づいてデビット決済端末１６０は、受信した決済要求をデビット決済管理サーバ１８０に中継し、該中継に応じてデビット決済管理サーバ１８０から返信される決済の可否情報の内容が決済可であれば暗証番号送信要求を入金装置２１に返信する。
【０１２２】
この暗証番号送信要求の受信に基づいて入金装置２１（ＭＰＵ４４８）は、キャッシュカードを使用するための暗証番号の入力を促すメッセージを表示部４０４に表示して、会員遊技者から暗証番号を受付けて、該受付けた暗証番号をデビット決済端末１６０に送信する。
【０１２３】
この暗証番号の受信に基づいてデビット決済端末１６０は、該受信した暗証番号と前記にて中継した口座情報とともにデビット決済管理サーバ１８０に中継し、該デビット決済管理サーバ１８０から当該中継した暗証番号による照合結果を入手して、該照合結果を入金装置２１に送信する。
【０１２４】
この照合結果の受信に基づいて入金装置２１（ＭＰＵ４４８）は、照合結果が暗証番号の不一致を示す「ＮＧ」である場合には、処理を中断して、会員カード並びにキャッシュカードを全て返却して処理を中止するとともに、照合結果が暗証番号の一致を示す「ＯＫ」である場合には、該会員遊技者より受付けた入金金額と入金種別（デビット入金）と会員ＩＤとを含む入金情報をシステムコントローラ１００に送信する。
【０１２５】
この入金情報の受信に基づいてシステムコントローラ１００（ＣＰＵ１０２）は、前記カードマスターテーブルに、受信した入金情報に含まれる会員ＩＤに対応付けて記憶されている残存度数の大きさとデビッド入金残存度数の大きさとに、該受信した入金情報に含まれる入金金額に相当する度数の大きさを加算更新するとともに、直近の入金種別の項目に、受信した入金情報に含まれる入金種別であるデビッド入金に対応する「デビッド」を記憶してカードマスターテーブルを更新した後、受信した入金情報の送信元の入金装置２１に対して更新完了通知を返信する。
【０１２６】
この更新完了通知の受信に基づいて入金装置２１（ＭＰＵ４４８）は、会員遊技者より受付けた入金金額に相当する度数の大きさを、受付け中の会員カードから読み出して一時記憶している度数データから特定される度数（残存度数）の大きさに加算して、新たな残存度数の大きさを算出し、該新たな残存度数の大きさを特定可能な度数データを、受付け中の会員カードに前記カードリーダライタ４４５にて記録させて度数データを更新させるとともに、該更新後の会員カードと受付け中のキャッシュカードとを返却し、デビッド利用明細が印刷されたレシートをレシート排出口４０８より発行することで、会員遊技者は、該返却された会員カードを用いて、前記新たな残存度数の大きさをカードユニット３にて遊技に使用できるようになる。
【０１２７】
また、前記入金情報の受信に基づいてシステムコントローラ１００（ＣＰＵ１０２）は、前述のようにカードマスターテーブルを更新するとともに、該受信した入金種別としてデビッド入金を含む入金情報に当該遊技場の遊技場ＩＤを付加して管理サーバ１４０に送信（中継）する。
【０１２８】
この遊技場ＩＤが付加されたデビッド入金の入金種別を含む入金情報の受信に基づいて、管理サーバ１４０（ＣＰＵ１４２）は、受信した入金情報に付加されている遊技場ＩＤと、該受信した入金情報に含まれる会員ＩＤとに対応付けて会員ＩＤテーブル（図１０（ｂ）参照）並びに遊技場別会員情報テーブル（図１０（ａ）参照）に記憶されている氏名と電子メールアドレスとを特定し、該特定した氏名と電子メールアドレスとに対応付けて前記会員別入金履歴テーブルに記憶されている氏名と電子メールアドレスとを特定し、該特定した氏名と電子メールアドレス並びにその当日の日付とに対応付けて、受信した遊技場ＩＤと会員ＩＤとに対応する累計デビッド入金額の記憶が前記会員別入金履歴テーブルに存在するかを判定し、存在する場合には、該受信した遊技場ＩＤと会員ＩＤとに対応する累計デビッド入金額に入金情報に含まれる入金金額を加算更新する一方、存在しない場合には、該受信した遊技場ＩＤと会員ＩＤと入金金額とを新たに記憶するとともに、対応する日合計額と月合計額とを更新することで会員別入金履歴テーブルを更新する。
【０１２９】
そして、該更新された日合計額と月合計額が、各対象期間である利用当日１日並びに最近１ヶ月に対して設定されている利用限度額（上限金額）を超過しているか否かを判定し、判定結果が超過している場合には、当該判定に用いた日合計額と月合計額に対応して会員別入金履歴テーブルに記憶されている当該会員遊技者の氏名と電子メールアドレスとを特定し、該特定した氏名と電子メールアドレスに対応付けて会員ＩＤテーブルに記憶されている会員ＩＤと当該会員ＩＤが対応する遊技場ＩＤとを全て特定することで、当該会員遊技者が会員となっている全ての遊技場の会員ＩＤと遊技場ＩＤとを全て特定する。
【０１３０】
そして、該特定した各遊技場における会員ＩＤと、当該会員ＩＤが記録された会員カードを使用してのデビッド入金処理を不可とする旨とを含むデビッド入金不可情報を、該デビッド入金不可情報に含まれる会員ＩＤに対応する遊技場ＩＤから特定される遊技場に設置されているシステムコントローラ１００に対して送信する。つまり、これらデビッド入金不可情報は、当該会員遊技者が会員となっている全ての遊技場に設置されているシステムコントローラ１００に対して送信される。
【０１３１】
該デビッド入金不可情報の受信に基づいてシステムコントローラ１００（ＣＰＵ１０２）は、受信した該デビッド入金不可情報に含まれる会員ＩＤに対応するカードマスターテーブルのデビッド入金不可の情報（フラグ）を「１」に更新記憶することで、該会員ＩＤが記録されている会員カードへのデビッド入金が不可とされる。
【０１３２】
以上、本実施例２によれば、会員遊技者が複数のキャッシュカードを用いて、所有している複数の遊技場にて発行されたいずれの会員カードに記録されている遊技用価値特定情報となる度数データ並びに会員ＩＤに基づいて特定される度数の大きさへの前記口座決済遊技用価値加算処理となるデビッド入金を実施しても、該会員遊技者が会員となっている全ての遊技場における前記デビッド入金に供された加算価値の大きさとなるデビッド入金金額の合計となる日合計額や月合計額が、合計記憶手段を成す会員別入金履歴テーブルに予め記憶され、該記憶されている日合計額や月合計額が、上限値である利用限度額（上限額）を超過しているときには、前記デビッド入金不可情報が場内管理装置であるシステムコントローラ１００に送信されてデビッド入金不可の情報（フラグ）が不可を特定可能な「１」に更新されることで、新たにデビッド入金しようとする入金金額のデビッド入金処理が不可とされるようになるため、会員遊技者が複数のキャッシュカードを使用したり、複数の遊技場に会員登録している場合であっても、のめり込みを防止することができる。
【実施例３】
【０１３３】
本実施例３は請求項５に対応しており、本実施例３の特徴としては、前記実施例１においては、入金装置２１におけるデビッド入金に際して、デビッド入金の可否判定を遊技場外に設けられた管理サーバ１４０にて実施しているのに対し、本実施例３では、前記実施例２と同様に、これらデビッド入金の可否判定を、遊技場内に設けられた場内管理装置並びに残存遊技用価値管理装置となるシステムコントローラ１００が、前述の実施例２のようにデビッド入金不可の情報（フラグ）ではなく、管理サーバ１４０から送信されてくる後述するデビッド入金可能情報に基づいて更新されるデビッド入金可能度数に基づいて実施する点であり、その他のシステム構成等は、前記実施例１や実施例２の遊技用システムと同一であることから、同一である部分の説明は省略するものとし、前記実施例１や実施例２からの変更点となる本実施例３の特徴部分について以下に説明する。
【０１３４】
まず、本実施例３のシステムコントローラ１００には、前記実施例１における図８に示すカードマスターテーブルに代えて、図１９に示すカードマスターテーブルが記憶されている。
【０１３５】
この本実施例３のカードマスターテーブルには、前記実施例１の図８に示すカードマスターテーブルの構成に加えて、図１９に示すように、デビッド入金可能度数の項目が追加されることで、該遊技場において各会員遊技者に発行された会員カードに記憶されている各会員ＩＤに対応付けて、当該会員遊技者がキャッシュカードを使用しての前記デビッド入金処理にて入金できる本発明における利用可能加算価値となるデビッド入金度数が記憶されていて、該カードマスターテーブルによって本発明の請求項５における利用可能加算価値情報記憶手段が形成されている。
【０１３６】
また、本実施例３のシステムコントローラ１００のＣＰＵ１０２は、前記入金装置２１から送信される前記確認情報を受信したときに、該確認情報に含まれる会員ＩＤに対応付けて前記カードマスターテーブルに記憶されているデビッド入金度数の大きさを、受信した確認情報に含まれる入金金額に相当する度数の大きさが超過しているか否かを判定する判定処理を実施し、該判定処理によって本発明の請求項５における判定手段が形成されている。
【０１３７】
また、本実施例３のシステムコントローラ１００のＣＰＵ１０２は、前記判定処理における判定結果を前記入金装置２１に送信する判定結果送信処理を実施し、該判定結果送信処理によって本発明の請求項５における判定結果送信手段が形成されている。
【０１３８】
また、本実施例３のシステムコントローラ１００のＣＰＵ１０２は、前記判定処理における判定結果が、入金金額に相当する度数の大きさがデビッド入金可能度数を超過しているとの判定結果であるときに、前記確認情報に含まれる会員ＩＤに対応付けて前記カードマスターテーブルに記憶されている該デビッド入金度数の大きさに相当する金額であるデビッド入金可能金額を含む判定結果を送信し、このように、デビッド入金可能金額を含む判定結果が前記判定結果送信処理によって送信されることで、該判定結果送信処理によって本発明の請求項５における加算可能価値情報送信手段が形成されている。
【０１３９】
また、本実施例３の入金装置２１のＭＰＵ４４８は、システムコントローラ１００における該判定結果送信処理によって送信される判定結果の内容が、入金金額に相当する度数の大きさがデビッド入金可能度数を超過しているとの判定結果であり、該判定結果にデビッド入金可能金額が含まれる場合には、該デビッド入金可能金額を表示部４０４に表示するデビッド入金可能金額表示処理を実施し、該デビッド入金可能金額表示処理によって本発明の請求項７における利用可能加算価値報知手段が形成されている。
【０１４０】
また、本実施例３のシステムコントローラ１００のＣＰＵ１０２は、後述する管理サーバ１４０において実施されるデビッド入金可能情報送信処理にて送信される利用可能加算価値情報となるデビッド入金可能情報の受信に基づいて、該受信したデビッド入金可能情報に含まれる会員ＩＤに対応して前記カードマスターテーブルに記憶されているデビッド入金可能度数の大きさを、該受信したデビッド入金可能情報に含まれる差額（デビッド入金可能額）に対応する度数の大きさに更新するデビッド入金可能度数更新処理を実施し、該デビッド入金可能度数更新処理によって本発明の請求項５における利用可能加算価値情報更新手段が形成されている。
【０１４１】
また、本実施例３の管理サーバ１４０のＣＰＵ１４２は、前記システムコントローラ１００から送信される入金情報の受信に基づいて、前記会員別入金履歴テーブル更新処理を実施して会員別入金履歴テーブルを更新したときに、該更新した累計デビッド入金額に対応する日合計額や月合計額、つまりは入金金額を加算更新した会員遊技者が会員となっている全ての遊技場において所定期間にデビット入金に使用した金額の合計額と、前記利用限度額設定処理にて設定されている所定期間である利用当日１日や最近１ヶ月における利用限度額（上限額）との差額を算出することで、当該会員遊技者がデビッド入金処理によりデビッド入金できる加算価値の大きさであるデビッド入金可能額を特定するデビッド入金可能額特定処理を実施し、該デビッド入金可能額特定処理によって本発明の請求項５における利用可能加算価値特定手段が形成されている。
【０１４２】
また、本実施例３の管理サーバ１４０のＣＰＵ１４２は、該デビッド入金可能額特定処理にて特定されたデビッド入金可能額が、予め設定されている前記１回のデビッド入金処理にてデビッド入金できる入金金額の上限金額である１００００円未満となったことを条件に、該デビッド入金可能額特定処理にて特定されたデビッド入金可能額と、当該会員遊技者の氏名と電子メールアドレスに対応付けて前記会員ＩＤテーブルに記憶されている会員ＩＤである各遊技場における会員ＩＤとを含むデビッド入金可能情報を、各会員ＩＤが対応する遊技場に設置されているシステムコントローラ１００に送信するデビッド入金可能情報送信処理を実施し、該デビッド入金可能情報送信処理によって本発明の請求項５における利用可能加算価値情報送信手段が形成されている。
【０１４３】
以下、本実施例３の入金装置２１にて会員遊技者がデビッド入金を実施することに伴う本実施例の遊技用システムの各処理状況について、図２０に基づいて以下に説明する。尚、本実施例３の入金装置２１における現金入金に伴う処理内容、精算装置２２での精算に伴う処理内容、並びに新規会員登録に伴う処理内容は、前述の実施例１の入金装置２１並びに精算装置２２と同様のため、説明を省略する。
【０１４４】
会員遊技者がデビッド入金を実施するために、入金装置２１の会員カード挿入口４３８に会員カードを挿入した後、デビッドキースイッチ４２６を操作した場合には、該デビッドキースイッチ４２６の操作検出に基づいて入金装置２１のＭＰＵ４４８は、カードリーダライタ４４５にて読み出した度数データから特定される度数の大きさが、入金可能な所定値（本実施例では１０００円に相当する１０度数）以下であるか否かを判定し、該所定値以下でない場合には処理を中断し、所定値以下である場合においては、入金金額の指定を促す旨のメッセージを表示部４０４に表示して、会員遊技者から金額入力キースイッチ４２２に設けられている各金額のキーの操作による入金金額の指定を受付けて、該受付けた入金金額と受付け中の会員カードから読み出して一時記憶している会員ＩＤと度数データと当該入金装置２１に固有に付与された装置ＩＤとを含む確認情報を、図２０に示すように、システムコントローラ１００に対して送信する。
【０１４５】
この確認情報の受信に基づいてシステムコントローラ１００（ＣＰＵ１０２）は、前記カードマスターテーブルに、受信した確認情報に含まれる会員ＩＤがカードマスターテーブルに存在するか否かを特定するとともに、存在する場合には、該会員ＩＤに対応付けてカードマスターテーブルに記憶されている残存度数の大きさを特定して、該残存度数の大きさと受信した確認情報に含まれる度数データから特定される度数の大きさとを照合し、更に、該カードマスターテーブルに受信した確認情報に含まれる会員ＩＤに対応付けて記憶されている使用可否の記憶内容から当該会員カードの使用可否を判定するとともに、該カードマスターテーブルに受信した確認情報に含まれる会員ＩＤに対応付けて記憶されているデビッド入金可能度数の大きさを特定し、該特定したデビッド入金可能度数の大きさを受信した確認情報に含まれる入金金額が相当する度数の大きさが超過しているか否かを判定する。尚、カードマスターテーブルに受信した確認情報に含まれる会員ＩＤに対応付けてデビッド入金可能度数の大きさの記憶（登録）がない場合には、後述するように、当該会員ＩＤが記録されている会員カードへのデビッド入金可能金額は、一回のデビッド入金処理にて入金可能な１００００円以上であることとなるので、該判定結果の内容は、超過しない（未超過）ことに基づくデビッド入金を許諾する旨となる「ＯＫ」の判定結果とされる。
【０１４６】
この判定結果が、前記特定したデビッド入金可能度数の大きさを受信した確認情報に含まれる入金金額が相当する度数の大きさが超過しない場合には、該超過しない（未超過）ことに基づくデビッド入金を許諾する旨となる「ＯＫ」の判定内容と、前記度数の照合並びに使用可否の記憶内容に基づく会員カードの使用可否を判定内容とを含む判定結果を、受信した確認情報の送信元の入金装置２１に対して返信し、前記判定結果が、前記特定したデビッド入金可能度数の大きさを受信した確認情報に含まれる入金金額が相当する度数の大きさが超過する場合には、該超過することに基づくデビッド入金を許諾しない旨となる「ＮＧ」の判定内容と、該特定したデビッド入金可能度数の大きさに相当するデビッド入金可能額と、前記度数の照合並びに使用可否の記憶内容に基づく会員カードの使用可否を判定内容とを含む判定結果を、受信した確認情報の送信元の入金装置２１に対して返信する。
【０１４７】
該判定結果を受信した入金装置２１（ＭＰＵ４４８）は、受信した判定結果に、会員カードの使用不可の情報が含まれている場合には、受付け中の会員カードを返却して処理を中断し、受信した判定結果に、会員カードの使用可の情報が含まれ、且つデビッド入金可能度数の大きさを超過したことに基づくデビッド入金を許諾しない旨となる「ＮＧ」の判定内容が含まれる場合には、受信した該判定結果に含まれるデビッド入金可能額を前記表示部４０４に表示して（図３参照）、再度入金金額の受付けに戻って入金金額の再受付けを実施する。
【０１４８】
一方、受信した判定結果に会員カードの使用可の情報が含まれ、且つデビッド入金可能度数の大きさを超過しない（未超過）ことに基づくデビッド入金を許諾する旨となる「ＯＫ」の判定内容が含まれる場合には、キャッシュカード挿入口４０２へのキャッシュカードの挿入を促すメッセージを表示部４０４に表示して、会員遊技者からキャッシュカードを受付けて、該受付けたキャッシュカードに記録されている記録情報である口座情報を、キャッシュカードリーダ４１３にて読み出させて、該読み出された口座情報を一時記憶するとともに、該口座情報と前記受付けた入金金額とを含む決済要求をデビット決済端末１６０に対して送信する。
【０１４９】
この決済要求の受信に基づいてデビット決済端末１６０は、受信した決済要求をデビット決済管理サーバ１８０に中継し、該中継に応じてデビット決済管理サーバ１８０から返信される決済の可否情報の内容が決済可であれば暗証番号送信要求を入金装置２１に返信する。
【０１５０】
この暗証番号送信要求の受信に基づいて入金装置２１（ＭＰＵ４４８）は、キャッシュカードを使用するための暗証番号の入力を促すメッセージを表示部４０４に表示して、会員遊技者から暗証番号を受付けて、該受付けた暗証番号をデビット決済端末１６０に送信する。
【０１５１】
この暗証番号の受信に基づいてデビット決済端末１６０は、該受信した暗証番号と前記にて中継した口座情報とともにデビット決済管理サーバ１８０に中継し、該デビット決済管理サーバ１８０から当該中継した暗証番号による照合結果を入手して、該照合結果を入金装置２１に送信する。
【０１５２】
この照合結果の受信に基づいて入金装置２１（ＭＰＵ４４８）は、照合結果が暗証番号の不一致を示す「ＮＧ」である場合には、処理を中断して、会員カード並びにキャッシュカードを全て返却して処理を中止するとともに、照合結果が暗証番号の一致を示す「ＯＫ」である場合には、該会員遊技者より受付けた入金金額と入金種別（デビット入金）と会員ＩＤとを含む入金情報をシステムコントローラ１００に送信する。
【０１５３】
この入金情報の受信に基づいてシステムコントローラ１００（ＣＰＵ１０２）は、前記カードマスターテーブルに、受信した入金情報に含まれる会員ＩＤに対応付けて記憶されている残存度数の大きさとデビッド入金残存度数の大きさとに、該受信した入金情報に含まれる入金金額に相当する度数の大きさを加算更新するとともに、直近の入金種別の項目に、受信した入金情報に含まれる入金種別であるデビッド入金に対応する「デビッド」を記憶してカードマスターテーブルを更新した後、受信した入金情報の送信元の入金装置２１に対して更新完了通知を返信する。尚、本実施例では、この時点では、入金情報に含まれる入金金額に相当する度数の大きさを、デビッド入金可能度数から減算更新せず、後述する管理サーバ１４０から送信されるデビッド入金不可情報により更新するようにしているが、本発明はこれに限定されるものではなく、この時点においてデビッド入金可能度数から入金金額に相当する度数の大きさを減算更新するようにしても良い。
【０１５４】
この更新完了通知の受信に基づいて入金装置２１（ＭＰＵ４４８）は、会員遊技者より受付けた入金金額に相当する度数の大きさを、受付け中の会員カードから読み出して一時記憶している度数データから特定される度数（残存度数）の大きさに加算して、新たな残存度数の大きさを算出し、該新たな残存度数の大きさを特定可能な度数データを、受付け中の会員カードに前記カードリーダライタ４４５にて記録させて度数データを更新させるとともに、該更新後の会員カードと受付け中のキャッシュカードとを返却し、デビッド利用明細が印刷されたレシートをレシート排出口４０８より発行することで、会員遊技者は、該返却された会員カードを用いて、前記新たな残存度数の大きさをカードユニット３にて遊技に使用できるようになる。
【０１５５】
また、前記入金情報の受信に基づいてシステムコントローラ１００（ＣＰＵ１０２）は、前述のようにカードマスターテーブルを更新するとともに、該受信した入金種別としてデビッド入金を含む入金情報に当該遊技場の遊技場ＩＤを付加して管理サーバ１４０に送信（中継）する。
【０１５６】
この遊技場ＩＤが付加されたデビッド入金の入金種別を含む入金情報の受信に基づいて、管理サーバ１４０（ＣＰＵ１４２）は、受信した入金情報に付加されている遊技場ＩＤと、該受信した入金情報に含まれる会員ＩＤとに対応付けて会員ＩＤテーブル（図１０（ｂ）参照）に記憶されている氏名と電子メールアドレスとを特定し、該特定した氏名と電子メールアドレスとに対応付けて前記会員別入金履歴テーブルに記憶されている氏名と電子メールアドレスとを特定し、該特定した氏名と電子メールアドレス並びにその当日の日付とに対応付けて、受信した遊技場ＩＤと会員ＩＤとに対応する累計デビッド入金額の記憶が前記会員別入金履歴テーブルに存在するかを判定し、存在する場合には、該受信した遊技場ＩＤと会員ＩＤとに対応する累計デビッド入金額に入金情報に含まれる入金金額を加算更新する一方、存在しない場合には、該受信した遊技場ＩＤと会員ＩＤと入金金額とを新たに記憶するとともに、対応する日合計額と月合計額とを更新することで会員別入金履歴テーブルを更新する。
【０１５７】
そして、該更新された日合計額と月合計額と、各対象期間である利用当日１日並びに最近１ヶ月に対して設定されている利用限度額（上限金額）との差額を算出し、該算出した各差額の内、いずれか少ない方の差額をデビッド入金可能額として特定するとともに、該特定したデビッド入金可能額が１回のデビッド入金処理にてデビッド入金できる入金金額の上限金額である１００００円未満となっているか否かを判定し、判定結果が１００００円未満となっている場合には、当該判定に用いた日合計額または月合計額に対応して会員別入金履歴テーブルに記憶されている当該会員遊技者の氏名と電子メールアドレスとを特定し、該特定した氏名と電子メールアドレスに対応付けて会員ＩＤテーブルに記憶されている会員ＩＤと当該会員ＩＤが対応する遊技場ＩＤとを全て特定することで、当該会員遊技者が会員となっている全ての遊技場の会員ＩＤと遊技場ＩＤとを全て特定する。
【０１５８】
そして、該特定した各遊技場における会員ＩＤと、前記にて特定したデビッド入金可能額とを含むデビッド入金可能情報を、該デビッド入金可能情報に含まれる会員ＩＤに対応する遊技場ＩＤから特定される遊技場に設置されているシステムコントローラ１００に対して送信する。つまり、これらデビッド入金可能情報は、当該会員遊技者が会員となっている全ての遊技場に設置されているシステムコントローラ１００に対して送信される。
【０１５９】
尚、前記にて特定したデビッド入金可能額が１回のデビッド入金処理にて入金できる上限金額である１００００円以上である場合には、全ての入金金額がデビッド入金可能額以下となることから、本実施例ではデビッド入金可能情報を送信しないようにしており、このようにすることは、不必要なデビッド入金可能情報の送信の削減によりシステムコントローラ１００との通信負荷を低減できることから好ましいが、本発明はこれに限定されるものではなく、これらデビッド入金可能額の１回のデビッド入金処理にて入金できる上限金額等との大小等に依らず、デビッド入金可能情報を送信するようにしても良い。
【０１６０】
そして、前記デビッド入金可能情報の受信に基づいてシステムコントローラ１００（ＣＰＵ１０２）は、受信した該デビッド入金可能情報に含まれる会員ＩＤに対応するカードマスターテーブルのデビッド入金可能度数の大きさを、受信したデビッド入金可能情報に含まれるデビッド入金可能額に相当する度数の大きさに更新することで、該更新されたデビッド入金可能度数に基づいて、デビッド入金の可否が該システムコントローラ１００にて判定される。
【０１６１】
以上、本実施例３によれば、会員遊技者が複数のキャッシュカードを用いて、所有している複数の遊技場にて発行されたいずれの会員カードに記録されている遊技用価値特定情報となる度数データ並びに会員ＩＤに基づいて特定される度数の大きさへの前記口座決済遊技用価値加算処理となるデビッド入金を実施しても、該会員遊技者が会員となっている全ての遊技場における前記デビッド入金に供された加算価値の大きさとなるデビッド入金金額の合計となる日合計額や月合計額が、合計記憶手段を成す会員別入金履歴テーブルに予め記憶され、該記憶されている日合計額や月合計額と上限値である利用限度額（上限額）との差額であるデビッド入金可能額を含むデビッド入金可能情報が、場内管理装置であるシステムコントローラ１００に送信されてデビッド入金可能度数の大きさが、デビッド入金可能情報に含まれるデビッド入金可能額に相当する度数の大きさに更新されることで、新たにデビッド入金しようとする入金金額が該デビッド入金可能額を超過しているときにはデビッド入金処理が不可とされるようになるため、会員遊技者が複数のキャッシュカードを使用したり、複数の遊技場に会員登録している場合であっても、のめり込みを防止することができる。
【０１６２】
また、本実施例３によれば、入金金額がカードマスターテーブルに記憶されているデビッド入金可能度数の大きさを超過する場合には、該デビッド入金可能度数の大きさに相当するデビッド入金可能額が入金装置２１の表示部４０４に表示されるようになるため、会員遊技者は、自分の会員カードにキャッシュカードを用いて入金できるデビッド入金可能額を把握することができる。尚、本実施例では、これらデビッド入金可能額を、入金装置２１で受付けた入金金額がデビッド入金可能額を超過していた場合において表示部４０４に表示して報知するようにしているが、本発明はこれに限定されるものではなく、これらのデビッド入金可能額を、会員カードの受付け時においてシステムコントローラ１００から入手して、入金金額の受付け以前に表示するようにしても良い。
【０１６３】
また、本実施例３によれば、デビッド入金可能額が１回のデビッド入金処理にて入金できる上限金額である１００００円未満であるときにデビッド入金可能情報が送信されるので、不必要なデビッド入金可能情報が送信されることを回避でき、管理サーバ１４０とシステムコントローラ１００との間の無駄な通信負荷を削減できる。
【実施例４】
【０１６４】
本実施例４は請求項２に対応しており、本実施例２の特徴としては、前記実施例１においては、管理サーバ１４０が確認情報の受信において実施する上限金額を越えているかの判定を、前記会員別履歴テーブルに記憶されている各会員遊技者の累計デビッド入金額を合計した日合計額や月合計額を予め記憶しておき、これら日合計額や月合計額と受信した確認情報に含まれる入金金額とを合算した合算金額に基づいて判定しているのに対し、本実施例４は、これら各会員遊技者が会員となっている全ての遊技場において所定期間にデビッド入金した入金金額の合計額（総計加算価値の大きさ）を、図２２（ｂ）に示す入金履歴テーブルに記憶されている入金履歴に基づいて集計する点であり、その他のシステム構成等は、前記実施例１の遊技用システムと同一であることから、同一である部分の説明は省略するものとし、前記実施例１からの変更点となる本実施例４の特徴部分について以下に説明する。
【０１６５】
まず、本実施例４の管理サーバ１４０の記憶装置１４５には、図２２（ａ）に示すように、前記実施例１の会員ＩＤテーブル（図１０（ｂ）参照）と同様に、各遊技場において会員登録した各会員遊技者の会員属性情報となる氏名と電子メールアドレスに対応付けて、当該会員遊技者が会員となっている遊技場の遊技場ＩＤに対応する項目に当該遊技場における当該会員遊技者の会員ＩＤが記憶された会員ＩＤテーブルが記憶されており、この会員ＩＤテーブルによって本発明の請求項２、４、６における属性情報記憶手段が形成されている。
【０１６６】
尚、これら会員ＩＤテーブルには、前記実施例１と同様に、前記会員ＩＤテーブルにおいて同一の氏名と電子メールアドレスとに対応付けて記憶されている会員ＩＤを抽出して特定し、該特定した各会員遊技者の氏名と電子メールアドレスに対応付けて、当該会員遊技者が会員となっている遊技場の遊技場ＩＤに対応する項目には、当該遊技場における当該会員遊技者の会員ＩＤを記憶（登録）するとともに、当該会員遊技者が会員ではない遊技場の遊技場ＩＤに対応する項目には「−」を記憶（登録）することによって、各会員遊技者がどの遊技場において会員となっているかとともに、会員となっている各遊技場における当該会員遊技者の会員ＩＤを簡便に特定できるようになっている。
【０１６７】
また、本実施例４の管理サーバ１４０の記憶装置１４５には、前記実施例１における図１１に示す会員別入金履歴テーブルに代えて、図２２（ｂ）に示す入金履歴テーブルが記憶されている。
【０１６８】
この本実施例４の入金履歴テーブルには、図２２（ｂ）に示すように、各会員遊技者が各遊技場に設置された入金装置２１にて該遊技場の会員カードにデビット入金を実施した日付に対応付けて、該デビット入金に使用された会員カードに記録されている会員ＩＤに対応付けて前記会員ＩＤテーブルに記憶されている電子メールアドレス、つまりは、当該デビット入金を実施した会員遊技者の会員属性情報となる電子メールアドレスと、デビット入金に供されたデビッド入金額とを含む本発明における価値加算履歴となるデビット入金履歴が記憶されるようになっており、これら入金履歴テーブルのデビット入金履歴は、入金装置２１においてデビット入金されることに基づいて該入金装置２１から送信されるデビット入金の入金種別を含む入金情報の受信に基づいて、システムコントローラ１００にて中継されてくる入金情報を受信する毎に、順次記憶されるようになっており、該入金履歴テーブルによって本発明の請求項２、４、６における価値加算履歴記憶手段が形成されている。
【０１６９】
また、本実施例４の管理サーバ１４０のＣＰＵ１４２は、前記システムコントローラ１００から送信される入金情報の受信に基づいて、該受信した入金情報に付加されている遊技場ＩＤと、該受信した入金情報に含まれる会員ＩＤとに対応付けて会員ＩＤテーブル（図２２（ａ）参照）に記憶されている電子メールアドレスとを特定し、その当日の日付に対応付けて、該特定した電子メールアドレスと受信した入金情報に含まれる入金金額をデビッド入金額として入金履歴テーブルに記憶するデビッド入金履歴記憶処理を実施する。
【０１７０】
また、本実施例４の管理サーバ１４０のＣＰＵ１４２は、前記確認情報を受信したときに、受信した確認情報に付加されている遊技場ＩＤと受信した確認情報に含まれる会員ＩＤとに対応付けて前記会員ＩＤテーブルに記憶されている電子メールアドレスを特定するとともに、該特定した電子メールアドレスに対応付けて前記入金履歴テーブルに記憶されている全てのデビット入金履歴に含まれるデビット入金額に基づいて、前記利用限度額設定処理にて設定されている所定期間（本実施例４では、利用当日１日、最近１ヶ月間）において該会員遊技者が会員となっている全ての遊技場にて前記デビッド入金処理により加算更新（入金）した入金金額の合計金額（本発明の請求項２における総計加算価値の大きさに相当し、利用当日１日の場合には日合計金額、最近１ヶ月間の場合には月合計金額となる）を集計する集計処理と、該集計した合計金額（日合計金額、月合計金額）と受信した確認情報に含まれる加算価値の大きさである入金金額とを合算した合算金額が、前記利用限度額設定処理にて設定されている当該所定期間における利用限度額を超過しているか否かを判定する判定処理とを実施し、該集計処理によって、本発明の請求項２における集計手段が形成されるとともに、該判定処理によって本発明の請求項２における判定手段が形成されている。
【０１７１】
これら入金金額の合計金額の具体的な算出状況としては、対象期間が例えば利用当日１日であれば、前記にて特定した当該会員遊技者の電子メールアドレスに対応付けて入金履歴テーブルに記憶されているデビッド入金履歴の内、その当日の日付を含むデビッド入金履歴に含まれるデビッド入金額を全て抽出して合計することで算出し、対象期間が例えば最近１ヶ月であれば、前記にて特定した当該会員遊技者の電子メールアドレスに対応付けて入金履歴テーブルに記憶されているデビッド入金履歴の内、その当日の日付から１ヶ月前までの各日付を含むデビッド入金履歴に含まれるデビッド入金額を全て抽出して合計することで算出する。
【０１７２】
以下、本実施例４の入金装置２１にて会員遊技者がデビッド入金を実施することに伴う本実施例の遊技用システムの各処理状況について、図２３に基づいて以下に説明する。尚、本実施例４の入金装置２１における現金入金に伴う処理内容、精算装置２２での精算に伴う処理内容、並びに新規会員登録に伴う処理内容は、前述の実施例１の入金装置２１（図１５参照）並びに精算装置２２（図１６参照）と同様のため、説明を省略する。
【０１７３】
会員遊技者がデビッド入金を実施するために、入金装置２１の会員カード挿入口４３８に会員カードを挿入した後、デビッドキースイッチ４２６を操作した場合には、該デビッドキースイッチ４２６の操作検出に基づいて入金装置２１のＭＰＵ４４８は、カードリーダライタ４４５にて読み出した度数データから特定される度数の大きさが、入金可能な所定値（本実施例では１０００円に相当する１０度数）以下であるか否かを判定し、該所定値以下でない場合には処理を中断し、所定値以下である場合においては、入金金額の指定を促す旨のメッセージを表示部４０４に表示して、会員遊技者から金額入力キースイッチ４２２に設けられている各金額のキーの操作による入金金額の指定を受付けて、該受付けた入金金額と受付け中の会員カードから読み出して一時記憶している会員ＩＤと度数データと当該入金装置２１に固有に付与された装置ＩＤとを含む確認情報を、図２３に示すように、システムコントローラ１００に対して送信する。
【０１７４】
この確認情報の受信に基づいてシステムコントローラ１００（ＣＰＵ１０２）は、前述の実施例１と同様のカードマスターテーブル（図８参照）に、受信した確認情報に含まれる会員ＩＤが存在するか否かを特定するとともに、存在する場合には、該会員ＩＤに対応付けてカードマスターテーブルに記憶されている残存度数の大きさを特定して、該残存度数の大きさと受信した確認情報に含まれる度数データから特定される度数の大きさとを照合するとともに、該カードマスターテーブルに受信した確認情報に含まれる会員ＩＤに対応付けて記憶されている使用可否の記憶内容から当該会員カードの使用可否を判定する。
【０１７５】
そして、これら度数の照合が一致するとともに、使用可否の判定結果が使用可である場合において受信した確認情報に、該システムコントローラ１００が設置されている遊技場に固有に付与された遊技場ＩＤを付加して管理サーバ１４０に中継する。尚、度数の照合が不一致、または、使用可否を判定結果が使用不可である場合には、使用不可を示す使用不可情報が入金装置２１に送信されて、受付け中の会員カードが返却されるとともに、確認情報の管理サーバ１４０への中継は実施されない。
【０１７６】
この中継された確認情報の受信に基づいて管理サーバ１４０（ＣＰＵ１４２）は、受信した確認情報に付加されている遊技場ＩＤと、該受信した確認情報に含まれる会員ＩＤとに対応付けて前記会員ＩＤテーブル（図２２（ａ）参照）に記憶されている電子メールアドレスを特定し、該特定した電子メールアドレスに対応付けて前記入金履歴テーブルに記憶されているデビッド入金額に基づいて、前記利用限度額設定画面（図１２（ａ）参照）にて設定されている各対象期間、具体的には利用当日１日並びに最近１ヶ月における当該会員遊技者のデビット入金により入金した日合計金額と月合計金額を前述の如くに集計し、該集計した合計額に受信した確認情報に含まれる入金金額を加算した合算金額が、各所定期間（対象期間）に設定されている利用限度額（上限金額）を超過しているか否かを判定し、判定結果が超過（ＮＧ）のときは、利用限度額（上限金額）と合算金額との差額である入金可能額を算出する。
【０１７７】
そして、これらの判定結果の内容と、受信した確認情報に含まれる装置ＩＤとを含む判定結果を、受信した遊技場ＩＤから特定される遊技場のシステムコントローラ１００に対して送信する。尚、判定結果が超過（ＮＧ）のときには、前記にて算出した入金可能額を含む判定結果が送信される。
【０１７８】
この判定結果の受信に基づいてシステムコントローラ１００（ＣＰＵ１０２）は、受信した判定結果に含まれる装置ＩＤの入金装置２１に対して、受信した判定結果を中継する。
【０１７９】
該中継された判定結果を受信した入金装置２１（ＭＰＵ４４８）は、受信した判定結果から判定内容を特定し、該特定した判定結果がＮＧ（超過）のときは、該判定結果に含まれる入金可能額を表示部４０４に表示して、該入金可能額を上限とする入金金額の再受付けを実施する。
【０１８０】
一方、特定した判定結果がＯＫ（未超過）のときは、キャッシュカード挿入口４０２へのキャッシュカードの挿入を促すメッセージを表示部４０４に表示して、会員遊技者からキャッシュカードを受付けて、該受付けたキャッシュカードに記録されている記録情報である口座情報を、キャッシュカードリーダ４１３にて読み出させて、該読み出された口座情報を一時記憶するとともに、該口座情報と前記受付けた入金金額とを含む決済要求をデビット決済端末１６０に対して送信する。
【０１８１】
この決済要求の受信に基づいてデビット決済端末１６０は、受信した決済要求をデビット決済管理サーバ１８０に中継し、該中継に応じてデビット決済管理サーバ１８０から返信される決済の可否情報（具体的には、受信した決済要求に含まれる入金金額が、口座情報から特定される口座の口座残額の範囲内にあって、入金金額の引き落としが可能である場合には決済可の可否情報となり、入金金額が口座残額よりも大きく入金金額の引き落としが不能である場合には決済不可の可否情報となる）の内容が決済可であれば暗証番号送信要求を入金装置２１に返信する。
【０１８２】
この暗証番号送信要求の受信に基づいて入金装置２１（ＭＰＵ４４８）は、キャッシュカードを使用するための暗証番号の入力を促すメッセージを表示部４０４に表示して、会員遊技者から暗証番号を受付けて、本発明における決済要求を成す該受付けた暗証番号をデビット決済端末１６０に送信する。
【０１８３】
この暗証番号の受信に基づいてデビット決済端末１６０は、該受信した暗証番号と前記にて中継した口座情報とともにデビット決済管理サーバ１８０に中継し、該デビット決済管理サーバ１８０から当該中継した暗証番号による照合結果を入手して、該照合結果を入金装置２１に送信する。尚、これら暗証番号の照合において暗証番号が一致した場合には、デビット決済管理サーバ１８０は、前記にてデビット決済端末１６０から受信した決済要求に含まれる入金金額の、該決済要求に含まれる口座情報から特定される口座からの引き落とし要求を、当該口座に対応する金融機関の図示しない管理コンピュータ（金融機関によっては、複数の金融機関を統合して管理する管理ネットワークである場合もある）に対して送信して該入金金額の引き落としを実施し、所定期間においてデビット決済端末１６０から送信される決済要求に基づいて引き落とした額の総額から決済手数料を差し引い金額を、該デビット決済端末１６０が設置されている遊技場の指定口座に振り込むための処理を実施することで決済を実施する。
【０１８４】
この照合結果の受信に基づいて入金装置２１（ＭＰＵ４４８）は、照合結果が暗証番号の不一致を示す「ＮＧ」である場合には、処理を中断して、会員カード並びにキャッシュカードを全て返却して処理を中止するとともに、照合結果が暗証番号の一致を示す「ＯＫ」である場合には、該会員遊技者より受付けた入金金額と入金種別（デビット入金）と会員ＩＤとを含む入金情報をシステムコントローラ１００に送信する。
【０１８５】
この入金情報の受信に基づいてシステムコントローラ１００（ＣＰＵ１０２）は、前記カードマスターテーブルに、受信した入金情報に含まれる会員ＩＤに対応付けて記憶されている残存度数の大きさとデビッド入金残存度数の大きさとに、該受信した入金情報に含まれる入金金額に相当する度数の大きさを加算更新するとともに、直近の入金種別の項目に、受信した入金情報に含まれる入金種別であるデビッド入金に対応する「デビッド」を記憶してカードマスターテーブルを更新した後、受信した入金情報の送信元の入金装置２１に対して更新完了通知を返信する。
【０１８６】
この更新完了通知の受信に基づいて入金装置２１（ＭＰＵ４４８）は、会員遊技者より受付けた入金金額に相当する度数の大きさを、前記にて一時記憶している受付け中の会員カードから読み出した度数データから特定される度数（残存度数）の大きさに加算して、新たな残存度数の大きさを算出し、該新たな残存度数の大きさを特定可能な度数データを、受付け中の会員カードに前記カードリーダライタ４４５にて記録させて度数データを更新させるとともに、該更新後の会員カードと受付け中のキャッシュカードとを返却し、デビッド利用明細が印刷されたレシートをレシート排出口４０８より発行することで、会員遊技者は、該返却された会員カードを用いて、前記新たな残存度数の大きさをカードユニット３にて遊技に使用できるようになる。
【０１８７】
また、前記入金情報の受信に基づいてシステムコントローラ１００（ＣＰＵ１０２）は、前述のようにカードマスターテーブルを更新するとともに、該受信した入金種別としてデビッド入金を含む入金情報に当該遊技場の遊技場ＩＤを付加して管理サーバ１４０に送信（中継）する。
【０１８８】
この遊技場ＩＤが付加されたデビッド入金の入金種別を含む入金情報の受信に基づいて、管理サーバ１４０（ＣＰＵ１４２）は、受信した入金情報に付加されている遊技場ＩＤと、該受信した入金情報に含まれる会員ＩＤとに対応付けて会員ＩＤテーブル（図２２（ｂ）参照）に記憶されている電子メールアドレスを特定し、デビッド入金された当日の日付に対応付けて、該特定した電子メールアドレスと、該受信した入金情報に含まれる入金金額とからなるデビッド入金履歴を記憶して入金履歴テーブルを更新する。
【０１８９】
以上、本実施例４によれば、会員遊技者が複数のキャッシュカードを用いて、所有している複数の遊技場にて発行されたいずれの会員カードに記録されている遊技用価値特定情報となる度数データ並びに会員ＩＤに基づいて特定される度数の大きさへの前記口座決済遊技用価値加算処理となるデビッド入金を実施しても、該会員遊技者が会員となっている全ての遊技場における前記デビッド入金に供された加算価値の大きさとなるデビッド入金金額の合計である日合計金額や月合計金額が集計処理にて集計され、該集計された日合計金額や月合計金額と新たに加算更新しようとする入金金額とを合算した合算加算価値の大きさとなる合算金額が、上限値である利用限度額（上限額）を超過していないことを条件として新たに加算更新しようとする入金金額のデビッド入金が実施されるようになるため、会員遊技者が複数のキャッシュカードを使用したり、複数の遊技場に会員登録している場合であっても、のめり込みを防止することができる。
【実施例５】
【０１９０】
本実施例５は請求項４に対応しており、本実施例５の特徴としては、前記実施例４においては、入金装置２１におけるデビッド入金に際して、デビッド入金の可否判定を遊技場外に設けられた管理サーバ１４０にて実施しているのに対し、本実施例４では、前記実施例２と同様に、これらデビッド入金の可否判定を、遊技場内に設けられた場内管理装置並びに残存遊技用価値管理装置となるシステムコントローラ１００が実施する点であり、その他のシステム構成等は、前記実施例４の遊技用システムと同一であることから、同一である部分の説明は省略するものとし、前記実施例４からの変更点となる本実施例５の特徴部分について以下に説明する。
【０１９１】
まず、本実施例５のシステムコントローラ１００には、前記実施例４（実施例１と同一）における図８に示すカードマスターテーブルに代えて、図１７に示すカードマスターテーブルが記憶されている。
【０１９２】
この本実施例５のカードマスターテーブルには、前記実施例４（実施例１と同一）の図８に示すカードマスターテーブルの構成に加えて、図１７に示すように、デビッド入金不可の項目が追加されることで、該遊技場において各会員遊技者に発行された会員カードに記憶されている各会員ＩＤに対応付けて、各会員カードを用いた前記デビッド入金処理の可／不可を特定可能な可否情報となるデビッド入金不可の項目の情報（フラグ）が記憶されていて、該カードマスターテーブルによって本発明の請求項４における可否情報記憶手段が形成されている。
【０１９３】
また、本実施例５のシステムコントローラ１００のＣＰＵ１０２は、前記入金装置２１から送信される前記確認情報を受信したときに、該確認情報に含まれる会員ＩＤに対応付けて前記カードマスターテーブルに記憶されている可否情報となるデビッド入金不可の項目の情報（フラグ）、具体的には、入金可能を示す「０」或いは入金不可を示す「１」に基づいて、当該確認情報を送信してきた入金装置２１に受付け中の会員カードへのデビッド入金の可／不可を判定する可否判定処理を実施し、該可否判定処理によって本発明の請求項４における可否判定手段が形成されている。
【０１９４】
また、本実施例５のシステムコントローラ１００のＣＰＵ１０２は、前記可否判定処理における判定結果を前記入金装置２１に送信する判定結果送信処理を実施し、該判定結果送信処理によって本発明の請求項４における判定結果送信手段が形成されている。
【０１９５】
また、本実施例５のシステムコントローラ１００のＣＰＵ１０２は、後述する管理サーバ１４０において実施されるデビッド入金不可情報送信処理にて送信される本発明における価値加算不可情報となるデビッド入金不可情報の受信に基づいて、当該受信したデビッド入金不可情報に含まれる会員ＩＤに対応して前記カードマスターテーブルに記憶されているデビッド入金不可の項目の情報（「０」或いは「１」のデータ）を、不可を特定可能な情報である「１」に更新する可否情報更新処理を実施し、該可否情報更新処によって本発明の請求項４における可否情報更新手段が形成されている。
【０１９６】
また、本実施例５の入金装置２１のＭＰＵ４４８は、前記カードリーダライタ４４５に受付け中の前記会員カードから読み出した会員ＩＤと度数データと、前記金額入力キースイッチ４２２にて受付けた加算価値の大きさを特定可能な加算価値特定情報となる入金金額と当該入金装置２１に固有に付与された装置ＩＤとを含む、つまりはカードリーダライタ４４５に受付け中の前記会員カードから読み出した会員ＩＤを少なくとも含む確認情報を、本発明における場内管理装置となるシステムコントローラ１００、並びに該システムコントローラ１００を通じて管理サーバ１４０に対して送信する確認情報送信処理を実施し、該確認情報送信処理によって本発明の請求項５における確認情報送信手段が形成されている。
【０１９７】
また、本実施例５の管理サーバ１４０のＣＰＵ１４２は、前記システムコントローラ１００から送信される入金情報の受信に基づいて、その当日の日付と、該受信した入金情報に付加されている遊技場ＩＤ並びに該受信した入金情報に含まれる会員ＩＤから特定される電子メールアドレスと、受信した入金情報に含まれる入金金額であるデビッド入金額とを含む新たなデビッド入金履歴を入金履歴テーブルに記憶したときに、該記憶したデビッド入金履歴に含まれる電子メールアドレスと同一の電子メールアドレスに対応付けて入金履歴テーブルに記憶されているデビッド入金額に基づいて、前記利用限度額設定処理にて設定されている所定期間（本実施例５では、利用当日１日、最近１ヶ月間）において該会員遊技者が会員となっている全ての遊技場にて前記デビッド入金処理により加算更新（入金）した入金金額の合計金額（本発明の請求項４における総計加算価値の大きさに相当し、利用当日１日の場合には日合計金額、最近１ヶ月間の場合には月合計金額となる）を集計する集計処理と、該集計した合計金額（日合計金額、月合計金額）が前記利用限度額設定処理にて設定されている所定期間における利用限度額（上限額）を超過しているか否かを判定する判定処理を実施し、該集計処理によって、本発明の請求項４における集計手段が形成されるとともに、該判定処理によって本発明の請求項４における判定手段が形成されている。
【０１９８】
また、本実施例５の管理サーバ１４０のＣＰＵ１４２は、該判定処理において利用限度額（上限額）を超過していると判定したときに、該利用限度額（上限額）を超過していると判定された会員遊技者の氏名と電子メールアドレスに対応付けて前記会員ＩＤテーブルに記憶されている会員ＩＤである各遊技場における会員ＩＤと、当該会員ＩＤが記録された会員カードを使用してのデビッド入金処理を不可とする旨とを含む価値加算不可情報となるデビッド入金不可情報を、各会員ＩＤが対応する遊技場に設置されているシステムコントローラ１００に対して送信するデビッド入金不可情報送信処理を実施し、該デビッド入金不可情報送信処理によって本発明の請求項４における価値加算不可情報送信手段が形成されている。
【０１９９】
以下、本実施例５の入金装置２１にて会員遊技者がデビッド入金を実施することに伴う本実施例の遊技用システムの各処理状況について、図２４に基づいて以下に説明する。尚、本実施例５の入金装置２１における現金入金に伴う処理内容、精算装置２２での精算に伴う処理内容、新規会員登録に伴う処理内容は、前述の実施例１の入金装置２１（図１５参照）並びに精算装置２２（図１６参照）と同様のため、説明を省略する。
【０２００】
会員遊技者がデビッド入金を実施するために、入金装置２１の会員カード挿入口４３８に会員カードを挿入した後、デビッドキースイッチ４２６を操作した場合には、該デビッドキースイッチ４２６の操作検出に基づいて入金装置２１のＭＰＵ４４８は、カードリーダライタ４４５にて読み出した度数データから特定される度数の大きさが、入金可能な所定値（本実施例では１０００円に相当する１０度数）以下であるか否かを判定し、該所定値以下でない場合には処理を中断し、所定値以下である場合においては、入金金額の指定を促す旨のメッセージを表示部４０４に表示して、会員遊技者から金額入力キースイッチ４２２に設けられている各金額のキーの操作による入金金額の指定を受付けて、該受付けた入金金額と受付け中の会員カードから読み出して一時記憶している会員ＩＤと度数データと当該入金装置２１に固有に付与された装置ＩＤとを含む確認情報を、図２４に示すように、システムコントローラ１００に対して送信する。
【０２０１】
この確認情報の受信に基づいてシステムコントローラ１００（ＣＰＵ１０２）は、前記カードマスターテーブルに、受信した確認情報に含まれる会員ＩＤがカードマスターテーブルに存在するか否かを特定するとともに、存在する場合には、該会員ＩＤに対応付けてカードマスターテーブルに記憶されている残存度数の大きさを特定して、該残存度数の大きさと受信した確認情報に含まれる度数データから特定される度数の大きさとを照合するとともに、該カードマスターテーブルに受信した確認情報に含まれる会員ＩＤに対応付けて記憶されている使用可否の記憶内容から当該会員カードの使用可否を判定するとともに、該カードマスターテーブルに受信した確認情報に含まれる会員ＩＤに対応付けて記憶されているデビッド入金不可の記憶内容から当該会員カードへのデビッド入金の可否（可・不可）を判定する。
【０２０２】
そして、これら度数の照合並びに使用可否の記憶内容に基づく会員カードの使用可否を判定内容と、デビッド入金不可の記憶内容に基づくデビッド入金の可否の判定内容とを含む判定結果を、受信した確認情報の送信元の入金装置２１に対して返信する。
【０２０３】
該判定結果を受信した入金装置２１（ＭＰＵ４４８）は、受信した判定結果に、会員カードの使用可否或いはデビッド入金の可否のいずれか一方でも不可の判定内容が含まれる場合には、受付け中の会員カードを返却し、受信した判定結果に不可の判定内容が含まれない場合、つまりは受信した判定結果に可のみの判定内容が含まれる場合には、キャッシュカード挿入口４０２へのキャッシュカードの挿入を促すメッセージを表示部４０４に表示して、会員遊技者からキャッシュカードを受付けて、該受付けたキャッシュカードに記録されている記録情報である口座情報を、キャッシュカードリーダ４１３にて読み出させて、該読み出された口座情報を一時記憶するとともに、該口座情報と前記受付けた入金金額とを含む決済要求をデビット決済端末１６０に対して送信する。
【０２０４】
この決済要求の受信に基づいてデビット決済端末１６０は、受信した決済要求をデビット決済管理サーバ１８０に中継し、該中継に応じてデビット決済管理サーバ１８０から返信される決済の可否情報の内容が決済可であれば暗証番号送信要求を入金装置２１に返信する。
【０２０５】
この暗証番号送信要求の受信に基づいて入金装置２１（ＭＰＵ４４８）は、キャッシュカードを使用するための暗証番号の入力を促すメッセージを表示部４０４に表示して、会員遊技者から暗証番号を受付けて、該受付けた暗証番号をデビット決済端末１６０に送信する。
【０２０６】
この暗証番号の受信に基づいてデビット決済端末１６０は、該受信した暗証番号と前記にて中継した口座情報とともにデビット決済管理サーバ１８０に中継し、該デビット決済管理サーバ１８０から当該中継した暗証番号による照合結果を入手して、該照合結果を入金装置２１に送信する。
【０２０７】
この照合結果の受信に基づいて入金装置２１（ＭＰＵ４４８）は、照合結果が暗証番号の不一致を示す「ＮＧ」である場合には、処理を中断して、会員カード並びにキャッシュカードを全て返却して処理を中止するとともに、照合結果が暗証番号の一致を示す「ＯＫ」である場合には、該会員遊技者より受付けた入金金額と入金種別（デビット入金）と会員ＩＤとを含む入金情報をシステムコントローラ１００に送信する。
【０２０８】
この入金情報の受信に基づいてシステムコントローラ１００（ＣＰＵ１０２）は、前記カードマスターテーブルに、受信した入金情報に含まれる会員ＩＤに対応付けて記憶されている残存度数の大きさとデビッド入金残存度数の大きさとに、該受信した入金情報に含まれる入金金額に相当する度数の大きさを加算更新するとともに、直近の入金種別の項目に、受信した入金情報に含まれる入金種別であるデビッド入金に対応する「デビッド」を記憶してカードマスターテーブルを更新した後、受信した入金情報の送信元の入金装置２１に対して更新完了通知を返信する。
【０２０９】
この更新完了通知の受信に基づいて入金装置２１（ＭＰＵ４４８）は、会員遊技者より受付けた入金金額に相当する度数の大きさを、受付け中の会員カードから読み出して一時記憶している度数データから特定される度数（残存度数）の大きさに加算して、新たな残存度数の大きさを算出し、該新たな残存度数の大きさを特定可能な度数データを、受付け中の会員カードに前記カードリーダライタ４４５にて記録させて度数データを更新させるとともに、該更新後の会員カードと受付け中のキャッシュカードとを返却し、デビッド利用明細が印刷されたレシートをレシート排出口４０８より発行することで、会員遊技者は、該返却された会員カードを用いて、前記新たな残存度数の大きさをカードユニット３にて遊技に使用できるようになる。
【０２１０】
また、前記入金情報の受信に基づいてシステムコントローラ１００（ＣＰＵ１０２）は、前述のようにカードマスターテーブルを更新するとともに、該受信した入金種別としてデビッド入金を含む入金情報に当該遊技場の遊技場ＩＤを付加して管理サーバ１４０に送信（中継）する。
【０２１１】
この遊技場ＩＤが付加されたデビッド入金の入金種別を含む入金情報の受信に基づいて、管理サーバ１４０（ＣＰＵ１４２）は、受信した入金情報に付加されている遊技場ＩＤと、該受信した入金情報に含まれる会員ＩＤとに対応付けて会員ＩＤテーブル（図２２（ａ）参照）に記憶されている電子メールアドレスを特定し、デビッド入金されたその当日の日付と、該特定した電子メールアドレスと、該受信した入金情報に含まれる入金金額であるデビッド入金額とを含む新たなデビッド入金履歴を記憶して入金履歴テーブル（図２２（ｂ）参照）を更新する。
【０２１２】
そして、該新たに記憶したデビッド入金履歴に対応する会員遊技者の前記利用限度額設定処理にて設定されている所定期間である利用当日１日並びに最近１ヶ月における当該会員遊技者が会員となっている全ての遊技場において当該会員遊技者がデビット入金に使用した入金金額の合計金額である日合計金額と月合計金額とを集計する。
【０２１３】
これら日合計金額と月合計金額の具体的な算出状況としては、所定期間（対象期間）が例えば利用当日１日であれば、前記新たなデビッド入金履歴に含まれる電子メールアドレスと同一の電子メールアドレスに対応付けて前記入金履歴テーブルに記憶されているデビッド入金額の内、その当日の日付に対応付けられたデビッド入金額を全て抽出して合計することで算出し、対象期間が例えば最近１ヶ月であれば、その当日の日付から１ヶ月前までの各日付に対応付けられたデビッド入金額を全て抽出して合計することで算出する。
【０２１４】
そして、該集計された日合計金額や月合計金額が、各対象期間に設定されている利用限度額（上限金額）を超過しているか否かを判定し、判定結果が超過している場合には、当該判定に用いた日合計金額や月合計金額に対応して入金履歴テーブルに記憶されている当該会員遊技者の電子メールアドレスを特定し、該特定した電子メールアドレスに対応付けて会員ＩＤテーブルに記憶されている会員ＩＤと当該会員ＩＤが対応する遊技場ＩＤとを全て特定することで、当該会員遊技者が会員となっている全ての遊技場の会員ＩＤと遊技場ＩＤとを全て特定する。
【０２１５】
そして、該特定した各遊技場における会員ＩＤと、当該会員ＩＤが記録された会員カードを使用してのデビッド入金処理を不可とする旨とを含むデビッド入金不可情報を、該デビッド入金不可情報に含まれる会員ＩＤに対応する遊技場ＩＤから特定される遊技場に設置されているシステムコントローラ１００に対して送信する。つまり、これらデビッド入金不可情報は、当該会員遊技者が会員となっている全ての遊技場に設置されているシステムコントローラ１００に対して送信される。
【０２１６】
該デビッド入金不可情報の受信に基づいてシステムコントローラ１００（ＣＰＵ１０２）は、受信した該デビッド入金不可情報に含まれる会員ＩＤに対応するカードマスターテーブルのデビッド入金不可の情報（フラグ）を「１」に更新記憶することで、該会員ＩＤが記録されている会員カードへのデビッド入金が不可とされる。
【０２１７】
以上、本実施例５によれば、会員遊技者が複数のキャッシュカードを用いて、所有している複数の遊技場にて発行されたいずれの会員カードに記録されている遊技用価値特定情報となる度数データ並びに会員ＩＤに基づいて特定される度数の大きさへの前記口座決済遊技用価値加算処理となるデビッド入金を実施しても、該会員遊技者が会員となっている全ての遊技場における前記デビッド入金に供された加算価値の大きさとなるデビッド入金金額の合計である日合計金額や月合計金額が集計処理にて集計され、該集計された日合計金額や月合計金額が、上限値である利用限度額（上限額）を超過しているときには、前記デビッド入金不可情報が場内管理装置であるシステムコントローラ１００に送信されてデビッド入金不可の情報（フラグ）が不可を特定可能な「１」に更新されることで、新たにデビッド入金しようとする入金金額のデビッド入金処理が不可とされるようになるため、会員遊技者が複数のキャッシュカードを使用したり、複数の遊技場に会員登録している場合であっても、のめり込みを防止することができる。
【実施例６】
【０２１８】
本実施例６は請求項６に対応しており、本実施例６の特徴としては、前記実施例４においては、入金装置２１におけるデビッド入金に際して、デビッド入金の可否判定を遊技場外に設けられた管理サーバ１４０にて実施しているのに対し、本実施例６では、前記実施例５と同様に、これらデビッド入金の可否判定を、遊技場内に設けられた場内管理装置並びに残存遊技用価値管理装置となるシステムコントローラ１００が、前述の実施例５のようにデビッド入金不可の情報（フラグ）ではなく、管理サーバ１４０から送信されてくる後述するデビッド入金可能情報に基づいて更新されるデビッド入金可能度数に基づいて実施する点であり、その他のシステム構成等は、前記実施例４や実施例５の遊技用システムと同一であることから、同一である部分の説明は省略するものとし、前記実施例４や実施例５からの変更点となる本実施例６の特徴部分について以下に説明する。
【０２１９】
まず、本実施例６のシステムコントローラ１００には、前記実施例４（実施例１と同一）における図８に示すカードマスターテーブルに代えて、図１９に示すカードマスターテーブルが記憶されている。
【０２２０】
この本実施例６のカードマスターテーブルには、前記実施例４（実施例１と同一）の図８に示すカードマスターテーブルの構成に加えて、図１９に示すように、デビッド入金可能度数の項目が追加されることで、該遊技場において各会員遊技者に発行された会員カードに記憶されている各会員ＩＤに対応付けて、当該会員遊技者がキャッシュカードを使用しての前記デビッド入金処理にて入金できる本発明における利用可能加算価値となるデビッド入金度数が記憶されていて、該カードマスターテーブルによって本発明の請求項６における利用可能加算価値情報記憶手段が形成されている。
【０２２１】
また、本実施例６のシステムコントローラ１００のＣＰＵ１０２は、前記入金装置２１から送信される前記確認情報を受信したときに、該確認情報に含まれる会員ＩＤに対応付けて前記カードマスターテーブルに記憶されているデビッド入金度数の大きさを、受信した確認情報に含まれる入金金額に相当する度数の大きさが超過しているか否かを判定する判定処理を実施し、該判定処理によって本発明の請求項６における判定手段が形成されている。
【０２２２】
また、本実施例６のシステムコントローラ１００のＣＰＵ１０２は、前記判定処理における判定結果を前記入金装置２１に送信する判定結果送信処理を実施し、該判定結果送信処理によって本発明の請求項６における判定結果送信手段が形成されている。
【０２２３】
また、本実施例６のシステムコントローラ１００のＣＰＵ１０２は、前記判定処理における判定結果が、入金金額に相当する度数の大きさがデビッド入金可能度数を超過しているとの判定結果であるときに、前記確認情報に含まれる会員ＩＤに対応付けて前記カードマスターテーブルに記憶されている該デビッド入金度数の大きさに相当する金額であるデビッド入金可能金額を含む判定結果を送信し、このように、デビッド入金可能金額を含む判定結果が前記判定結果送信処理によって送信されることで、該判定結果送信処理によって本発明の請求項６における加算可能価値情報送信手段が形成されている。
【０２２４】
また、本実施例６の入金装置２１のＭＰＵ４４８は、システムコントローラ１００における該判定結果送信処理によって送信される判定結果の内容が、入金金額に相当する度数の大きさがデビッド入金可能度数を超過しているとの判定結果であり、該判定結果にデビッド入金可能金額が含まれる場合には、該デビッド入金可能金額を表示部４０４に表示するデビッド入金可能金額表示処理を実施し、該デビッド入金可能金額表示処理によって本発明の請求項６における利用可能加算価値報知手段が形成されている。
【０２２５】
また、本実施例６のシステムコントローラ１００のＣＰＵ１０２は、後述する管理サーバ１４０において実施されるデビッド入金可能情報送信処理にて送信される利用可能加算価値情報となるデビッド入金可能情報の受信に基づいて、該受信したデビッド入金可能情報に含まれる会員ＩＤに対応して前記カードマスターテーブルに記憶されているデビッド入金可能度数の大きさを、該受信したデビッド入金可能情報に含まれる差額（デビッド入金可能額）に対応する度数の大きさに更新するデビッド入金可能度数更新処理を実施し、該デビッド入金可能度数更新処理によって本発明の請求項６における利用可能加算価値情報更新手段が形成されている。
【０２２６】
また、本実施例６の管理サーバ１４０のＣＰＵ１４２は、前記システムコントローラ１００から送信される入金情報の受信に基づいて、前記入金履歴テーブル更新処理を実施して新たにデビッド入金履歴を入金履歴テーブルに記憶したときに、該記憶したデビッド入金履歴に含まれる電子メールアドレスと同一の電子メールアドレスに対応付けて入金履歴テーブルに記憶されているデビッド入金額に基づいて、前記利用限度額設定処理にて設定されている所定期間（本実施例６では、利用当日１日、最近１ヶ月間）において該会員遊技者が会員となっている全ての遊技場にて前記デビッド入金処理により加算更新（入金）した入金金額の合計金額（本発明の請求項４における総計加算価値の大きさに相当し、利用当日１日の場合には日合計金額、最近１ヶ月間の場合には月合計金額となる）を集計する集計処理と、該集計した合計金額（日合計金額、月合計金額）と前記利用限度額設定処理にて設定されている所定期間における利用限度額（上限額）との差額を算出することで、当該会員遊技者がデビッド入金処理によりデビッド入金できる加算価値の大きさであるデビッド入金可能額を特定するデビッド入金可能額特定処理を実施し、該集計処理によって、本発明の請求項６における集計手段が形成されるとともに、該デビッド入金可能額特定処理によって本発明の請求項６における利用可能加算価値特定手段が形成されている。
【０２２７】
また、本実施例６の管理サーバ１４０のＣＰＵ１４２は、該デビッド入金可能額特定処理にて特定されたデビッド入金可能額が、予め設定されている前記１回のデビッド入金処理にてデビッド入金できる入金金額の上限金額である１００００円未満となったことを条件に、該デビッド入金可能額特定処理にて特定されたデビッド入金可能額と、当該会員遊技者の氏名と電子メールアドレスに対応付けて前記会員ＩＤテーブルに記憶されている会員ＩＤである各遊技場における会員ＩＤとを含むデビッド入金可能情報を、各会員ＩＤが対応する遊技場に設置されているシステムコントローラ１００に送信するデビッド入金可能情報送信処理を実施し、該デビッド入金可能情報送信処理によって本発明の実施例６における利用可能加算価値情報送信手段が形成されている。
【０２２８】
以下、本実施例６の入金装置２１にて会員遊技者がデビッド入金を実施することに伴う本実施例の遊技用システムの各処理状況について、図２５に基づいて以下に説明する。尚、本実施例６の入金装置２１における現金入金に伴う処理内容、精算装置２２での精算に伴う処理内容、並びに新規会員登録に伴う処理内容は、前述の実施例１の入金装置２１（図１５参照）並びに精算装置２２（図１６参照）と同様のため、説明を省略する。
【０２２９】
会員遊技者がデビッド入金を実施するために、入金装置２１の会員カード挿入口４３８に会員カードを挿入した後、デビッドキースイッチ４２６を操作した場合には、該デビッドキースイッチ４２６の操作検出に基づいて入金装置２１のＭＰＵ４４８は、カードリーダライタ４４５にて読み出した度数データから特定される度数の大きさが、入金可能な所定値（本実施例では１０００円に相当する１０度数）以下であるか否かを判定し、該所定値以下でない場合には処理を中断し、所定値以下である場合においては、入金金額の指定を促す旨のメッセージを表示部４０４に表示して、会員遊技者から金額入力キースイッチ４２２に設けられている各金額のキーの操作による入金金額の指定を受付けて、該受付けた入金金額と受付け中の会員カードから読み出して一時記憶している会員ＩＤと度数データと当該入金装置２１に固有に付与された装置ＩＤとを含む確認情報を、図２５に示すように、システムコントローラ１００に対して送信する。
【０２３０】
この確認情報の受信に基づいてシステムコントローラ１００（ＣＰＵ１０２）は、前記カードマスターテーブルに、受信した確認情報に含まれる会員ＩＤがカードマスターテーブルに存在するか否かを特定するとともに、存在する場合には、該会員ＩＤに対応付けてカードマスターテーブルに記憶されている残存度数の大きさを特定して、該残存度数の大きさと受信した確認情報に含まれる度数データから特定される度数の大きさとを照合するとともに、該カードマスターテーブルに受信した確認情報に含まれる会員ＩＤに対応付けて記憶されている使用可否の記憶内容から当該会員カードの使用可否を判定するとともに、該カードマスターテーブルに受信した確認情報に含まれる会員ＩＤに対応付けて記憶されているデビッド入金可能度数の大きさを特定し、該特定したデビッド入金可能度数の大きさを受信した確認情報に含まれる入金金額が相当する度数の大きさが超過しているか否かを判定する。尚、カードマスターテーブルに受信した確認情報に含まれる会員ＩＤに対応付けてデビッド入金可能度数の大きさの記憶（登録）がない場合には、後述するように、当該会員ＩＤが記録されている会員カードへのデビッド入金可能金額は、一回のデビッド入金処理にて入金可能な１００００円以上であることとなるので、該判定結果の内容は、超過しない（未超過）ことに基づくデビッド入金を許諾する旨となる「ＯＫ」の判定結果とされる。
【０２３１】
この判定結果が、前記特定したデビッド入金可能度数の大きさを受信した確認情報に含まれる入金金額が相当する度数の大きさが超過しない場合には、該超過しない（未超過）ことに基づくデビッド入金を許諾する旨となる「ＯＫ」の判定内容と、前記度数の照合並びに使用可否の記憶内容に基づく会員カードの使用可否を判定内容とを含む判定結果を、受信した確認情報の送信元の入金装置２１に対して返信し、前記判定結果が、前記特定したデビッド入金可能度数の大きさを受信した確認情報に含まれる入金金額が相当する度数の大きさが超過する場合には、該超過することに基づくデビッド入金を許諾しない旨となる「ＮＧ」の判定内容と、該特定したデビッド入金可能度数の大きさに相当するデビッド入金可能額と、前記度数の照合並びに使用可否の記憶内容に基づく会員カードの使用可否を判定内容とを含む判定結果を、受信した確認情報の送信元の入金装置２１に対して返信する。
【０２３２】
該判定結果を受信した入金装置２１（ＭＰＵ４４８）は、受信した判定結果に、会員カードの使用不可の情報が含まれている場合には、受付け中の会員カードを返却して処理を中断し、受信した判定結果に、会員カードの使用可の情報が含まれ、且つデビッド入金可能度数の大きさを超過したことに基づくデビッド入金を許諾しない旨となる「ＮＧ」の判定内容が含まれる場合には、受信した該判定結果に含まれるデビッド入金可能額を前記表示部４０４に表示して（図３参照）、再度入金金額の受付けに戻って入金金額の再受付けを実施する。
【０２３３】
一方、受信した判定結果に会員カードの使用可の情報が含まれ、且つデビッド入金可能度数の大きさを超過しない（未超過）ことに基づくデビッド入金を許諾する旨となる「ＯＫ」の判定内容が含まれる場合には、キャッシュカード挿入口４０２へのキャッシュカードの挿入を促すメッセージを表示部４０４に表示して、会員遊技者からキャッシュカードを受付けて、該受付けたキャッシュカードに記録されている記録情報である口座情報を、キャッシュカードリーダ４１３にて読み出させて、該読み出された口座情報を一時記憶するとともに、該口座情報と前記受付けた入金金額とを含む決済要求をデビット決済端末１６０に対して送信する。
【０２３４】
この決済要求の受信に基づいてデビット決済端末１６０は、受信した決済要求をデビット決済管理サーバ１８０に中継し、該中継に応じてデビット決済管理サーバ１８０から返信される決済の可否情報の内容が決済可であれば暗証番号送信要求を入金装置２１に返信する。
【０２３５】
この暗証番号送信要求の受信に基づいて入金装置２１（ＭＰＵ４４８）は、キャッシュカードを使用するための暗証番号の入力を促すメッセージを表示部４０４に表示して、会員遊技者から暗証番号を受付けて、該受付けた暗証番号をデビット決済端末１６０に送信する。
【０２３６】
この暗証番号の受信に基づいてデビット決済端末１６０は、該受信した暗証番号と前記にて中継した口座情報とともにデビット決済管理サーバ１８０に中継し、該デビット決済管理サーバ１８０から当該中継した暗証番号による照合結果を入手して、該照合結果を入金装置２１に送信する。
【０２３７】
この照合結果の受信に基づいて入金装置２１（ＭＰＵ４４８）は、照合結果が暗証番号の不一致を示す「ＮＧ」である場合には、処理を中断して、会員カード並びにキャッシュカードを全て返却して処理を中止するとともに、照合結果が暗証番号の一致を示す「ＯＫ」である場合には、該会員遊技者より受付けた入金金額と入金種別（デビット入金）と会員ＩＤとを含む入金情報をシステムコントローラ１００に送信する。
【０２３８】
この入金情報の受信に基づいてシステムコントローラ１００（ＣＰＵ１０２）は、前記カードマスターテーブルに、受信した入金情報に含まれる会員ＩＤに対応付けて記憶されている残存度数の大きさとデビッド入金残存度数の大きさとに、該受信した入金情報に含まれる入金金額に相当する度数の大きさを加算更新するとともに、直近の入金種別の項目に、受信した入金情報に含まれる入金種別であるデビッド入金に対応する「デビッド」を記憶してカードマスターテーブルを更新した後、受信した入金情報の送信元の入金装置２１に対して更新完了通知を返信する。尚、本実施例では、この時点では、入金情報に含まれる入金金額に相当する度数の大きさを、デビッド入金可能度数から減算更新せず、後述する管理サーバ１４０から送信されるデビッド入金不可情報により更新するようにしているが、本発明はこれに限定されるものではなく、この時点においてデビッド入金可能度数から入金金額に相当する度数の大きさを減算更新するようにしても良い。
【０２３９】
この更新完了通知の受信に基づいて入金装置２１（ＭＰＵ４４８）は、会員遊技者より受付けた入金金額に相当する度数の大きさを、受付け中の会員カードから読み出して一時記憶している度数データから特定される度数（残存度数）の大きさに加算して、新たな残存度数の大きさを算出し、該新たな残存度数の大きさを特定可能な度数データを、受付け中の会員カードに前記カードリーダライタ４４５にて記録させて度数データを更新させるとともに、該更新後の会員カードと受付け中のキャッシュカードとを返却し、デビッド利用明細が印刷されたレシートをレシート排出口４０８より発行することで、会員遊技者は、該返却された会員カードを用いて、前記新たな残存度数の大きさをカードユニット３にて遊技に使用できるようになる。
【０２４０】
また、前記入金情報の受信に基づいてシステムコントローラ１００（ＣＰＵ１０２）は、前述のようにカードマスターテーブルを更新するとともに、該受信した入金種別としてデビッド入金を含む入金情報に当該遊技場の遊技場ＩＤを付加して管理サーバ１４０に送信（中継）する。
【０２４１】
この遊技場ＩＤが付加されたデビッド入金の入金種別を含む入金情報の受信に基づいて、管理サーバ１４０（ＣＰＵ１４２）は、受信した入金情報に付加されている遊技場ＩＤと、該受信した入金情報に含まれる会員ＩＤとに対応付けて会員ＩＤテーブル（図２２（ａ）参照）に記憶されている電子メールアドレスを特定し、デビッド入金されたその当日の日付と、該特定した電子メールアドレスと、該受信した入金情報に含まれる入金金額であるデビッド入金額とを含む新たなデビッド入金履歴を記憶して入金履歴テーブル（図２２（ｂ）参照）を更新する。
【０２４２】
そして、該新たに記憶したデビッド入金履歴に対応する会員遊技者の前記利用限度額設定処理にて設定されている所定期間である利用当日１日並びに最近１ヶ月における当該会員遊技者が会員となっている全ての遊技場において当該会員遊技者がデビット入金に使用した入金金額の合計金額である日合計金額と月合計金額とを集計する。
【０２４３】
これら日合計金額と月合計金額の具体的な算出状況としては、所定期間（対象期間）が例えば利用当日１日であれば、前記新たなデビッド入金履歴に含まれる電子メールアドレスと同一の電子メールアドレスに対応付けて前記入金履歴テーブルに記憶されているデビッド入金額の内、その当日の日付に対応付けられたデビッド入金額を全て抽出して合計することで算出し、対象期間が例えば最近１ヶ月であれば、その当日の日付から１ヶ月前までの各日付に対応付けられたデビッド入金額を全て抽出して合計することで算出する。
【０２４４】
そして、該集計された日合計金額や月合計金額と、各対象期間に設定されている利用限度額（上限金額）との差額を算出し、該算出した各差額の内、いずれか少ない方の差額をデビッド入金可能額として特定するとともに、該特定したデビッド入金可能額が１回のデビッド入金処理にてデビッド入金できる入金金額の上限金額である１００００円未満となっているか否かを判定し、判定結果が１００００円未満となっている場合には、当該判定に用いた合計金額の算出に用いたデビッド入金履歴に対応して入金履歴テーブルに記憶されている当該会員遊技者の電子メールアドレスを特定し、該特定した電子メールアドレスに対応付けて会員ＩＤテーブルに記憶されている会員ＩＤと当該会員ＩＤが対応する遊技場ＩＤとを全て特定することで、当該会員遊技者が会員となっている全ての遊技場の会員ＩＤと遊技場ＩＤとを全て特定する。
【０２４５】
そして、該特定した各遊技場における会員ＩＤと、前記にて特定したデビッド入金可能額とを含むデビッド入金可能情報を、該デビッド入金可能情報に含まれる会員ＩＤに対応する遊技場ＩＤから特定される遊技場に設置されているシステムコントローラ１００に対して送信する。つまり、これらデビッド入金可能情報は、当該会員遊技者が会員となっている全ての遊技場に設置されているシステムコントローラ１００に対して送信される。
【０２４６】
尚、前記にて特定したデビッド入金可能額が１回のデビッド入金処理にて入金できる上限金額である１００００円以上である場合には、全ての入金金額がデビッド入金可能額以下となることから、本実施例ではデビッド入金可能情報を送信しないようにしており、このようにすることは、不必要なデビッド入金可能情報の送信の削減によりシステムコントローラ１００との通信負荷を低減できることから好ましいが、本発明はこれに限定されるものではなく、これらデビッド入金可能額の１回のデビッド入金処理にて入金できる上限金額等との大小等に依らず、デビッド入金可能情報を送信するようにしても良い。
【０２４７】
そして、前記デビッド入金可能情報の受信に基づいてシステムコントローラ１００（ＣＰＵ１０２）は、受信した該デビッド入金可能情報に含まれる会員ＩＤに対応するカードマスターテーブルのデビッド入金可能度数の大きさを、受信したデビッド入金可能情報に含まれるデビッド入金可能額に相当する度数の大きさに更新することで、該更新されたデビッド入金可能度数に基づいて、デビッド入金の可否が該システムコントローラ１００にて判定される。
【０２４８】
以上、本実施例６によれば、会員遊技者が複数のキャッシュカードを用いて、所有している複数の遊技場にて発行されたいずれの会員カードに記録されている遊技用価値特定情報となる度数データ並びに会員ＩＤに基づいて特定される度数の大きさへの前記口座決済遊技用価値加算処理となるデビッド入金を実施しても、該会員遊技者が会員となっている全ての遊技場における前記デビッド入金に供された加算価値の大きさとなるデビッド入金金額の合計である日合計金額や月合計金額が集計処理にて集計され、該集計された日合計金額や月合計金額と上限値である利用限度額（上限額）との差額であるデビッド入金可能額を含むデビッド入金可能情報が、場内管理装置であるシステムコントローラ１００に送信されてデビッド入金可能度数の大きさが、デビッド入金可能情報に含まれるデビッド入金可能額に相当する度数の大きさに更新されることで、新たにデビッド入金しようとする入金金額が該デビッド入金可能額を超過しているときにはデビッド入金処理が不可とされるようになるため、会員遊技者が複数のキャッシュカードを使用したり、複数の遊技場に会員登録している場合であっても、のめり込みを防止することができる。
【０２４９】
また、前記各実施例によれば、新たに新規会員遊技者の登録を実施した場合に、新規会員登録情報が会員管理コンピュータ１２０からシステムコントローラ１００を介して管理サーバ１４０に送信され、会員ＩＤテーブルに該新規会員登録情報に含まれている属性情報となる氏名と電子メールアドレスと同一の氏名と電子メールアドレスが登録されているときには、該登録されている氏名と電子メールアドレスに対応する該新規会員登録情報を送信してきた会員管理コンピュータ１２０が設置されている遊技場の遊技場ＩＤの項目に、該受信した新規会員登録情報に含まれる会員ＩＤが記憶されて会員ＩＤテーブルが更新されるので、これら新規会員遊技者の氏名と電子メールアドレスと同一の氏名と電子メールアドレスの登録の有無を特定して新規会員遊技者の会員ＩＤを当該氏名と電子メールアドレスに対応付けて更新記憶する手間を省くことができるばかりか、これら同一の氏名と電子メールアドレスが前記会員ＩＤテーブルに複数存在することによる不都合の発生も回避できる。
【０２５０】
また、前記各実施例によれば、最も直近のデビッド入金が実施された時点から遊技に使用された遊技用価値の大きさである直近使用価値の大きさとなる総使用度数の大きさが、予め設定された所定の大きさである２０００円に相当する２０度数以上でないときには、精算装置２２における精算処理が不可とされるので、例えば、口座からデビッド入金した入金金額に基づく度数の大きさが未使用にて精算されることにより、遊技場側が口座特定用記録媒体である例えばキャッシュカードを使用した決済に伴って負担しなければならない手数料等の各種費用に見合った利益を得られなくなる不都合を回避することができる。
【０２５１】
また、前記各実施例によれば、最も直近のデビッド入金が実施された時点からの遊技履歴に関する遊技履歴関連情報となる遊技時間が、予め設定された遊技時間条件である１０分以上を満たさないときには、精算処理が不可とされるので、例えば、口座からデビッド入金した入金金額に基づく度数の大きさが遊技することなく未使用にて精算されることにより、遊技場側が口座特定用記録媒体である例えばキャッシュカードを使用した決済に伴って負担しなければならない手数料等の各種費用に見合った利益を得られなくなる不都合を回避することができる。
【０２５２】
以上、本発明の実施例を図面により説明してきたが、具体的な構成はこれら実施例に限られるものではなく、本発明の要旨を逸脱しない範囲における変更や追加があっても本発明に含まれる。
【０２５３】
例えば、前記実施例では、会員カードに残存している残存度数が、所定度数である１０００円に相当する１０度数以下となったときに現金入金やデビッド入金を可能としているが、本発明はこれに限定されるものではなく、これら所定度数を１０００円に相当する１０度数以外、例えば５度数としても良いし、或いは０度数としても良い。
【０２５４】
また、前記実施例では、遊技履歴に関する遊技関連情報として遊技時間を用いているが、本発明はこれに限定されるものではなく、これら遊技履歴に関する遊技関連情報としては、貸出回数や始動回数を用いるようにしても良い。
【０２５５】
また、前記実施例では、入金装置２１において、現金を使用した現金入金も可能とされているが、本発明はこれに限定されるものではなく、これら入金装置２１を、キャッシュカードを使用したデビッド入金処理のみを実施するものとしても良い。
【０２５６】
また、前記実施例では、入金装置２１をカードユニット３とは別個に設けるようにしているが、本発明はこれに限定されるものではなく、これら入金装置２１の機能をカードユニット３に付加した構成としても良い。
【０２５７】
また、前記実施例では、場内管理装置と残存遊技用価値管理装置とをシステムコントローラ１００にて形成しているが、本発明はこれに限定されるものではなく、これら場内管理装置と残存遊技用価値管理装置とを個別の管理コンピュータ等にて構成しても良い。
【０２５８】
また、前記実施例では、遊技用価値特定情報として会員ＩＤと度数データとの２つの情報を、残存度数の照合等のために会員カードに記憶しているが、本発明はこれに限定されるものではなく、会員カードに会員ＩＤのみを記憶しておき、該会員ＩＤに対応する残存度数を、システムコントローラ１００から入金装置２１や精算装置２２が入手するようにしても良い。
【０２５９】
また、前記実施例では、会員識別情報として会員ＩＤを用い、該会員ＩＤにより各会員カードも個々に特定可能とされているが、本発明はこれに限定されるものではなく、これら会員ＩＤに加えて会員カードを個々に識別可能とする会員カードＩＤを会員カードに記録するようにしたり、或いは会員カードＩＤのみを記録して、該会員カードＩＤを会員識別情報として用いるようにしても良い。
【０２６０】
また、前記実施例では、会員カードとして非接触のＩＣカードを使用していが、本発明はこれに限定されるものではなく、これら会員用記録媒体である会員カードの記録媒体としては、会員ＩＤや度数データ等の各種の情報（データ）を少なくとも読み出し可能なものであって、発行を受けた会員遊技者が所持可能なものであれば任意の記録媒体を使用することができる。
【０２６１】
また、前記実施例では、利用限度額の設定や、精算可能条件の設定を、管理サーバ１４０側にて実施するようにしているが、本発明はこれに限定されるものではなく、これらの設定を、例えばシステムコントローラ１００にて実施するようにしても良い。
【０２６２】
また、前記実施例１〜３では、利用限度額の設定内容として、前述した最近１か月の対象期間や、最近１週間や、最近１０日間等の各種の対象期間での合計金額を算出可能とするために、管理サーバ１４０が、前述したように、各会員遊技者の氏名と電子メールアドレスに対応付けて、該会員遊技者の一日単位のデビッド入金履歴を記憶する会員別入金履歴テーブルを有するようにしているが、本発明はこれに限定されるものではなく、これら対象期間を１日のみとしたり、１か月間のみとする場合には、これらの入金履歴を記憶、管理するのではなく、図２１に示す会員別デビッド総入金額テーブルように、各会員遊技者のデビッド入金金額を１日、または１か月間において蓄積加算して集計、管理するようにしても良い。
【０２６３】
また、前記実施例では、精算装置２２から送信される精算許諾要求の受信に基づいて、システムコントローラ１００において、受信した該精算許諾要求に含まれる会員ＩＤに対応付けてカードマスターテーブルに記憶されている総使用度数の大きさや総遊技時間が、設定情報に基づく最低利用金額に相当する度数や最低遊技時間を満たしていない場合には、会員カードに残存する全ての度数の精算が不可とされるようになっているが、本発明はこれに限定されるものではなく、例えば、該会員カードに残存する残存度数の内、デビッド入金残存度数に加えて現金入金に基づく現金入金残存度数が存在する場合には、これら現金入金残存度数の大きさに相当する金額を、精算可能金額として精算装置２２に通知して、該現金入金残存度数の大きさに相当する精算可能金額のみは、最低利用金額に相当する度数や最低遊技時間を満たしていない場合であっても精算できるようにしても良い。
【０２６４】
また、前記実施例では、会員カードに残存する全ての度数を精算するようにしているが、本発明はこれに限定されるものではなく、これら会員カードから読み出した度数データ並びに会員ＩＤから特定される度数の大きさの内、精算する金額を会員遊技者から受付けて、該受付けた金額を現金にて払い出して精算するようにしても良い。
【０２６５】
また、前記実施例では、入金装置２１において会員遊技者から金額入力キースイッチ４２２の操作により入金金額の受付けを実施するようにしているが、本発明はこれに限定されるものではなく、これら入金金額を一律の例えば５０００円として、これら入金金額の受付けを実施しないようにしても良い。
【０２６６】
また、前記実施例では、入金装置２１において会員カードへの入金処理をする部分と、キャッシュカードを受付けて該キャッシュカードに関するデビッド決済に関する処理を実施する部分とを一体としているが、本発明はこれに限定されるものではなく、これらの各部分を個別の装置として構成しても良い。
【０２６７】
また、前記実施例３では、システムコントローラ１００が入金情報を受信した際に、該システムコントローラ１００に記憶しているカードマスターテーブルのデビッド入金可能度数を更新してから該受信した入金情報に遊技場ＩＤを付加した入金情報を管理サーバ１４０に送信するようにしているが、本発明はこれに限定されるものではなく、システムコントローラ１００はカードマスターテーブルのデビッド入金可能度数を更新せずに、遊技場ＩＤを付加した入金情報を管理サーバ１４０に送信し、該管理サーバから送信されるデビッド入金可能情報に基づいてカードマスターテーブルのデビッド入金可能度数を更新するようにしても良い。
【０２６８】
また、前記実施例３並びに前記実施例６では、デビッド入金可能情報を、入金情報を送信してきた遊技場のシステムコントローラ１００に対しても送信するようにしているが、本発明はこれに限定されるものではなく、この入金情報を送信してきた遊技場のシステムコントローラ１００以外の会員が会員登録している遊技場のシステムコントローラ１００に対してのみ、デビッド入金可能情報を送信するようにしても良い。
【０２６９】
また、前記実施例では、暗証番号を個別に受付けるために、本発明における決済要求を、口座情報と入金金額とを含む決済要求と、利用者の本人確認を実施するための暗証番号との２つから構成しているが、本発明はこれに限定されるものではなく、例えば暗証番号を受付けた後に、口座情報と入金金額とともに暗証番号とを含む決済要求を入金装置２１がデビッド端末１６０を通じてデビット決済管理サーバ１８０に送信し、該デビット決済管理サーバ１８０が、該受信した決済要求に含まれる口座情報から特定される口座に入金金額以上の残額が有るか否か、当該口座の暗証番号と受信した決済要求に含まれる暗証番号との照合が一致するか否かを判定し、該判定結果に基づいて決済の可否を、デビッド端末１６０を通じて入金装置２１に送信することで、デビット決済管理サーバ１８０並びにデビッド端末１６０とのやりとりを１回のみとしても良い。
【０２７０】
また、前記実施例では、入金金額を受付けた後にキャッシュカードを受付け、その後に暗証番号の受付けを実施するようにしているが、本発明はこれに限定されるものではなく、これらの受付けの順番等は、適宜に選択すれば良く、例えば、最初にキャッシュカードを受付けることでデビッド入金であると自動判定し、暗証番号を受付けた後、入金金額を受付けるようにしても良い。
【０２７１】
また、本発明の請求項１、３、５に対応する前記実施例１〜３では、合計記憶手段を会員ＩＤテーブル並びに会員別入金履歴テーブルの２つのテーブルにより構成しているが、本発明はこれに限定されるものではなく、これらの双方のテーブルを１つにまとめたテーブルにより合計記憶手段を形成しても良い。
【０２７２】
また、本発明の請求項１、３、５に対応する前記実施例１〜３では、入金情報に含まれる会員ＩＤから氏名や電子メールアドレスを特定する処理や、氏名や電子メールアドレスから各遊技場の当該会員遊技者の会員ＩＤを特定する処理の処理負荷を低減するために、図１０（ａ）に示す遊技場別会員情報データベースに加えて図１０（ｂ）に示す会員ＩＤテーブルを個別に設けているが、本発明はこれに限定されるものではなく、会員数が比較的少ない規模にてシステムを運営する場合であれば、これら会員ＩＤテーブルを個別に設けずに、遊技場別会員情報テーブルを用いて、入金情報に付加されている遊技場ＩＤと入金情報に含まれる会員ＩＤから氏名や電子メールアドレスを特定するようにしたり、氏名や電子メールアドレスから各遊技場の当該会員遊技者の会員ＩＤを特定するようにしても良い。
【０２７３】
また、本発明の請求項１に対応する前記実施例１並びに請求項２に対応する前記実施例４では、遊技場にシステムコントローラ１００を設けた構成としているが、本発明はこれに限定されるものではなく、これらシステムコントローラ１００を有することなく、各入金装置２１が、管理サーバ１４０と直接接続されて通信を実施する構成としても良い。
【０２７４】
また、本発明の請求項３に対応する前記実施例２並びに請求項４に対応する前記実施例５では、確認情報に入金金額を含むようにしているが、本発明はこれに限定されるものではなく、これら入金金額を含まない確認情報を場内管理装置となるシステムコントローラ１００に送信するようにしても良い。
【０２７５】
前記実施例における各要素は、本発明に対して以下のように対応している。
【０２７６】
本発明の請求項１は、遊技に使用可能な遊技用価値（度数）の大きさを特定可能な遊技用価値特定情報（会員ＩＤ、度数データ）と会員遊技者を個々に特定可能な会員識別情報（会員ＩＤ）とが記録された会員用記録媒体（会員カード）を受付けて、該受付けた会員用記録媒体に記録されている前記遊技用価値特定情報並びに会員識別情報を読み出す会員用記録媒体読み出し手段（カードリーダライタ４４５）と、利用者の預金口座を特定可能な口座特定情報（口座情報）が記録され、金融機関により発行された口座特定用記録媒体（キャッシュカード）を受付けて、該受付けた口座特定用記録媒体に記録されている口座特定情報を読み出す口座特定用記録媒体読み出し手段（キャッシュカードリーダ４１３）と、前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさ（入金金額）を特定可能な加算価値特定情報とを含む決済要求を遊技場外に設置されている決済処理機関（デビッド決済会社）に送信するための決済要求送信手段（ＭＰＵ４４８；決済要求送信処理）と、該決済要求送信手段からの決済要求の送信に応じて決済処理機関から返信される決済を許諾する旨を示す決済許諾情報（「ＯＫ」の照合結果）を受信する決済許諾情報受信手段（ＭＰＵ４４８；照合結果受信処理）と、該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段（ＭＰＵ４４８；デビッド入金処理）と、を備え、遊技場内に設置された入金装置２１と、各遊技場に設置された前記入金装置２１とデータ通信可能に接続され、各遊技場における前記口座決済遊技用価値加算処理により加算更新された遊技用価値の大きさ（デビッド入金金額）を管理する遊技場外に設置された集中管理装置（管理サーバ１４０）と、から成る遊技用システムであって、前記入金装置２１は、前記会員用記録媒体読み出し手段に受付け中の前記会員用記録媒体から読み出した会員識別情報と、前記加算価値特定情報とを含む確認情報を前記集中管理装置に送信するための確認情報送信手段（ＭＰＵ４４８；確認情報送信処理）と、前記会員用記録媒体読み出し手段により前記会員用記録媒体から読み出した会員識別情報と、前記口座決済遊技用価値加算処理により加算更新された遊技用価値の大きさとを含む価値加算情報（入金情報）を前記集中管理装置に送信するための価値加算情報送信手段（ＭＰＵ４４８；入金情報送信処理）と、を備え、前記集中管理装置は、所定期間（対象期間）内における会員遊技者が前記口座決済遊技用価値加算処理により加算更新できる加算価値の大きさ（利用限度額）の上限値（上限額）を設定するための上限値設定手段（ＣＰＵ１４２；利用限度額設定処理）と、各会員遊技者の属性情報（氏名、電子メールアドレス）と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段（記憶装置１４５；会員ＩＤテーブル、会員別入金履歴テーブル）と、前記価値加算情報の受信に基づいて、該受信した価値加算情報に含まれる会員識別情報に対応付けて前記合計記憶手段に記憶されている遊技用価値の大きさの合計（累計デビッド入金額、日合計金額、月合計金額）に、該受信した価値加算情報に含まれる遊技用価値の大きさ（入金金額）を加算更新する加算更新手段（ＣＰＵ１４２；会員別入金履歴テーブル更新処理）と、前記確認情報を受信したときに、該確認情報に含まれる会員識別情報に対応付けて前記合計記憶手段に記憶されている遊技用価値の大きさの合計と、該受信した確認情報に含まれる前記加算価値特定情報から特定される加算価値の大きさ（入金金額）とを合算した合算加算価値の大きさを算出し、該算出した合算加算価値の大きさが、前記上限値設定手段にて設定されている上限値を超過しているか否かを判定する判定手段（ＣＰＵ１４２；判定処理）と、該判定手段における判定結果を前記入金装置に送信するための判定結果送信手段（ＣＰＵ１４２；判定結果送信処理）と、を備え、前記入金装置２１は、前記判定結果送信手段から送信される判定結果が上限値を超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行う。
【０２７７】
本発明の請求項２は、遊技に使用可能な遊技用価値（度数）の大きさを特定可能な遊技用価値特定情報（会員ＩＤ、度数データ）と会員遊技者を個々に特定可能な会員識別情報（会員ＩＤ）とが記録された会員用記録媒体（会員カード）を受付けて、該受付けた会員用記録媒体に記録されている前記遊技用価値特定情報並びに会員識別情報を読み出す会員用記録媒体読み出し手段（カードリーダライタ４４５）と、利用者の預金口座を特定可能な口座特定情報（口座情報）が記録され、金融機関により発行された口座特定用記録媒体（キャッシュカード）を受付けて、該受付けた口座特定用記録媒体に記録されている口座特定情報を読み出す口座特定用記録媒体読み出し手段（キャッシュカードリーダ４１３）と、前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさ（入金金額）を特定可能な加算価値特定情報とを含む決済要求を遊技場外に設置されている決済処理機関（デビッド決済会社）に送信するための決済要求送信手段（ＭＰＵ４４８；決済要求送信処理）と、該決済要求送信手段からの決済要求の送信に応じて決済処理機関から返信される決済を許諾する旨を示す決済許諾情報（「ＯＫ」の照合結果）を受信する決済許諾情報受信手段（ＭＰＵ４４８；照合結果受信処理）と、該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段（ＭＰＵ４４８；デビッド入金処理）と、を備え、遊技場内に設置された入金装置２１と、各遊技場に設置された前記入金装置２１とデータ通信可能に接続され、各遊技場における前記口座決済遊技用価値加算処理により加算更新された遊技用価値の大きさ（デビッド入金金額）を管理する遊技場外に設置された集中管理装置（管理サーバ１４０）と、から成る遊技用システムであって、前記入金装置２１は、前記会員用記録媒体読み出し手段に受付け中の前記会員用記録媒体から読み出した会員識別情報と、前記加算価値特定情報とを含む確認情報を前記集中管理装置に送信するための確認情報送信手段（ＭＰＵ４４８；確認情報送信処理）と、前記会員用記録媒体読み出し手段により前記会員用記録媒体から読み出した会員識別情報と、前記口座決済遊技用価値加算処理により加算更新された遊技用価値の大きさとを含む価値加算情報（入金情報）を前記集中管理装置に送信するための価値加算情報送信手段（ＭＰＵ４４８；入金情報送信処理）と、を備え、前記集中管理装置は、所定期間（対象期間）内における会員遊技者が前記口座決済遊技用価値加算処理により加算更新できる加算価値の大きさ（利用限度額）の上限値（上限額）を設定するための上限値設定手段（ＣＰＵ１４２；利用限度額設定処理）と、各遊技場において会員登録した会員遊技者の当該会員登録した遊技場における会員識別情報（会員ＩＤ）と当該会員遊技者の属性情報（氏名、電子メールアドレス）とを対応付けて記憶するための属性情報記憶手段（記憶装置１４５；会員ＩＤテーブル）と、少なくとも前記所定期間（対象期間）において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさ（デビッド入金額）とを対応付けて、順次、価値加算履歴として記憶するための価値加算履歴記憶手段（記憶装置１４５；入金履歴テーブル）と、前記確認情報を受信したときに、該確認情報に含まれる会員識別情報に対応付けて前記属性情報記憶手段に記憶されている属性情報を特定し、前記所定期間について該特定した属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段（ＣＰＵ１４２；集計処理）と、該集計手段により集計された総計加算価値の大きさと、前記受信した確認情報に含まれる前記加算価値特定情報から特定される加算価値の大きさ（入金金額）とを合算した合算加算価値の大きさを算出し、該算出した合算加算価値の大きさが、前記上限値設定手段にて設定されている上限値を超過しているか否かを判定する判定手段（ＣＰＵ１４２；判定処理）と、該判定手段における判定結果を前記入金装置に送信するための判定結果送信手段（ＣＰＵ１４２；判定結果送信処理）と、を備え、前記入金装置２１は、前記判定結果送信手段から送信される判定結果が上限値を超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行う。
【０２７８】
本発明の請求項３は、遊技に使用可能な遊技用価値（度数）の大きさを特定可能な遊技用価値特定情報（会員ＩＤ、度数データ）と会員遊技者を個々に特定可能な会員識別情報（会員ＩＤ）とが記録された会員用記録媒体（会員カード）を受付けて、該受付けた会員用記録媒体に記録されている前記遊技用価値特定情報並びに会員識別情報を読み出す会員用記録媒体読み出し手段（カードリーダライタ４４５）と、利用者の預金口座を特定可能な口座特定情報（口座情報）が記録され、金融機関により発行された口座特定用記録媒体（キャッシュカード）を受付けて、該受付けた口座特定用記録媒体に記録されている口座特定情報を読み出す口座特定用記録媒体読み出し手段（キャッシュカードリーダ４１３）と、前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさ（入金金額）を特定可能な加算価値特定情報とを含む決済要求を遊技場外に設置されている決済処理機関（デビッド決済会社）に送信するための決済要求送信手段（ＭＰＵ４４８；決済要求送信処理）と、該決済要求送信手段からの決済要求の送信に応じて決済処理機関から返信される決済を許諾する旨を示す決済許諾情報（「ＯＫ」の照合結果）を受信する決済許諾情報受信手段（ＭＰＵ４４８；照合結果受信処理）と、該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段（ＭＰＵ４４８；デビッド入金処理）と、を備え、遊技場内に設置された入金装置２１と、前記入金装置２１とデータ通信可能に接続され、該入金装置２１が設置された遊技場において使用される前記会員用記録媒体の管理を行う該遊技場内に設置された場内管理装置（システムコントローラ１００）と、各遊技場に設置された場内管理装置とデータ通信可能に接続され、各遊技場における前記口座決済遊技用価値加算処理により加算更新された遊技用価値の大きさ（デビッド入金金額）を管理する遊技場外に設置された集中管理装置（管理サーバ１４０）と、から成る遊技用システムであって、前記入金装置２１は、少なくとも前記会員用記録媒体読み出し手段に受付け中の前記会員用記録媒体から読み出した会員識別情報（会員ＩＤ）を含む確認情報を、前記場内管理装置に送信するための確認情報送信手段（ＭＰＵ４４８；確認情報送信処理）と、前記会員用記録媒体読み出し手段により前記会員用記録媒体から読み出した会員識別情報と、前記口座決済遊技用価値加算処理により加算更新された遊技用価値の大きさとを含む価値加算情報（入金情報）を前記集中管理装置に送信するための価値加算情報送信手段（ＭＰＵ４４８；入金情報送信処理）と、を備え、前記集中管理装置は、所定期間（対象期間）内における会員遊技者が前記口座決済遊技用価値加算処理により加算更新できる加算価値の大きさ（利用限度額）の上限値（上限額）を設定するための上限値設定手段（ＣＰＵ１４２；利用限度額設定処理）と、各会員遊技者の属性情報（氏名、電子メールアドレス）と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段（記憶装置１４５；会員ＩＤテーブル、会員別入金履歴テーブル）と、前記価値加算情報の受信に基づいて、該受信した価値加算情報に含まれる会員識別情報に対応付けて前記合計記憶手段に記憶されている遊技用価値の大きさの合計（累計デビッド入金額、日合計金額、月合計金額）に、該受信した価値加算情報に含まれる遊技用価値の大きさ（入金金額）を加算更新する加算更新手段（ＣＰＵ１４２；会員別入金履歴テーブル更新処理）と、  該加算更新手段による加算更新後の遊技用価値の大きさが前記上限値設定手段にて設定されている上限値を超過しているか否かを判定する判定手段（ＣＰＵ１４２；判定処理）と、該判定手段において上限値を超過していると判定されたときに、該上限値を超過していると判定された会員遊技者の各遊技場における前記会員識別情報と、前記口座決済遊技用価値加算処理を不可とする旨とを含む価値加算不可情報（デビッド入金不可情報）を、各会員識別情報が対応する遊技場に設置されている前記場内管理装置に送信するための価値加算不可情報送信手段（ＣＰＵ１４２；デビッド入金不可情報送信処理）と、を備え、前記場内管理装置は、当該遊技場において各会員遊技者に発行された会員用遊技媒体に記憶されている各会員識別情報に対応付けて、各会員用遊技媒体を用いた前記口座決済遊技用価値加算処理の可／不可を特定可能な可否情報（デビッド入金不可の項目の情報（フラグ））を記憶するための可否情報記憶手段（カードマスターテーブル）と、前記価値加算不可情報送信手段から送信される価値加算不可情報の受信に基づいて、当該受信した価値加算不可情報に含まれる会員識別情報に対応して前記可否情報記憶手段に記憶されている可否情報を、不可を特定可能な情報（「１」）に更新する可否情報更新手段（ＣＰＵ１０２；可否情報更新処）と、前記確認情報を受信したときに、該確認情報に含まれる会員識別情報に対応付けて前記可否情報記憶手段に記憶されている可否情報に基づいて、前記口座決済遊技用価値加算処理の可／不可を判定する可否判定手段（ＣＰＵ１０２；可否判定処理）と、該可否判定手段における判定結果を前記入金装置に送信するための判定結果送信手段（ＣＰＵ１０２；判定結果送信処理）と、を備え、前記入金装置２１は、前記判定結果送信手段から送信される判定結果が可（ＯＫ）であることを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行う。
【０２７９】
本発明の請求項４は、遊技に使用可能な遊技用価値（度数）の大きさを特定可能な遊技用価値特定情報（会員ＩＤ、度数データ）と会員遊技者を個々に特定可能な会員識別情報（会員ＩＤ）とが記録された会員用記録媒体（会員カード）を受付けて、該受付けた会員用記録媒体に記録されている前記遊技用価値特定情報並びに会員識別情報を読み出す会員用記録媒体読み出し手段（カードリーダライタ４４５）と、利用者の預金口座を特定可能な口座特定情報（口座情報）が記録され、金融機関により発行された口座特定用記録媒体（キャッシュカード）を受付けて、該受付けた口座特定用記録媒体に記録されている口座特定情報を読み出す口座特定用記録媒体読み出し手段（キャッシュカードリーダ４１３）と、前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさ（入金金額）を特定可能な加算価値特定情報とを含む決済要求を遊技場外に設置されている決済処理機関（デビッド決済会社）に送信するための決済要求送信手段（ＭＰＵ４４８；決済要求送信処理）と、該決済要求送信手段からの決済要求の送信に応じて決済処理機関から返信される決済を許諾する旨を示す決済許諾情報（「ＯＫ」の照合結果）を受信する決済許諾情報受信手段（ＭＰＵ４４８；照合結果受信処理）と、該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段（ＭＰＵ４４８；デビッド入金処理）と、を備え、遊技場内に設置された入金装置２１と、前記入金装置２１とデータ通信可能に接続され、該入金装置２１が設置された遊技場において使用される前記会員用記録媒体の管理を行う該遊技場内に設置された場内管理装置（システムコントローラ１００）と、各遊技場に設置された場内管理装置とデータ通信可能に接続され、各遊技場における前記口座決済遊技用価値加算処理により加算更新された遊技用価値の大きさ（デビッド入金金額）を管理する遊技場外に設置された集中管理装置（管理サーバ１４０）と、から成る遊技用システムであって、前記入金装置２１は、少なくとも前記会員用記録媒体読み出し手段に受付け中の前記会員用記録媒体から読み出した会員識別情報（会員ＩＤ）を含む確認情報を、前記場内管理装置に送信するための確認情報送信手段（ＭＰＵ４４８；確認情報送信処理）と、前記会員用記録媒体読み出し手段により前記会員用記録媒体から読み出した会員識別情報と、前記口座決済遊技用価値加算処理により加算更新された遊技用価値の大きさとを含む価値加算情報（入金情報）を前記集中管理装置に送信するための価値加算情報送信手段（ＭＰＵ４４８；入金情報送信処理）と、を備え、前記集中管理装置は、所定期間（対象期間）内における会員遊技者が前記口座決済遊技用価値加算処理により加算更新できる加算価値の大きさ（利用限度額）の上限値（上限額）を設定するための上限値設定手段（ＣＰＵ１４２；利用限度額設定処理）と、各遊技場において会員登録した会員遊技者の当該会員登録した遊技場における会員識別情報（会員ＩＤ）と当該会員遊技者の属性情報（氏名、電子メールアドレス）とを対応付けて記憶するための属性情報記憶手段（記憶装置１４５；会員ＩＤテーブル）と、少なくとも前記所定期間（対象期間）において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさ（デビッド入金額）とを対応付けて、順次、価値加算履歴として記憶するための価値加算履歴記憶手段（記憶装置１４５；入金履歴テーブル）と、前記所定期間について同一の属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段（ＣＰＵ１４２；集計処理）と、前記集計手段により集計された総計加算価値の大きさが前記上限値設定手段にて設定されている上限値を超過しているか否かを判定する判定手段（ＣＰＵ１４２；判定処理）と、該判定手段において上限値を超過していると判定されたときに、該上限値を超過していると判定された会員遊技者の各遊技場における前記会員識別情報と、前記口座決済遊技用価値加算処理を不可とする旨とを含む価値加算不可情報（デビッド入金不可情報）を、各会員識別情報が対応する遊技場に設置されている前記場内管理装置に送信するための価値加算不可情報送信手段（ＣＰＵ１４２；デビッド入金不可情報送信処理）と、を備え、前記場内管理装置は、当該遊技場において各会員遊技者に発行された会員用遊技媒体に記憶されている各会員識別情報に対応付けて、各会員用遊技媒体を用いた前記口座決済遊技用価値加算処理の可／不可を特定可能な可否情報（デビッド入金不可の項目の情報（フラグ））を記憶するための可否情報記憶手段（カードマスターテーブル）と、前記価値加算不可情報送信手段から送信される価値加算不可情報の受信に基づいて、当該受信した価値加算不可情報に含まれる会員識別情報に対応して前記可否情報記憶手段に記憶されている可否情報を、不可を特定可能な情報（「１」）に更新する可否情報更新手段（ＣＰＵ１０２；可否情報更新処）と、前記確認情報を受信したときに、該確認情報に含まれる会員識別情報に対応付けて前記可否情報記憶手段に記憶されている可否情報に基づいて、前記口座決済遊技用価値加算処理の可／不可を判定する可否判定手段（ＣＰＵ１０２；可否判定処理）と、該可否判定手段における判定結果を前記入金装置に送信するための判定結果送信手段（ＣＰＵ１０２；判定結果送信処理）と、を備え、前記入金装置２１は、前記判定結果送信手段から送信される判定結果が可（ＯＫ）であることを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行う。
【０２８０】
本発明の請求項５は、遊技に使用可能な遊技用価値（度数）の大きさを特定可能な遊技用価値特定情報（会員ＩＤ、度数データ）と会員遊技者を個々に特定可能な会員識別情報（会員ＩＤ）とが記録された会員用記録媒体（会員カード）を受付けて、該受付けた会員用記録媒体に記録されている前記遊技用価値特定情報並びに会員識別情報を読み出す会員用記録媒体読み出し手段（カードリーダライタ４４５）と、利用者の預金口座を特定可能な口座特定情報（口座情報）が記録され、金融機関により発行された口座特定用記録媒体（キャッシュカード）を受付けて、該受付けた口座特定用記録媒体に記録されている口座特定情報を読み出す口座特定用記録媒体読み出し手段（キャッシュカードリーダ４１３）と、前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさ（入金金額）を特定可能な加算価値特定情報とを含む決済要求を遊技場外に設置されている決済処理機関（デビッド決済会社）に送信するための決済要求送信手段（ＭＰＵ４４８；決済要求送信処理）と、該決済要求送信手段からの決済要求の送信に応じて決済処理機関から返信される決済を許諾する旨を示す決済許諾情報（「ＯＫ」の照合結果）を受信する決済許諾情報受信手段（ＭＰＵ４４８；照合結果受信処理）と、該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段（ＭＰＵ４４８；デビッド入金処理）と、を備え、遊技場内に設置された入金装置２１と、前記入金装置２１とデータ通信可能に接続され、該入金装置２１が設置された遊技場において使用される前記会員用記録媒体の管理を行う該遊技場内に設置された場内管理装置（システムコントローラ１００）と、各遊技場に設置された場内管理装置とデータ通信可能に接続され、各遊技場における前記口座決済遊技用価値加算処理により加算更新された遊技用価値の大きさ（デビッド入金金額）を管理する遊技場外に設置された集中管理装置（管理サーバ１４０）と、から成る遊技用システムであって、前記入金装置２１は、前記会員用記録媒体読み出し手段に受付け中の前記会員用記録媒体から読み出した会員識別情報と、前記加算価値特定情報とを含む確認情報を、前記場内管理装置に送信するための確認情報送信手段（ＭＰＵ４４８；確認情報送信処理）と、前記会員用記録媒体読み出し手段により前記会員用記録媒体から読み出した会員識別情報と、前記口座決済遊技用価値加算処理により加算更新された遊技用価値の大きさとを含む価値加算情報（入金情報）を前記集中管理装置に送信するための価値加算情報送信手段（ＭＰＵ４４８；入金情報送信処理）と、を備え、前記集中管理装置は、所定期間（対象期間）内における会員遊技者が前記口座決済遊技用価値加算処理により加算更新できる加算価値の大きさ（利用限度額）の上限値（上限額）を設定するための上限値設定手段（ＣＰＵ１４２；利用限度額設定処理）と、各会員遊技者の属性情報（氏名、電子メールアドレス）と該会員遊技者が会員登録した全ての遊技場における各会員識別情報と該会員遊技者が会員登録した全ての遊技場において前記所定期間に前記口座決済遊技用価値加算処理により加算更新した遊技用価値の大きさの合計とを対応付けて記憶するための合計記憶手段（記憶装置１４５；会員ＩＤテーブル、会員別入金履歴テーブル）と、前記価値加算情報の受信に基づいて、該受信した価値加算情報に含まれる会員識別情報に対応付けて前記合計記憶手段に記憶されている遊技用価値の大きさの合計（累計デビッド入金額、日合計金額、月合計金額）に、該受信した価値加算情報に含まれる遊技用価値の大きさ（入金金額）を加算更新する加算更新手段（ＣＰＵ１４２；会員別入金履歴テーブル更新処理）と、該加算更新手段による加算更新後の遊技用価値の大きさと前記上限値設定手段にて設定されている上限値との差に基づいて、当該会員遊技者が前記口座決済遊技用価値加算処理により加算更新できる加算価値の大きさである利用可能加算価値の大きさ（デビッド入金可能額）を特定する利用可能加算価値特定手段（ＣＰＵ１４２；デビッド入金可能額特定処理）と、該利用可能加算価値特定手段にて特定された利用可能加算価値の大きさを特定可能な情報と、当該会員遊技者の各遊技場における前記会員識別情報とを含む利用可能加算価値情報（デビッド入金可能情報）を、各会員識別情報が対応する遊技場に設置されている前記場内管理装置に送信するための利用可能加算価値情報送信手段（ＣＰＵ１４２；デビッド入金可能情報送信処理）と、を備え、前記場内管理装置は、当該遊技場において各会員遊技者に発行された会員用遊技媒体に記憶されている各会員識別情報に対応付けて、当該会員遊技者の前記利用可能加算価値の大きさを特定可能な情報（デビッド入金可能度数）を記憶するための利用可能加算価値情報記憶手段（カードマスターテーブル）と、前記利用可能加算価値情報送信手段から送信される利用可能加算価値情報の受信に基づいて、当該受信した利用可能加算価値情報に含まれる会員識別情報に対応して前記利用可能加算価値情報記憶手段に記憶されている利用可能加算価値の大きさを特定可能な情報を、受信した利用可能加算価値情報に含まれる利用可能加算価値の大きさを特定可能な情報から特定される利用可能加算価値の大きさを特定可能な情報に更新する利用可能加算価値情報更新手段（ＣＰＵ１０２；デビッド入金可能度数更新処理）と、前記確認情報を受信したときに、該確認情報に含まれる前記加算価値特定情報から特定される会員識別情報に対応付けて前記利用可能加算価値情報記憶手段に記憶されている利用可能加算価値の大きさを特定可能な情報から特定される利用可能加算価値の大きさ（デビッド入金可能額）を、受信した確認情報に含まれる加算価値の大きさ（入金金額）が超過しているか否かを判定する判定手段（ＣＰＵ１０２；判定処理）と、該判定手段における判定結果を前記入金装置２１に送信するための判定結果送信手段（ＣＰＵ１０２；判定結果送信処理）と、を備え、前記入金装置２１は、前記判定結果送信手段から送信される判定結果が利用可能加算価値の大きさを超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行う。
【０２８１】
本発明の請求項６は、遊技に使用可能な遊技用価値（度数）の大きさを特定可能な遊技用価値特定情報（会員ＩＤ、度数データ）と会員遊技者を個々に特定可能な会員識別情報（会員ＩＤ）とが記録された会員用記録媒体（会員カード）を受付けて、該受付けた会員用記録媒体に記録されている前記遊技用価値特定情報並びに会員識別情報を読み出す会員用記録媒体読み出し手段（カードリーダライタ４４５）と、利用者の預金口座を特定可能な口座特定情報（口座情報）が記録され、金融機関により発行された口座特定用記録媒体（キャッシュカード）を受付けて、該受付けた口座特定用記録媒体に記録されている口座特定情報を読み出す口座特定用記録媒体読み出し手段（キャッシュカードリーダ４１３）と、前記口座特定用記録媒体読み出し手段にて読み出した口座特定情報と、前記会員用記録媒体読み出し手段にて読み出した前記遊技用価値特定情報に基づいて特定される遊技用価値の大きさに新たに加算更新する遊技用価値である加算価値の大きさ（入金金額）を特定可能な加算価値特定情報とを含む決済要求を遊技場外に設置されている決済処理機関（デビッド決済会社）に送信するための決済要求送信手段（ＭＰＵ４４８；決済要求送信処理）と、該決済要求送信手段からの決済要求の送信に応じて決済処理機関から返信される決済を許諾する旨を示す決済許諾情報（「ＯＫ」の照合結果）を受信する決済許諾情報受信手段（ＭＰＵ４４８；照合結果受信処理）と、該決済許諾情報受信手段における決済許諾情報の受信に基づいて、前記加算価値の大きさを、前記会員用記録媒体読み出し手段にて読み出した遊技用価値特定情報に基づいて特定される遊技用価値の大きさに加算更新するための口座決済遊技用価値加算処理を行う口座決済遊技用価値加算手段（ＭＰＵ４４８；デビッド入金処理）と、を備え、遊技場内に設置された入金装置２１と、前記入金装置２１とデータ通信可能に接続され、該入金装置２１が設置された遊技場において使用される前記会員用記録媒体の管理を行う該遊技場内に設置された場内管理装置（システムコントローラ１００）と、各遊技場に設置された場内管理装置とデータ通信可能に接続され、各遊技場における前記口座決済遊技用価値加算処理により加算更新された遊技用価値の大きさ（デビッド入金金額）を管理する遊技場外に設置された集中管理装置（管理サーバ１４０）と、から成る遊技用システムであって、前記入金装置２１は、前記会員用記録媒体読み出し手段に受付け中の前記会員用記録媒体から読み出した会員識別情報と、前記加算価値特定情報とを含む確認情報を前記場内管理装置に送信するための確認情報送信手段（ＭＰＵ４４８；確認情報送信処理）と、前記会員用記録媒体読み出し手段により前記会員用記録媒体から読み出した会員識別情報と、前記口座決済遊技用価値加算処理により加算更新された遊技用価値の大きさとを含む価値加算情報（入金情報）を前記集中管理装置に送信するための価値加算情報送信手段（ＭＰＵ４４８；入金情報送信処理）と、を備え、前記集中管理装置は、所定期間（対象期間）内における会員遊技者が前記口座決済遊技用価値加算処理により加算更新できる加算価値の大きさ（利用限度額）の上限値（上限額）を設定するための上限値設定手段（ＣＰＵ１４２；利用限度額設定処理）と、各遊技場において会員登録した会員遊技者の当該会員登録した遊技場における会員識別情報（会員ＩＤ）と当該会員遊技者の属性情報（氏名、電子メールアドレス）とを対応付けて記憶するための属性情報記憶手段（記憶装置１４５；会員ＩＤテーブル）と、少なくとも前記所定期間（対象期間）において、前記価値加算情報を受信する毎に、該受信した価値加算情報に含まれる会員識別情報に対応付けて前記属性情報記憶手段に記憶されている属性情報と該受信した価値加算情報に含まれる遊技用価値の大きさ（デビッド入金額）とを対応付けて、順次、価値加算履歴として記憶するための価値加算履歴記憶手段（記憶装置１４５；入金履歴テーブル）と、、前記所定期間について同一の属性情報に対応付けて前記価値加算履歴記憶手段に記憶されている遊技用価値の大きさに基づいて、該所定期間において該会員遊技者が会員となっている全ての遊技場にて前記口座決済遊技用価値加算処理により加算更新した遊技用価値の大きさの合計である総計加算価値の大きさを集計する集計手段（ＣＰＵ１４２；集計処理）と、前記集計手段により集計された総計加算価値の大きさと前記上限値設定手段にて設定されている上限値との差に基づいて、当該会員遊技者が前記口座決済遊技用価値加算処理により加算更新できる加算価値の大きさである利用可能加算価値の大きさ（デビッド入金可能額）を特定する利用可能加算価値特定手段（ＣＰＵ１４２；デビッド入金可能額特定処理）と、該利用可能加算価値特定手段にて特定された利用可能加算価値の大きさを特定可能な情報と、当該会員遊技者の各遊技場における前記会員識別情報とを含む利用可能加算価値情報（デビッド入金可能情報）を、各会員識別情報が対応する遊技場に設置されている前記場内管理装置に送信するための利用可能加算価値情報送信手段（ＣＰＵ１４２；デビッド入金可能情報送信処理）と、を備え、前記場内管理装置は、当該遊技場において各会員遊技者に発行された会員用遊技媒体に記憶されている各会員識別情報に対応付けて、当該会員遊技者の前記利用可能加算価値の大きさを特定可能な情報（デビッド入金可能度数）を記憶するための利用可能加算価値情報記憶手段（カードマスターテーブル）と、前記利用可能加算価値情報送信手段から送信される利用可能加算価値情報の受信に基づいて、当該受信した利用可能加算価値情報に含まれる会員識別情報に対応して前記利用可能加算価値情報記憶手段に記憶されている利用可能加算価値の大きさを特定可能な情報を、受信した利用可能加算価値情報に含まれる利用可能加算価値の大きさを特定可能な情報から特定される利用可能加算価値の大きさを特定可能な情報に更新する利用可能加算価値情報更新手段（ＣＰＵ１０２；デビッド入金可能度数更新処理）と、前記確認情報を受信したときに、該確認情報に含まれる会員識別情報に対応付けて前記利用可能加算価値情報記憶手段に記憶されている利用可能加算価値の大きさを特定可能な情報から特定される利用可能加算価値の大きさ（デビッド入金可能額）を、受信した確認情報に含まれる前記加算価値特定情報から特定される加算価値の大きさ（入金金額）が超過しているか否かを判定する判定手段（ＣＰＵ１０２；判定処理）と、該判定手段における判定結果を前記入金装置２１に送信するための判定結果送信手段（ＣＰＵ１０２；判定結果送信処理）と、を備え、前記入金装置２１は、前記判定結果送信手段から送信される判定結果が利用可能加算価値の大きさを超過していないことを示す判定結果であることを条件に、前記決済要求送信手段より決済要求を送信し、該決済要求の送信に応じて決済処理機関から返信される決済許諾情報を前記決済許諾情報受信手段にて受信したことに基づいて前記口座決済遊技用価値加算処理を行う。
【０２８２】
本発明の請求項７は、前記場内管理装置（システムコントローラ１００）は、前記利用可能加算価値情報記憶手段（カードマスターテーブル）に記憶している利用可能加算価値の大きさを特定可能な情報（デビッド入金可能額）を前記入金装置２１に送信するための加算可能価値情報送信手段（ＣＰＵ１０２；判定結果送信処理）を備え、前記入金装置は、前記加算可能価値情報送信手段から送信される情報から特定される利用可能加算価値の大きさを報知する利用可能加算価値報知手段（ＭＰＵ４４８；デビッド入金可能金額表示処理）を備える。
【０２８３】
本発明の請求項８は、前記利用可能加算価値情報送信手段（ＣＰＵ１４２；デビッド入金可能情報送信処理）は、前記利用可能加算価値特定手段（ＣＰＵ１４２；デビッド入金可能額特定処理）により特定される前記利用可能加算価値の大きさ（デビッド入金可能額）が、予め設定されている１回の前記口座決済遊技用価値加算処理（デビッド入金処理）により加算更新できる加算価値の大きさの上限値（１００００円）未満となったことを条件に、前記利用可能加算価値情報（デビッド入金可能情報）を送信する。
【０２８４】
本発明の請求項９は、前記集中管理装置（管理サーバ１４０）は、新たに会員登録を実施して会員となった新規会員遊技者に付与された会員識別情報（会員ＩＤ）と該新規会員遊技者の属性情報（氏名、住所、電子メールアドレス等）とを入力するための入力手段（ＣＰＵ１４２；新規会員登録情報受信処理、ＤＳＵ１４８）を備え、該入力された新規会員遊技者の属性情報（氏名、電子メールアドレス）と同一の属性情報が前記合計記憶手段（記憶装置１４５；会員別入金履歴テーブル）或いは属性情報記憶手段（記憶装置１４５；会員ＩＤテーブル）に記憶されているときには、該属性情報に対応付けて該入力された新規会員遊技者の会員識別情報を更新記憶する一方、該入力された新規会員遊技者の属性情報と同一の属性情報が前記合計記憶手段或いは属性情報記憶手段に記憶されていないときには、該入力された属性情報と会員識別情報とを対応付けて、前記合計記憶手段或いは属性情報記憶手段に記憶する。
【０２８５】
本発明の請求項１０は、前記会員用記録媒体（会員カード）を受付けて、該受付けた会員用記録媒体に記録されている前記遊技用価値特定情報（会員ＩＤ、度数データ）並びに会員識別情報（会員ＩＤ）を読み出す会員用記録媒体読み出し手段（カードリーダライタ５１５）と、該会員用記録媒体読み出し手段にて読み出した会員識別情報を含む精算許諾要求を送信する精算許諾要求送信手段（ＭＰＵ５２３；精算許諾要求送信処理）と、該会員用記録媒体読み出し手段にて読み出した遊技用価値特定情報から特定される遊技用価値（度数）の大きさの少なくとも一部に相当する金額の貨幣を払い出すとともに、該貨幣の払い出しに供した遊技用価値の大きさを前記会員用記録媒体読み出し手段にて読み出した遊技用価値特定情報から特定される遊技用価値の大きさから減算更新する精算処理を実施する精算手段（ＭＰＵ５２３；精算処理）と、を備える精算装置２２と、前記各会員識別情報に対応付けて、該会員用遊技媒体から読み出した遊技用価値特定情報に基づいて特定される遊技用価値の大きさのうちの前記口座決済遊技用価値加算処理（デビッド入金処理）にて加算更新された加算価値の大きさ（入金金額）に基づく遊技用価値（デビッド入金残存度数）の大きさと、最も直近の口座決済遊技用価値加算処理が実施された時点から遊技に使用された遊技用価値の大きさである直近使用価値の大きさを特定可能な情報（総使用度数）を記憶するための残存遊技用価値記憶手段（カードマスターテーブル）と、前記精算許諾要求送信手段から送信される精算許諾要求を受信したときに、該精算許諾要求に含まれる会員識別情報に対応付けて前記残存遊技用価値記憶手段に記憶されている直近使用価値の大きさを特定可能な情報から特定される直近使用価値の大きさが予め設定された所定の大きさ（２０度数）以上であることを条件として、前記精算装置に対して受信した精算許諾要求に含まれる会員識別情報が記録されている会員用遊技媒体から読み出した遊技用価値特定情報に基づいて特定される遊技用価値の大きさのうちの、少なくとも前記口座決済遊技用価値加算処理にて加算更新された加算価値の大きさ（デビッド入金残存度数）に基づく遊技用価値の大きさについて精算を許諾する旨の精算許諾を送信する精算許諾送信手段（ＣＰＵ１０２；精算許諾送信処理）と、を備える残存遊技用価値管理装置（システムコントローラ１００）と、を有し、前記精算装置は、前記精算許諾送信手段からの精算許諾の受信に基づいて、受付けた会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさの前記精算処理を実施する。
【０２８６】
本発明の請求項１１は、前記会員用記録媒体（会員カード）を受付けて、該受付けた会員用記録媒体に記録されている前記遊技用価値特定情報（会員ＩＤ、度数データ）並びに会員識別情報（会員ＩＤ）を読み出す会員用記録媒体読み出し手段（カードリーダライタ５１５）と、該会員用記録媒体読み出し手段にて読み出した会員識別情報を含む精算許諾要求を送信する精算許諾要求送信手段（ＭＰＵ５２３；精算許諾要求送信処理）と、該会員用記録媒体読み出し手段にて読み出した遊技用価値特定情報から特定される遊技用価値（度数）の大きさの少なくとも一部に相当する金額の貨幣を払い出すとともに、該貨幣の払い出しに供した遊技用価値の大きさを前記会員用記録媒体読み出し手段にて読み出した遊技用価値特定情報から特定される遊技用価値の大きさから減算更新する精算処理を実施する精算手段（ＭＰＵ５２３；精算処理）と、を備える精算装置２２と、前記各会員識別情報に対応付けて、該会員用遊技媒体から読み出した遊技用価値特定情報に基づいて特定される遊技用価値の大きさのうちの前記口座決済遊技用価値加算処理にて加算更新された加算価値の大きさに基づく遊技用価値（デビッド入金残存度数）の大きさと、該会員遊技者の最も直近の口座決済遊技用価値加算処理（デビッド入金処理）が実施された時点からの遊技履歴に関する遊技履歴関連情報（総遊技時間）を記憶するための残存遊技用価値記憶手段（カードマスターテーブル）と、前記精算許諾要求送信手段から送信される精算許諾要求を受信したときに、該精算許諾要求に含まれる会員識別情報に対応付けて前記残存遊技用価値記憶手段に記憶されている遊技履歴関連情報が、予め設定された遊技履歴に関する所定条件（最低遊技時間）を満たすことを条件として、前記精算装置に対して受信した精算許諾要求に含まれる会員識別情報が記録されている会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値（デビッド入金残存度数）の大きさについて精算を許諾する旨の精算許諾を送信する精算許諾送信手段（ＣＰＵ１０２；精算許諾送信処理）と、を備える残存遊技用価値管理装置（システムコントローラ１００）と、を有し、前記精算装置は、前記精算許諾送信手段からの精算許諾の受信に基づいて、受付けた会員用遊技媒体から読み出した遊技用価値特定情報に基づいて特定される遊技用価値の大きさのうちの、少なくとも前記口座決済遊技用価値加算処理にて加算更新された加算価値の大きさに基づく遊技用価値の大きさの前記精算処理を実施する。
【図面の簡単な説明】
【０２８７】
【図１】本発明の実施例１における遊技用システムの構成を示す図である。
【図２】本発明の実施例１に用いた入金装置を示す外観斜視図である。
【図３】本発明の実施例１に用いた入金装置に設けられた操作部の構成を示す正面図である。
【図４】本発明の実施例１における入金装置の構成を示すブロック図である。
【図５】本発明の実施例１に用いた精算装置を示す外観斜視図である。
【図６】本発明の実施例１における精算装置の構成を示すブロック図である。
【図７】本発明の実施例に用いたシステムコントローラの構成を示すブロック図である。
【図８】本発明の実施例１に用いたカードマスターテーブルを示す図である。
【図９】本発明の実施例１に用いた管理サーバの構成を示すブロック図である。
【図１０】（ａ）は、本発明の実施例１に用いた管理サーバにおける遊技場別会員情報データベースを示す図であり、（ｂ）は、本発明の実施例１に用いた管理サーバにおける会員ＩＤテーブルを示す図である。
【図１１】本発明の実施例１に用いた管理サーバにおける会員別入金履歴テーブルを示す図である。
【図１２】（ａ）は、本発明の実施例１に用いた管理サーバにおける利用限度額設定画面を示す図であり、（ｂ）は、本発明の実施例１に用いた管理サーバにおける精算可能条件設定画面を示す図である。
【図１３】本発明の実施例１に用いたカードユニットと会員管理コンピュータとシステムコントローラとの情報の送受内容を示す説明図である。
【図１４】本発明の実施例１の遊技用システムを構成する各装置におけるデビッド入金に関する処理状況を示す図である。
【図１５】本発明の実施例１の遊技用システムを構成する入金装置とシステムコントローラにおける現金入金に関する処理状況を示す図である。
【図１６】本発明の実施例１の遊技用システムを構成する精算装置とシステムコントローラにおける精算に関する処理状況を示す図である。
【図１７】本発明の実施例２に用いたカードマスターテーブルを示す図である。
【図１８】本発明の実施例２の遊技用システムを構成する各装置におけるデビッド入金に関する処理状況を示す図である。
【図１９】本発明の実施例３に用いたカードマスターテーブルを示す図である。
【図２０】本発明の実施例３の遊技用システムを構成する各装置におけるデビッド入金に関する処理状況を示す図である。
【図２１】本発明のその他の形態おける会員別デビッド総入金額テーブルを示す図である。
【図２２】（ａ）は、本発明の実施例４に用いた会員ＩＤテーブルであり、（ｂ）は、本発明の実施例４に用いた入金履歴テーブルを示す図である。
【図２３】本発明の実施例４の遊技用システムを構成する各装置におけるデビッド入金に関する処理状況を示す図である。
【図２４】本発明の実施例５の遊技用システムを構成する各装置におけるデビッド入金に関する処理状況を示す図である。
【図２５】本発明の実施例６の遊技用システムを構成する各装置におけるデビッド入金に関する処理状況を示す図である。
【符号の説明】
【０２８８】
２      パチンコ機
３      カードユニット
１１    通信回線
１２    通信回線
２１    入金装置
２２    精算装置
１００  システムコントローラ
１０２  ＣＰＵ
１０５  記憶装置
１１１  ＤＳＵ
１２０  会員管理コンピュータ
１４０  管理サーバ
１４２  ＣＰＵ
１４５  記憶装置
１４６  表示装置
１４８  ＤＳＵ
１６０  デビット決済端末
１８０  デビット決済管理サーバ
４０４  表示部
４１３  キャッシュカードリーダ
４４５  カードリーダライタ
４４８  ＭＰＵ
５１５  カードリーダライタ
５２３  ＭＰＵ
【図１】
2006014866.tif 000003
【図２】
2006014866.tif 000004
【図３】
2006014866.tif 000005
【図４】
2006014866.tif 000006
【図５】
2006014866.tif 000007
【図６】
2006014866.tif 000008
【図７】
2006014866.tif 000009
【図８】
2006014866.tif 000010
【図９】
2006014866.tif 000011
【図１０】
2006014866.tif 000012
【図１１】
2006014866.tif 000013
【図１２】
2006014866.tif 000014
【図１３】
2006014866.tif 000015
【図１４】
2006014866.tif 000016
【図１５】
2006014866.tif 000017
【図１６】
2006014866.tif 000018
【図１７】
2006014866.tif 000019
【図１８】
2006014866.tif 000020
【図１９】
2006014866.tif 000021
【図２０】
2006014866.tif 000022
【図２１】
2006014866.tif 000023
【図２２】
2006014866.tif 000024
【図２３】
2006014866.tif 000025
【図２４】
2006014866.tif 000026
【図２５】
2006014866.tif 000027